(57)【要約】  諸収差が良好に補正され、移動するレンズの外径と、移動するレンズ群の近くに位置するレンズの外径が、十分に小さい広角光学系及びそれを用いた撮像装置を提供する。  広角光学系は、レンズ成分を有する広角光学系であって、レンズ成分は、複数の光学面を有し、レンズ成分では、２つの光学面が空気と接触し、且つ、少なくとも１つの光学面が曲面であり、物体側から順に、負の屈折力を有する第１レンズ群Ｇ１と、第２レンズ群Ｇ２と、正の屈折力を有する第３レンズＧ３群と、を備え、第２レンズ群Ｇ２は、焦点位置調節のために、第１の位置と第２の位置との間を光軸に沿って移動し、第３レンズ群Ｇ３は、正の接合レンズと、負の接合レンズと、を含み、以下の条件式（１）を満足する。  ０．０５＜ｆL／R31F＜１．０      （１）
2020178883.tif 000002
【特許請求の範囲】
【請求項１】
レンズ成分を有する広角光学系であって、
前記レンズ成分は、複数の光学面を有し、
前記レンズ成分では、２つの前記光学面が空気と接触し、且つ、少なくとも１つの前記光学面が曲面であり、
物体側から順に、負の屈折力を有する第１レンズ群と、第２レンズ群と、正の屈折力を有する第３レンズ群と、を備え、
前記第２レンズ群は、焦点位置調節のために、第１の位置と第２の位置との間を光軸に沿って移動し、前記第１の位置は、前記第１レンズ群と前記第２レンズ群との間隔が最小となる位置であり、前記第２の位置は、前記第２レンズ群と前記第３レンズ群との間隔が最小となる位置であり、
前記第３レンズ群は、正の接合レンズと、負の接合レンズと、を含み、
以下の条件式（１）を満足することを特徴とする広角光学系。
０．０５＜ｆL／R31F＜１．０      （１）
ここで、
R31Fは、物体側レンズ成分の物体側の面の曲率半径、
ｆLは、前記第１の位置における前記広角光学系の焦点距離、
前記物体側レンズ成分は、前記第３レンズ群で最も物体側に位置するレンズ成分、
である。
【請求項２】
以下の条件式（２）を満足することを特徴とする請求項１に記載の広角光学系。
−１．０×１０２＜（R31F＋R31R）／（R31F−R31R）＜０．５      （２）
ここで、
R31Fは、前記物体側レンズ成分の物体側の面の曲率半径、
R31Rは、前記物体側レンズ成分の像側の面の曲率半径、
である。
【請求項３】
第１空気レンズを有し、
前記第１空気レンズは、以下の条件式（３）を満足する空気レンズであり、
前記第３レンズ群に、前記第１空気レンズが設けられていることを特徴とする請求項１に記載の広角光学系。
−０．７＜ｆL／R3AF＜１．０      （３）
ここで、
R3AFは、前記第１空気レンズの物体側の面の曲率半径、
ｆLは、前記第１の位置における前記広角光学系の焦点距離、
である。
【請求項４】
第１空気レンズを有し、
前記第１空気レンズは、以下の条件式（４）を満足する空気レンズであり、
前記第３レンズ群に、前記第１空気レンズが設けられていることを特徴とする請求項１に記載の広角光学系。
−２０．０＜（R3AF＋R3AR）／（R3AF−R3AR）＜１５．０      （４）
ここで、
R3AFは、前記第１空気レンズの物体側の面の曲率半径、
R3ARは、前記第１空気レンズの像側の面の曲率半径、
である。
【請求項５】
第１空気レンズを有し、
前記第１空気レンズは、以下の条件式（５）を満足する空気レンズであり、
前記第３レンズ群に、前記第１空気レンズが設けられていることを特徴とする請求項１に記載の広角光学系。
１．０＜D31／ｆL＜１０．０      （５）
ここで、
D31は、前記物体側レンズ成分の物体側の面と前記第１空気レンズの物体側の面との光軸上の距離、
ｆLは、前記第１の位置における前記広角光学系の焦点距離、
である。
【請求項６】
前記正の接合レンズは、前記負の接合レンズの物体側に配置されていることを特徴とする請求項１乃至５のいずれか一項に記載の広角光学系。
【請求項７】
前記第３レンズ群は、複数の負レンズを有することを特徴とする請求項１乃至５のいずれか一項に記載の広角光学系。
【請求項８】
前記第３レンズ群は、最も物体側の負レンズ成分よりも物体側に、複数の正レンズ成分を含むことを特徴とする請求項１乃至５のいずれか一項に記載の広角光学系。
【請求項９】
最も物体側の負レンズ成分よりも物体側に、前記正の接合レンズが配置され、
以下の条件式（６）を満足することを特徴とする請求項１乃至５のいずれか一項に記載の広角光学系。
０．５＜ｆ3C／ｆL＜１５      （６）
ここで、
ｆ3Cは、前記正の接合レンズの焦点距離、
ｆLは、前記第１の位置における前記広角光学系の焦点距離、
である。
【請求項１０】
前記第３レンズ群は、第１レンズ成分と、第２レンズ成分と、第３レンズ成分と、を有し、
前記第１レンズ成分は、単レンズであり、
前記第２レンズ成分と前記第３レンズ成分は、接合レンズであることを特徴とする請求項１乃至５のいずれか一項に記載の広角光学系。
【請求項１１】
前記第３レンズ群は、複数の正レンズを有し、
前記複数の正レンズは、第１正レンズと、第２正レンズと、を有し、前記第１正レンズは、前記複数の正レンズのなかで、最も物体側に位置する正レンズであり、前記第２正レンズは、前記複数の正レンズのなかで、物体側から２番目に位置する正レンズであり、
以下の条件式（７）を満足することを特徴とする請求項１乃至５のいずれか一項に記載の広角光学系。
−７０＜ν31P−ν32P＜２０      （７）
ここで、
ν31Pは、前記第１正レンズのアッベ数、
ν32Pは、前記第２正レンズのアッベ数、
である。
【請求項１２】
前記第３レンズ群は、複数の正レンズを有し、
前記複数の正レンズは、第１正レンズと、第２正レンズと、第３正レンズと、を有し、前記第１正レンズは、前記複数の正レンズのなかで、最も物体側に位置する正レンズであり、前記第２正レンズは、前記複数の正レンズのなかで、物体側から２番目に位置する正レンズであり、前記第３正レンズは、前記複数の正レンズのなかで、物体側から３番目に位置する正レンズであり、
以下の条件式（８）を満足することを特徴とする請求項１乃至５のいずれか一項に記載の広角光学系。
−４０＜ν33P−（ν31P＋ν32P）／２＜６０      （８）
ここで、
ν31Pは、前記第１正レンズのアッベ数、
ν32Pは、前記第２正レンズのアッベ数、
ν33Pは、前記第３正レンズのアッベ数、
である。
【請求項１３】
前記第３レンズ群は、複数の負レンズを有し、
前記複数の負レンズは、第１負レンズと、第２負レンズと、を有し、前記第１負レンズは、前記複数の負レンズのなかで、最も物体側に位置する負レンズであり、前記第２負レンズは、前記複数の負レンズのなかで、物体側から２番目に位置する負レンズであり、
以下の条件式（９）を満足することを特徴とする請求項１乃至５のいずれか一項に記載の広角光学系。
−１０＜ν31N−ν32N＜４０      （９）
ここで、
ν31Nは、前記第１負レンズのアッベ数、
ν32Nは、前記第２負レンズのアッベ数、
である。
【請求項１４】
前記第３レンズ群は、最も像側の負レンズ成分よりも像側に、３つ以上の正レンズを含むことを特徴とする請求項１乃至５のいずれか一項に記載の広角光学系。
【請求項１５】
第２空気レンズを有し、
前記第２空気レンズは、以下の条件式（１０）を満足する空気レンズであり、
前記第３レンズ群に、前記第２空気レンズが設けられていることを特徴とする請求項１乃至５のいずれか一項に記載の広角光学系。
−３．０＜SFRA＜５．０      （１０）
ここで、
SFRA＝（RRAF＋RRAR）／（RRAF−RRAR）であり、
RRAFは、前記第２空気レンズの物体側の面の曲率半径、
RRARは、前記第２空気レンズの像側の面の曲率半径、
である。
【請求項１６】
前記第３レンズ群は焦点位置調節時には固定であることを特徴とする請求項１乃至５のいずれか一項に記載の広角光学系。
【請求項１７】
以下の条件式（１１）を満足することを特徴とする請求項１乃至５のいずれか一項に記載の広角光学系。
−５０＜（R21F＋R21R）／（R21F−R21R）＜−１．０      （１１）
ここで、
R21Fは、所定のレンズ成分の物体側の面の曲率半径、
R21Rは、前記所定のレンズ成分の像側の面の曲率半径、
前記所定のレンズ成分は、前記第２レンズ群で最も物体側に位置するレンズ成分、
である。
【請求項１８】
以下の条件式（１２）を満足することを特徴とする請求項１乃至５のいずれか一項に記載の広角光学系。
０．０＜D21／ｆL＜３．０      （１２）
ここで、
D21は、前記第２レンズ群の最も物体側の面と最も像側の面との光軸上の距離、
ｆLは、前記第１の位置における前記広角光学系の焦点距離、
である。
【請求項１９】
以下の条件式（１３）を満足することを特徴とする請求項１乃至５のいずれか一項に記載の広角光学系。
１．０１＜β2F＜１．３５      （１３）
ここで、
β2Fは、前記第１の位置における前記第２レンズ群の倍率、
である。
【請求項２０】
以下の条件式（１４）を満足することを特徴とする請求項１乃至５のいずれか一項に記載の広角光学系。
１．０１＜β2N／β2F＜１．１５      （１４）
ここで、
β2Fは、前記第１の位置における前記第２レンズ群の倍率、
β2Nは、前記第２の位置における前記第２レンズ群の倍率、
である。
【請求項２１】
以下の条件式（１５）を満足することを特徴とする請求項１乃至５のいずれか一項に記載の広角光学系。
０．１０＜（１−β2F2）×β3F2＜０．３５      （１５）
ここで、
β2Fは、前記第１の位置における前記第２レンズ群の倍率、
β3Fは、前記第１の位置における前記第３レンズ群の倍率、
である。
【請求項２２】
以下の条件式（１６）を満足することを特徴とする請求項１乃至５のいずれか一項に記載の広角光学系。
０．２０＜（１−β2N2）×β3N2＜０．５０      （１６）
ここで、
β2Nは、前記第２の位置における前記第２レンズ群の倍率、
β3Nは、前記第２の位置における前記第３レンズ群の倍率、
である。
【請求項２３】
前記第２レンズ群は、正の屈折力を有することを特徴とする請求項１乃至５のいずれか一項に記載の広角光学系。
【請求項２４】
前記第１レンズ群は、複数の負レンズを有することを特徴とする請求項１乃至５のいずれか一項に記載の広角光学系。
【請求項２５】
前記第１レンズ群は、複数の負レンズ成分を有し、
前記複数の負レンズ成分は、第１負レンズ成分と、第２負レンズ成分と、を有し、前記第２負レンズ成分は、前記複数の負レンズ成分のなかで、物体側から２番目に位置する負レンズ成分であり、
以下の条件式（１７）を満足することを特徴とする請求項１乃至５のいずれか一項に記載の広角光学系。
−２．０＜ｆL／R12F＜５．０      （１７）
ここで、
R12Fは、前記第２負レンズ成分の物体側の面の曲率半径、
ｆLは、前記第１の位置における前記広角光学系の焦点距離、
である。
【請求項２６】
前記第１レンズ群は、複数の負レンズ成分と、正レンズ成分と、を有するか、又は、複数の負レンズ成分を有し、
前記複数の負レンズ成分は、第１負レンズ成分と、第２負レンズ成分と、を有し、前記第２負レンズ成分は、前記複数の負レンズ成分のなかで、物体側から２番目に位置する負レンズ成分であり、
以下の条件式（１７）を満足することを特徴とする請求項１乃至５のいずれか一項に記載の広角光学系。
−２．０＜ｆL／R12F＜５．０      （１７）
ここで、
R12Fは、前記第２負レンズ成分の物体側の面の曲率半径、
ｆLは、前記第１の位置における前記広角光学系の焦点距離、
である。
【請求項２７】
前記第１レンズ群は、複数の負レンズ成分を有し、
前記複数の負レンズ成分は、第１負レンズ成分と、第２負レンズ成分と、を有し、前記第１負レンズ成分は、前記複数の負レンズ成分のなかで、最も物体側に位置する負レンズ成分であり、前記第２負レンズ成分は、前記複数の負レンズ成分のなかで、物体側から２番目に位置する負レンズ成分であり、
以下の条件式（１７）を満足することを特徴とする請求項１乃至５のいずれか一項に記載の広角光学系。
−２．０＜ｆL／R12F＜５．０        （１７）
ここで、    
R12Fは、前記第２負レンズ成分の物体側の面の曲率半径、
ｆLは、前記第１の位置における前記広角光学系の焦点距離、
である。
【請求項２８】
以下の条件式（１８）を満足することを特徴とする請求項１乃至５のいずれか一項に記載の広角光学系。
１００×｜ｆfin｜＜｜Ｒfin｜      （１８）
ここで、
ｆfinは、像側レンズ成分の焦点距離、
Ｒfinは、前記像側レンズ成分の像側の面の曲率半径、
前記像側レンズ成分は、前記複数のレンズ成分のなかで、最も像側に位置するレンズ成分、
である。
【請求項２９】
像側レンズ成分と、光学素子と、を有し、
前記像側レンズ成分は、前記複数のレンズ成分のなかで、最も像側に位置し、
前記光学素子は、前記像側レンズ成分の像側に位置し、
前記像側レンズ成分と前記光学素子は接合されていることを特徴とする請求項１乃至５のいずれか一項に記載の広角光学系。
【請求項３０】
以下の条件式（１９）を満足することを特徴とする請求項１に記載の広角光学系。
２ｙmax＜ｆL×ｔａｎωmax      （１９）
ここで、
ｙmaxは、最大像高、
ωmaxは、前記最大像高に対応した画角、
ｆLは、前記第１の位置における前記広角光学系の焦点距離、
である。
【請求項３１】
以下の条件式（２０）を満足することを特徴とする請求項１に記載の広角光学系。
ＥＲ＜４×ｆL／ＦEX      （２０）
ここで、
ＥＲは、前記負の接合レンズの最も像側の面の有効半径、
ＦEXは、前記第１の位置における有効Ｆ値、
ｆLは、前記第１の位置における前記広角光学系の焦点距離、
である。
【請求項３２】
光学系と、像面に配置された撮像素子と、を有し、
前記撮像素子は撮像面を有し、且つ前記光学系によって前記撮像面上に形成された像を電気信号に変換し、
前記光学系が請求項１から３１のいずれか一項に記載の広角光学系であることを特徴とする撮像装置。
【発明の詳細な説明】
【技術分野】
【０００１】
本発明は、広角光学系及びそれを備えた撮像装置に関する。
【背景技術】
【０００２】
広い画角を有する光学系として、内視鏡用対物光学系が知られている。内視鏡用対物光学系には、画角が１００度を超えるような広角光学系が用いられている。【０００３】
従来の内視鏡では、画素数が少ない撮像素子が用いられていた。そのため、内視鏡用対物光学系には、固定焦点の光学系が用いられていた。固定焦点の光学系を用いても、観察する必要のある被写体距離の範囲（観察深度）を、被写界深度でカバーすることができていた。【０００４】
しかし、近年では、観察像質を向上するために、画素数が多い撮像素子が用いられるようになってきた、画素数が多い撮像素子が用いられる内視鏡では、光学系にも高い分解能が要求される。【０００５】
光学系に高い分解能を持たせると、被写界深度が、必要な観察深度よりも狭くなる。そのため、必要な観察深度を、ピントの合った状態で観察することが困難になる。このようなことから、光学系に焦点位置を調節する機能を持たせる必要が出てきた。【０００６】
焦点位置が調節できる内視鏡用対物光学系が、知られている。この内視鏡用対物光学系では、焦点位置の調整に、インナーフォーカスが用いられている。インナーフォーカスを行うために、光学系の周囲にアクチュエーターが設けられている。【０００７】
光学ユニットは、例えば、光学系とアクチュエーターとを含む。内視鏡では、光学ユニットを密封する必要がある。また、画角が１４０°以上であることや、アクチュエーターのサイズや出力に制限がある。そのため、焦点位置調節では、光学系を移動させることが困難である。軽量で省スペースなインナーフォーカスが必要である。【０００８】
インナーフォーカスを用いた内視鏡用対物光学系が、特許文献１と特許文献２に開示されている。
【先行技術文献】
【特許文献】
【０００９】
【特許文献１】国際公開第２０１４／１２９０８９号
【特許文献２】国際公開第２０１６／０６７８３８号
【発明の概要】
【発明が解決しようとする課題】
【００１０】
しかしながら、特許文献１の内視鏡用対物光学系と、特許文献２の内視鏡用対物光学系では、移動するレンズの外径と、移動するレンズ群の近くに位置するレンズの外径が、十分に小さいとは言えない。そのため、光学ユニットの更なる小型化が難しい。【００１１】
また、レンズの移動では、レンズの偏心やレンズ面の倒れを少なくすることが望ましい。そのためには、アクチュエーターの光軸方向へのサイズを小さくする必要がある。しかしながら、特許文献１の内視鏡用対物光学系と、特許文献２の内視鏡用対物光学系では、アクチュエーターの小型化が難しい。【００１２】
本発明は、このような課題に鑑みてなされたものであって、諸収差が良好に補正され、移動するレンズの外径と、移動するレンズ群の近くに位置するレンズの外径が、十分に小さい広角光学系及びそれ用いた撮像装置を提供することを目的とする。
【課題を解決するための手段】
【００１３】
上述した課題を解決し、目的を達成するために、本発明の少なくとも幾つかの実施形態に係る広角光学系は、
レンズ成分を有する広角光学系であって、
レンズ成分は、複数の光学面を有し、
レンズ成分では、２つの光学面が空気と接触し、且つ、少なくとも１つの光学面が曲面であり、
物体側から順に、負の屈折力を有する第１レンズ群と、第２レンズ群と、正の屈折力を有する第３レンズ群と、を備え、
第２レンズ群は、焦点位置調節のために、第１の位置と第２の位置との間を光軸に沿って移動し、第１の位置は、第１レンズ群と第２レンズ群との間隔が最小となる位置であり、第２の位置は、第２レンズ群と第３レンズ群との間隔が最小となる位置であり、
第３レンズ群は、正の接合レンズと、負の接合レンズと、を含み、
以下の条件式（１）を満足することを特徴とする。
０．０５＜ｆL／R31F＜１．０      （１）
ここで、
R31Fは、物体側レンズ成分の物体側の面の曲率半径、
ｆLは、第１の位置における広角光学系の焦点距離、
物体側レンズ成分は、第３レンズ群で最も物体側に位置するレンズ成分、
である。【００１４】
また、本発明の撮像装置は、
光学系と、像面に配置された撮像素子と、を有し、
撮像素子は撮像面を有し、且つ光学系によって撮像面上に形成された像を電気信号に変換し、
光学系が上述の広角光学系であることを特徴とする。
【発明の効果】
【００１５】
本発明によれば、諸収差が良好に補正され、移動するレンズの外径と、移動するレンズ群の近くに位置するレンズの外径が、十分に小さい広角光学系及びそれ用いた撮像装置を提供することができる。
【図面の簡単な説明】
【００１６】
【図１】実施例１の広角光学系のレンズ断面図である。
【図２】実施例２の広角光学系のレンズ断面図である。
【図３】実施例３の広角光学系のレンズ断面図である。
【図４】実施例４の広角光学系のレンズ断面図である。
【図５】実施例５の広角光学系のレンズ断面図である。
【図６】実施例６の広角光学系のレンズ断面図である。
【図７】実施例７の広角光学系のレンズ断面図である。
【図８】実施例８の広角光学系のレンズ断面図である。
【図９】実施例９の広角光学系のレンズ断面図である。
【図１０】実施例１０の広角光学系のレンズ断面図である。
【図１１】実施例１１の広角光学系のレンズ断面図である。
【図１２】実施例１２の広角光学系のレンズ断面図である。
【図１３】実施例１３の広角光学系のレンズ断面図である。
【図１４】実施例１４の広角光学系のレンズ断面図である。
【図１５】実施例１５の広角光学系のレンズ断面図である。
【図１６】実施例１６の広角光学系のレンズ断面図である。
【図１７】実施例１７の広角光学系のレンズ断面図である。
【図１８】実施例１８の広角光学系のレンズ断面図である。
【図１９】実施例１９の広角光学系のレンズ断面図である。
【図２０】実施例２０の広角光学系のレンズ断面図である。
【図２１】実施例２１の広角光学系のレンズ断面図である。
【図２２】実施例１の広角光学系の収差図である。
【図２３】実施例２の広角光学系の収差図である。
【図２４】実施例３の広角光学系の収差図である。
【図２５】実施例４の広角光学系の収差図である。
【図２６】実施例５の広角光学系の収差図である。
【図２７】実施例６の広角光学系の収差図である。
【図２８】実施例７の広角光学系の収差図である。
【図２９】実施例８の広角光学系の収差図である。
【図３０】実施例９の広角光学系の収差図である。
【図３１】実施例１０の広角光学系の収差図である。
【図３２】実施例１１の広角光学系の収差図である。
【図３３】実施例１２の広角光学系の収差図である。
【図３４】実施例１３の広角光学系の収差図である。
【図３５】実施例１４の広角光学系の収差図である。
【図３６】実施例１５の広角光学系の収差図である。
【図３７】実施例１６の広角光学系の収差図である。
【図３８】実施例１７の広角光学系の収差図である。
【図３９】実施例１８の広角光学系の収差図である。
【図４０】実施例１９の広角光学系の収差図である。
【図４１】実施例２０の広角光学系の収差図である。
【図４２】実施例２１の広角光学系の収差図である。
【図４３】内視鏡システムの概略構成を示す図である。
【図４４】内視鏡の光学系の構成を示す図である。
【図４５】撮像装置の光学系の構成を示す図である。
【図４６】撮像装置の概略構成を示す図である。
【図４７】物体、対物光学系、及び光路分割素子の位置関係を示す図である。
【発明を実施するための形態】
【００１７】
実施例の説明に先立ち、本発明のある態様にかかる実施形態の作用効果を説明する。なお、本実施形態の作用効果を具体的に説明するに際しては、具体的な例を示して説明することになる。しかし、後述する実施例の場合と同様に、それらの例示される態様はあくまでも本発明に含まれる態様のうちの一部に過ぎず、その態様には数多くのバリエーションが存在する。したがって、本発明は例示される態様に限定されるものではない。
【００１８】
本実施形態の広角光学系は、レンズ成分を有する広角光学系であって、レンズ成分は、複数の光学面を有し、レンズ成分では、２つの光学面が空気と接触し、且つ、少なくとも１つの光学面が曲面であり、物体側から順に、負の屈折力を有する第１レンズ群と、第２レンズ群と、正の屈折力を有する第３レンズ群と、を備え、第２レンズ群は、焦点位置調節のために、第１の位置と第２の位置との間を光軸に沿って移動し、第１の位置は、第１レンズ群と第２レンズ群との間隔が最小となる位置であり、第２の位置は、第２レンズ群と第３レンズ群との間隔が最小となる位置であり、第３レンズ群は、正の接合レンズと、負の接合レンズと、を含み、以下の条件式（１）を満足することを特徴とする。
０．０５＜ｆL／R31F＜１．０      （１）
ここで、
R31Fは、物体側レンズ成分の物体側の面の曲率半径、
ｆLは、第１の位置における広角光学系の焦点距離、
物体側レンズ成分は、第３レンズ群で最も物体側に位置するレンズ成分、
である。
【００１９】
本実施形態の広角光学系は、例えば、画角が１００度を超える広角光学系に関するものである。近年、高解像度モニターなどの登場により、観察時の画質に、高い画質が求められるようになってきた。本実施形態の広角光学系は、このような要求に対応できる広角光学系である。
【００２０】
また、本実施形態の広角光学系は、インナーフォーカスを用いた光学系である。そのため、インナーフォーカスレンズの周囲に、アクチュエーターが配置される。本実施形態の広角光学系では、光学系の周囲にアクチュエーターが配置されても、光学系全体の外径が小さい。本実施形態の広角光学系は、広い画角を有する光学系でありながらも、光学系の中央部の長い範囲で光線高が低く抑えられた光学系である。
【００２１】
本実施形態の広角光学系は、レンズ成分を有する広角光学系である。レンズ成分は、複数の光学面を有する。レンズ成分では、２つの光学面が空気と接触し、少なくとも１つの光学面が曲面である。レンズ成分には、例えば、単レンズと、接合レンズと、が含まれる。
【００２２】
また、レンズ成分では、レンズと平行平板とが接合されていても良い。この場合、一方の空気と接触する光学面はレンズ面で、他方の空気と接触する光学面は平面である。単レンズと平行平板とが接合されているレンズ成分は、単レンズと見なす。接合レンズと平行平板とが接合されているレンズ成分は、接合レンズと見なす。
【００２３】
また、平凸レンズと平凹レンズとが接合されていても良い。この場合、接合面が曲面で、空気と接触する光学面は平面である。
【００２４】
レンズ成分の物体側の面は、空気と接触する２つの光学面のうち、物体側に位置する光学面である。レンズ成分の像側の面は、空気と接触する２つの光学面のうち、像側に位置する光学面である。レンズ成分が接合レンズの場合、物体側の面と像側の面の間に接合面が位置している。
【００２５】
本実施形態の広角光学系は、物体側から順に、負の屈折力を有する第１レンズ群と、第２レンズ群と、正の屈折力を有する第３レンズ群と、を備える。第２レンズ群は、焦点位置調節のために、第１の位置と第２の位置との間を光軸に沿って移動する。第２レンズ群の移動によって、第１レンズ群と第２レンズ群との間隔、及び第２レンズ群と第３レンズ群との間隔が変化する。
【００２６】
第１の位置は、第１レンズ群と第２レンズ群との間隔が最小となる位置である。第１の位置では、第２レンズ群は、移動範囲のなかで最も物体側に位置している。第１の位置では、遠点に位置する物体に合焦することができる。
【００２７】
第２の位置は、第２レンズ群と第３レンズ群との間隔が最小となる位置である。第２の位置では、第２レンズ群は、移動範囲のなかで最も像側に位置している。第２の位置では、近点に位置する物体に合焦することができる。
【００２８】
第３レンズ群は、正の接合レンズと、負の接合レンズと、を含む。これにより、視野角が大きく、焦点位置の調整範囲内での収差が良好に補正され、高い分解能を有する広角光学系を実現することができる。また、光学系が高い分解能を有することで、画素数が多い撮像素子を使用しても、その画素数に応じた鮮明な画像を取得することができる。
【００２９】
第２レンズ群は、焦点位置調節のために移動する。第２レンズ群の移動には、アクチュエーターが用いられる。アクチュエーターは、第２レンズ群の近傍、または第３レンズ群の近傍に配置される。よって、第２レンズ群の近傍、または第３レンズ群の近傍に、アクチュエーターを配置するための空間を設ける必要がある。
【００３０】
第３レンズ群に、正の接合レンズと負の接合レンズを配置することで、第２レンズ群の物体側から第３レンズ群の中央付近までの広い範囲（以下、「所定の範囲」という）で、光線高を低くすることができる。
【００３１】
条件式（１）を満足することにより、所定の範囲で、光線高を低くすることができる。そのため、第２レンズ群の外径と、第３レンズ群の一部の外径とを、小さくすることができる。その結果、アクチュエーターを配置しても、光学ユニットの外径の増大を抑えることができる。
【００３２】
値が条件式（１）の上限値を上回る場合、光線高が高くなる。そのため、第２レンズ群の外径と、第３レンズ群の一部の外径とが、大きくなる。その結果、光学ユニットの外径が増大する。
【００３３】
値が条件式（１）の下限値を下回る場合、球面収差とコマ収差が発生し易くなる。そのため、高い分解能を有する広角光学系を実現することが困難になる。また、画素数が多い撮像素子を使用した場合、その画素数に応じた鮮明な画像を取得することが困難となる。
【００３４】
条件式（１）に代えて、以下の条件式（１’）を満足すると良い。
０．０８＜ｆL／R31F＜１．０      （１’）
また、条件式（１）に代えて、以下の条件式（１”）を満足するとなお良い。
０．１０＜ｆL／R31F＜１．０      （１”）
【００３５】
条件式（１）を満足する光学系は、下限値よりも大きい値を有する。光学系における値が大きくなるほど、その光学系では、光線高をより低く抑え易くなる。
【００３６】
条件式（１）については、好ましい下限値を設定することができる。下限値は、０．１２６３３、０．１５、０．２５、０．３５のいずれかにすることが好ましい。また、０．４０ から０．７０までが、条件式（１）の最良の範囲と言える。
【００３７】
本実施形態の広角光学系は、以下の条件式（２）を満足することが好ましい。
−１．０×１０２＜（R31F＋R31R）／（R31F−R31R）＜０．５      （２）
ここで、
R31Fは、物体側レンズ成分の物体側の面の曲率半径、
R31Rは、物体側レンズ成分の像側の面の曲率半径、
である。
【００３８】
条件式（２）を満足することにより、所定の範囲で光線高を低くしつつ、球面収差とコマ収差を良好に補正することができる。その結果、高い分解能を有する広角光学系を実現することができる。また、高画素数が多い撮像素子を使用しても、その画素数に応じた鮮明な画像を取得することができる。
【００３９】
条件式（２）の技術的意義は、条件式（１）の技術的意義を同じである。
【００４０】
条件式（２）に代えて、以下の条件式（２’）を満足すると良い。
−１．０×１０２＜（R31F＋R31R）／（R31F−R31R）＜０．２      （２’）
また、条件式（２）に代えて、以下の条件式（２”）を満足するとなお良い。
−１．０×１０２＜（R31F＋R31R）／（R31F−R31R）＜−０．１      （２”）
【００４１】
条件式（２）を満足する光学系は、上限値よりも小さい値を有する。光学系における値が小さくなるほど、その光学系では、光線高をより低く抑え易くなる。このようなことから、条件式（２）については、好ましい上限値を設定することができる。
【００４２】
上限値は、−０．１３０４９、−０．６、−１．０、−１．３のいずれかにすることが好ましい。また、−２０．０から−１．３までが、条件式（２）の最良の範囲と言える。
【００４３】
本実施形態の広角光学系は、第１空気レンズを有し、第１空気レンズは、以下の条件式（３）を満足する空気レンズであり、第３レンズ群に、第１空気レンズが設けられていることが好ましい。
−０．７＜ｆL／R3AF＜１．０      （３）
ここで、
R3AFは、第１空気レンズの物体側の面の曲率半径、
ｆLは、第１の位置における広角光学系の焦点距離、
である。
【００４４】
隣り合う２つのレンズの間には、空気層が形成されている。空気層の屈折率は、２つのレンズの屈折率よりも小さい。よって、空気層はレンズとして機能する。この空気層を、空気レンズという。空気レンズの物体側の面は、空気層の物体側に位置するレンズのレンズ面である。空気レンズの像側の面は、空気層の像側に位置するレンズのレンズ面である。
【００４５】
空気層の物体側に位置するレンズ面や、空気層の像側に位置するレンズ面が、回転対称非球面である場合、空気レンズの物体側の面の曲率半径や、空気レンズの像側の面の曲率半径は、光軸上での曲率半径（近軸曲率半径）になる。
【００４６】
第１空気レンズは、条件式（３）を満足する空気レンズである。第３レンズ群に第１空気レンズを設けることでも、所定の範囲で光線高を低くしつつ、球面収差とコマ収差を良好に補正することができる。その結果、高い分解能を有する広角光学系を実現することができる。また、画素数が多い撮像素子を使用しても、その画素数に応じた鮮明な画像を取得することができる。
【００４７】
条件式（３）の技術的意義は、条件式（１）の技術的意義を同じである。
【００４８】
第３レンズ群には、複数の空気層が形成されている。複数の空気層のうちの少なくとも１つが第１空気レンズであれば良い。
【００４９】
第１空気レンズは、両凸形状の空気層、又は、メニスカス形状の空気層であると良い。又は、第１空気レンズは、物体側から２番目に位置する空気層、又は、物体側から３番目に位置する空気層であれば良い。
【００５０】
条件式（３）に代えて、以下の条件式（３’）を満足すると良い。
−０．７＜ｆL／R3AF＜０．９      （３’）
また、条件式（３）に代えて、以下の条件式（３”）を満足するとなお良い。
−０．７＜ｆL／R3AF＜０．８      （３”）
【００５１】
条件式（３）を満足する光学系は、下限値よりも大きい値を有する。光学系における値が大きくなるほど、その光学系では、光線高をより低く抑え易くなる。
【００５２】
条件式（３）については、好ましい下限値を設定することができる。下限値は、−０．６５９４３、０．０、０．１、０．２のいずれかにすることが好ましい。また、０．２から０．７までが、条件式（３）の最良の範囲と言える。
【００５３】
第１空気レンズを設ける代わりに、第３レンズ群の最も像側に位置する負の接合レンズよりも像側に、負レンズを設けても良い。このようにすることでも、同様の効果を得ることができる。
【００５４】
本実施形態の広角光学系は、第１空気レンズを有し、第１空気レンズは、以下の条件式（４）を満足する空気レンズであり、第３レンズ群に、第１空気レンズが設けられていることが好ましい。
−２０．０＜（R3AF＋R3AR）／（R3AF−R3AR）＜１５．０      （４）
ここで、
R3AFは、第１空気レンズの物体側の面の曲率半径、
R3ARは、第１空気レンズの像側の面の曲率半径、
である。
【００５５】
第１空気レンズは、条件式（４）を満足する空気レンズである。第３レンズ群に第１空気レンズを設けることでも、所定の範囲で光線高を低くしつつも、球面収差とコマ収差を良好に補正することができる。その結果、高い分解能を有する広角光学系を実現することができる。また、画素数が多い撮像素子を使用しても、その画素数に応じた鮮明な画像を取得することができる。
【００５６】
条件式（４）の技術的意義は、条件式（１）の技術的意義を同じである。
【００５７】
条件式（４）に代えて、以下の条件式（４’）を満足すると良い。
−１７．０＜（R3AF＋R3AR）／（R3AF−R3AR）＜０．０      （４’）
また、条件式（４）に代えて、以下の条件式（４”）を満足するとなお良い。
−１４．０＜（R3AF＋R3AR）／（R3AF−R3AR）＜−０．２      （４”）
【００５８】
条件式（４）を満足する光学系は、上限値よりも小さい値を有する。光学系における値が小さくなるほど、その光学系では、光線高をより低く抑え易くなる。
【００５９】
条件式（４）については、好ましい上限値を設定することができる。上限値は、１０．２９２１８、−０．４９０６８、−０．６、−０．８、−１．０のいずれかにすることが好ましい。また、−４．０から−１．０までが、条件式（４）の最良の範囲と言える。
【００６０】
第１空気レンズを設ける代わりに、第３レンズ群の最も像側に位置する負の接合レンズよりも像側に、負レンズを設ける。そして、更に、条件式（４）、（４’）、及び（４”）のいずれかを満足しても良い。このようにすることでも、同様の効果を得ることができる。
【００６１】
本実施形態の広角光学系は、第１空気レンズを有し、第１空気レンズは、以下の条件式（５）を満足する空気レンズであり、第３レンズ群に、第１空気レンズが設けられていることが好ましい。
１．０＜D31／ｆL＜１０．０      （５）
ここで、
D31は、物体側レンズ成分の物体側の面と第１空気レンズの物体側の面との光軸上の距離、
ｆLは、第１の位置における広角光学系の焦点距離、
である。
【００６２】
第１空気レンズは、条件式（５）を満足する空気レンズである。第３レンズ群に第１空気レンズを設けることでも、所定の範囲で光線高を低くしつつも、球面収差とコマ収差を良好に補正することができる。その結果、高い分解能を有する広角光学系を実現することができる。また、画素数が多い撮像素子を使用しても、その画素数に応じた鮮明な画像を取得することができる。
【００６３】
一方、値が条件式（５）の上限値を上回る場合、光学系の全長が長くなる。値が条件式（５）の下限値を下回る場合、光線高が高くなる。そのため、第２レンズ群の外径と、第３レンズ群の一部の外径とが、大きくなる。その結果、光学ユニットの外径が増大する。
【００６４】
条件式（５）に代えて、以下の条件式（５’）を満足すると良い。
１．４＜D31／ｆL＜８．０      （５’）
また、条件式（５）に代えて、以下の条件式（５”）を満足するとなお良い。
１．７５＜D31／ｆL＜７．０      （５’）
【００６５】
条件式（５）を満足する光学系は、下限値よりも大きい値を有する。光学系における値が大きくなるほど、その光学系では、光線高をより低く抑え易くなる。
【００６６】
条件式（５）については、好ましい下限値を設定することができる。下限値は、１．８３８００、２．０、２．５、３．０のいずれかにすることが好ましい。また、３．０から６．０までが、条件式（５）の最良の範囲と言える。
【００６７】
第１空気レンズを設ける代わりに、第３レンズ群の最も像側に位置する負の接合レンズよりも像側に、負レンズを設ける。そして、D31における第１空気レンズの物体側の面を、当該負レンズの物体側の面に置き換える。この置き換えを行った条件式（５）、（５’）、及び（５”）のいずれかを満たすことでも、同様の効果を得ることができる。
【００６８】
本実施形態の広角光学系では、正の接合レンズは、負の接合レンズの物体側に配置されていることが好ましい。
【００６９】
この場合、第３レンズ群は、物体側から順に、正の接合レンズと、負の接合レンズと、を有する。このようにすることで、視野角が大きく、焦点位置の調整範囲内での収差が良好に補正され、高い分解能を有する広角光学系を実現することができる。また、所定の範囲で、光線高を低くすることができる。
【００７０】
正の接合レンズと負の接合レンズは、隣接していても良い。
【００７１】
上述のように、条件式（１）を満足するか、あるいは条件式（１）に加えて（２）乃至（５）の何れかを満足することにより、諸収差を悪化せずに、所定の範囲で光線高を低く抑えることができる。以下では、諸収差を更に良く補正するために好ましい構成や条件式について説明する。
【００７２】
条件式（１）を満足する場合、第３レンズ群の物体寄りに位置するレンズ成分で、光束が収斂される作用が強まる。そのため、所望のバックフォーカスの確保が難しくなる可能性が出てくるか、又は、球面収差の補正が難しくなる可能性が出てくる。
【００７３】
そこで、第３レンズ群が、少なくとも１つの負レンズ成分を含むと良い。このようにすることで、所望のバックフォーカスを容易に確保することができるか、又は、球面収差を容易に補正することができる。
【００７４】
本実施形態の広角光学系では、第３レンズ群は、複数の負レンズを有することが好ましい。
【００７５】
上述のように、第３レンズ群が１枚の負レンズを有することで、所望のバックフォーカスを容易に確保することができるか、又は、球面収差を容易に補正することができる。
【００７６】
第３レンズ群が２枚以上の負レンズを有することで、条件式（１）を満足する場合であっても、所望のバックフォーカスを確保することができるか、又は、球面収差だけでなく、像面湾曲と色収差を良好に補正することができる。
【００７７】
本実施形態の広角光学系では、第３レンズ群は、最も物体側の負レンズ成分よりも物体側に、複数の正レンズ成分を含むことが好ましい。
【００７８】
第３レンズ群は、最も物体側の負レンズ成分を有する。上述のように、第３レンズ群が１枚の負レンズを有することで、所望のバックフォーカスを容易に確保することができるか、又は、球面収差を容易に補正することができる。
【００７９】
更に、最も物体側の負レンズ成分よりも物体側に複数の正レンズ成分を含むことで、光線高を高くすることなく、所望のバックフォーカスをより容易に確保することができる。又は、光線高を高くすることなく、球面収差をより良好に補正することができる。
【００８０】
また、所望のバックフォーカスの確保に余裕がある場合や、球面収差の補正に余裕がある場合、更に光線高を低く抑えることが可能となる。
【００８１】
本実施形態の広角光学系では、最も物体側の負レンズ成分よりも物体側に、正の接合レンズが配置され、以下の条件式（６）を満足することが好ましい。
０．５＜ｆ3C／ｆL＜１５      （６）
ここで、
ｆ3Cは、正の接合レンズの焦点距離、
ｆLは、第１の位置における広角光学系の焦点距離、
である。
【００８２】
第３レンズ群は、最も物体側の負レンズ成分を有する。上述のように、第３レンズ群が１枚の負レンズを有することで、所望のバックフォーカスを容易に確保することができるか、又は、球面収差を容易に補正することができる。
【００８３】
更に、最も物体側の負レンズ成分よりも物体側に正の接合レンズを配置し、条件式（６）を満足することで、コマ収差の悪化を防ぐことができる。
【００８４】
値が条件式（６）の上限値を上回る場合、光線高をさらに低く抑える効果が弱まる。値が条件式（６）の下限値を下回る場合、球面収差の発生を抑える効果と、コマ収差の発生を抑える効果が弱まる。
【００８５】
条件式（６）に代えて、以下の条件式（６’）を満足すると良い。
０．５＜ｆ3C／ｆL＜１２      （６’）
また、条件式（６）に代えて、以下の条件式（６”）を満足するとなお良い。
０．５＜ｆ3C／ｆL＜１０．５      （６”）
【００８６】
条件式（６）を満足する光学系は、上限値よりも小さい値を有する。光学系における値が小さくなるほど、その光学系では、光線高をより低く抑え易くなる。
【００８７】
条件式（６）については、好ましい上限値を設定することができる。上限値は、１０．１３９７１、９．０、８．０、７．０のいずれかにすることが好ましい。また、１．５から６．０までが、条件式（６）の最良の範囲と言える。
【００８８】
本実施形態の広角光学系では、第３レンズ群は、第１レンズ成分と、第２レンズ成分と、第３レンズ成分と、を有し、第１レンズ成分は、単レンズであり、第２レンズ成分と第３レンズ成分は、接合レンズであることが好ましい。
【００８９】
本実施形態の広角光学系は、条件式（１）を満足している。よって、本実施形態の広角光学系では、所定の範囲で光線高が低く保たれた状態を実現することができる。第１レンズ成分を単レンズとし、第２レンズ成分と第３レンズ成分を接合レンズにすることで、この状態を維持しつつも、諸収差、特に、色収差や像面湾曲を良好に補正することができる
【００９０】
本実施形態の広角光学系では、第３レンズ群は、複数の正レンズを有し、複数の正レンズは、第１正レンズと、第２正レンズと、を有し、第１正レンズは、複数の正レンズのなかで、最も物体側に位置する正レンズであり、第２正レンズは、複数の正レンズのなかで、物体側から２番目に位置する正レンズであり、以下の条件式（７）を満足することが好ましい。
−７０＜ν31P−ν32P＜２０      （７）
ここで、
ν31Pは、第１正レンズのアッベ数
ν32Pは、第２正レンズのアッベ数、
である。
【００９１】
上述のように、条件式（１）を満足する場合、第３レンズ群の物体寄りに位置するレンズ成分で、光束が収斂される作用が強まる。そのため、所望のバックフォーカスの確保が難しくなる可能性が出てくるか、又は、球面収差の補正が難しくなる可能性が出てくる。また、場合によっては、軸上色収差と倍率色収差を、一緒に補正することが困難になる。
【００９２】
条件式（７）を満足することで、条件式（１）を満足する場合であっても、所望のバックフォーカスを確保することができるか、又は、球面収差だけでなく、軸上色収差と倍率色収差を、一緒に良好に補正することができる。
【００９３】
値が条件式（７）の上限値を上回る場合、軸上色収差が補正過剰気味、あるいは倍率色収差が補正不足気味になり易い。値が条件式（７）の下限値を下回る場合、軸上色収差が補正不足気味、あるいは倍率色収差が補正過剰気味になり易い。いずれの場合も、高い分解能を有する広角光学系の実現という面で不利になる。また、画素数が多い撮像素子を使用しても、その画素数に応じた鮮明な画像の取得の面で不利になる。
【００９４】
条件式（７）に代えて、以下の条件式（７’）を満足すると良い。
−６５＜ν31P−ν32P＜１５      （７’）
また、条件式（７）に代えて、以下の条件式（７”）を満足するとなお良い。
−６０＜ν31P−ν32P＜１０      （７”）
【００９５】
条件式（７）を満足する光学系は、上限値よりも小さい値を有する。光学系における値が小さくなるほど、その光学系では、軸上色収差と倍率色収差を、一緒により良好に補正し易くなる。
【００９６】
条件式（７）については、好ましい上限値を設定することができる。上限値は、６．３５、０．０、−８．０、−１５．０のいずれかにすることが好ましい。また、−６０．０から−２０．０までが、条件式（７）の最良の範囲と言える。
【００９７】
本実施形態の広角光学系では、第３レンズ群は、複数の正レンズを有し、複数の正レンズは、第１正レンズと、第２正レンズと、第３正レンズと、を有し、第１正レンズは、複数の正レンズのなかで、最も物体側に位置する正レンズであり、第２正レンズは、複数の正レンズのなかで、物体側から２番目に位置する正レンズであり、第３正レンズは、複数の正レンズのなかで、物体側から３番目に位置する正レンズであり、以下の条件式（８）を満足することが好ましい。
−４０＜ν33P−（ν31P＋ν32P）／２＜６０      （８）
ここで、
ν31Pは、第１正レンズのアッベ数
ν32Pは、第２正レンズのアッベ数、
ν33Pは、第３正レンズのアッベ数、
である。
【００９８】
上述のように、条件式（１）を満足する場合、第３レンズ群の物体寄りに位置するレンズ成分で、光束が収斂される作用が強まる。そのため、所望のバックフォーカスの確保が難しくなる可能性が出てくるか、又は、球面収差の補正が難しくなる可能性が出てくる。また、場合によっては、軸上色収差と倍率色収差を、一緒に補正することが困難になる。
【００９９】
条件式（８）を満足することで、条件式（１）を満足する場合であっても、所望のバックフォーカスを確保することができるか、又は、球面収差だけなく、軸上色収差と倍率色収差を、一緒に良好に補正することができる。
【０１００】
値が条件式（８）の上限値を上回る場合、軸上色収差が補正不足気味、あるいは倍率色収差が補正過剰気味になり易い。値が条件式（８）の下限値を下回る場合、軸上色収差が補正不足気味、あるいは倍率色収差が補正過剰気味になり易い。いずれの場合も、高い分解能を有する広角光学系の実現という面で不利になる。また、画素数が多い撮像素子を使用しても、その画素数に応じた鮮明な画像の取得の面で不利になる。
【０１０１】
条件式（８）に代えて、以下の条件式（８’）を満足すると良い。
−３５＜ν33P−（ν31P＋ν32P）／２＜６０      （８’）
また、条件式（８）に代えて、以下の条件式（８”）を満足するとなお良い。
−３２＜ν33P−（ν31P＋ν32P）／２＜６０      （８”）
【０１０２】
条件式（８）を満足する光学系は、下限値よりも大きい値を有する。光学系における値が大きくなるほど、その光学系では、軸上色収差と倍率色収差を一緒に、より良好に補正し易くなる。
【０１０３】
条件式（８）については、好ましい下限値を設定することができる。下限値は、−３１．０１、−５．０、０．０、５．０のいずれかにすることが好ましい。また、１０．０から６０．０までが、条件式（８）の最良の範囲と言える。
【０１０４】
本実施形態の広角光学系では、第３レンズ群は、複数の負レンズを有し、複数の負レンズは、第１負レンズと、第２負レンズと、を有し、第１負レンズは、複数の負レンズのなかで、最も物体側に位置する負レンズであり、第２負レンズは、複数の負レンズのなかで、物体側から２番目に位置する負レンズであり、以下の条件式（９）を満足することが好ましい。
−１０＜ν31N−ν32N＜４０      （９）
ここで、
ν31Nは、第１負レンズのアッベ数、
ν32Nは、第２負レンズのアッベ数、
である。
【０１０５】
上述のように、条件式（１）を満足する場合、第３レンズ群の物体寄りに位置するレンズ成分で、光束が収斂される作用が強まる。そのため、所望のバックフォーカスの確保が難しくなる可能性が出てくるか、又は、球面収差の補正が難しくなる可能性が出てくる。また、場合によっては、軸上色収差と倍率色収差を、一緒に補正することが困難になる。
【０１０６】
条件式（９）を満足することで、条件式（１）を満足する場合であっても、所望のバックフォーカスを確保することができるか、又は、球面収差だけなく、軸上色収差と倍率色収差を、一緒に良好に補正することができる。
【０１０７】
値が条件式（９）の上限値を上回る場合、軸上色収差が補正不足気味、あるいは倍率色収差が補正過剰気味になり易い。値が条件式（９）の下限値を下回る場合、軸上色収差が補正不足気味、あるいは倍率色収差が補正過剰気味になり易い。いずれの場合も、高い分解能を有する広角光学系の実現という面で不利になる。また、画素数が多い撮像素子を使用しても、その画素数に応じた鮮明な画像の取得の面で不利になる。
【０１０８】
条件式（９）に代えて、以下の条件式（９’）を満足すると良い。
−７＜ν31N−ν32N＜４０      （９’）
また、条件式（９）に代えて、以下の条件式（９”）を満足するとなお良い。
−４＜ν31N−ν32N＜４０      （９”）
【０１０９】
条件式（９）を満足する光学系は、下限値よりも大きい値を有する。光学系における値が大きくなるほど、その光学系では、軸上色収差と倍率色収差を、より良好に補正し易くなる。
【０１１０】
条件式（９）については、好ましい下限値を設定することができる。下限値は、−９．４６、−５．０、０．０、５．０のいずれかにすることが好ましい。また、１０．０から４０．０までが、条件式（９）の最良の範囲と言える。
【０１１１】
本実施形態の広角光学系では、第３レンズ群は、最も像側の負レンズ成分よりも像側に、３つ以上の正レンズを含むことが好ましい。
【０１１２】
上述のように、条件式（１）を満足する場合、第３レンズ群の物体寄りに位置するレンズ成分で、光束が収斂される作用が強まる。そのため、所望のバックフォーカスの確保が難しくなる可能性が出てくるか、又は、球面収差の補正が難しくなる可能性が出てくる。また、場合によっては、像面湾曲と色収差を補正することが困難になる。色収差の補正では、特に、倍率色収差の補正が困難になる。
【０１１３】
最も像側の負レンズ成分よりも像側に３つ以上の正レンズを含むことで、光線高を高くすることなく、所望のバックフォーカスをより容易に確保することができる。又は、光線高を高くすることなく、球面収差だけでなく、像面湾曲と色収差を、より良好に補正することができる。色収差の補正では、特に、倍率色収差を、より良好に補正することができる。
【０１１４】
本実施形態の広角光学系は、第２空気レンズを有し、第２空気レンズは、以下の条件式（１０）を満足する空気レンズであり、第３レンズ群に、第２空気レンズが設けられていることが好ましい。
−３．０＜SFRA＜５．０      （１０）
ここで、
SFRA＝（RRAF＋RRAR）／（RRAF−RRAR）であり、
RRAFは、第２空気レンズの物体側の面の曲率半径、
RRARは、第２空気レンズの像側の面の曲率半径、
である。
【０１１５】
上述のように、隣り合う２つのレンズの間には、空気層が形成されている。空気層の屈折率は、２つのレンズの屈折率よりも小さい。よって、空気層はレンズとして機能する。この空気層は、空気レンズである。空気レンズの物体側の面は、空気層の物体側に位置するレンズのレンズ面である。空気層の像側の面は、空気層の像側に位置するレンズのレンズ面である。
【０１１６】
ただし、第２空気レンズでは、物体側に位置するレンズと像側に位置するレンズは、単レンズか、又は、接合レンズである。レンズと平行平板との間にも、空気層が形成される。このような空気層は、第２空気レンズには含まれない。
【０１１７】
上述のように、条件式（１）を満足する場合、第３レンズ群の物体寄りに位置するレンズ成分で、光束が収斂される作用が強まる。そのため、所望のバックフォーカスの確保が難しくなる可能性が出てくるか、又は、球面収差の補正が難しくなる可能性が出てくる。また、場合によっては、非点収差とコマ収差を補正することが困難になる。
【０１１８】
条件式（１０）を満足することで、条件式（１）を満足する場合であっても、所望のバックフォーカスを確保することができるか、又は、球面収差だけでなく、非点収差とコマ収差を、良好に補正することができる。
【０１１９】
値が条件式（１０）の上限値を上回る場合、非点収差とコマ収差の補正の面で不利になりやすく、値が条件式（１０）の下限値を下回る場合、光線高を低く抑える面で不利になりやすい。
【０１２０】
第３レンズ群には、複数の空気層が形成されている。複数の空気層のうちの少なくとも１つが第２空気レンズであれば良い。
【０１２１】
第２空気レンズは、両凹形状の空気層、又は、メニスカス形状の空気層であると良い。又は、第２空気レンズは、物体側から４番目に位置する空気層、又は、物体側から５番目に位置する空気層であれば良い。
【０１２２】
条件式（１０）に代えて、以下の条件式（１０’）を満足すると良い。
−２．０＜SFRA＜４．０      （１０’）
また、条件式（１０）に代えて、以下の条件式（１０”）を満足するとなお良い。
−１．５＜SFRA＜３．０      （１０”）
【０１２３】
条件式（１０）を満足する光学系は、上限値よりも小さい値を有する。光学系における値が小さくなるほど、その光学系では、非点収差とコマ収差を、より良好に補正し易くなる。
【０１２４】
条件式（１０）については、好ましい上限値を設定することができる。上限値は、１．７２６８４、１．４、１．２、１．０のいずれかにすることが好ましい。また、−０．７から１．０までが、条件式（１０）の最良の範囲と言える。
【０１２５】
本実施形態の広角光学系では、第３レンズ群は焦点位置調節時には固定であることが好ましい。
【０１２６】
第３レンズ群は、レンズ成分の枚数が多い。また、第３レンズ群では、製造誤差感度が高くなる傾向強い。そのため、第３レンズ群は、焦点位置調節時には固定とするのが好ましい。
【０１２７】
上述のように、条件式（１）を満足するか、あるいは条件式（１）に加えて（２）乃至（５）の何れかを満足することにより、諸収差を悪化せずに、所定の範囲で光線高を低く抑えることができる。
【０１２８】
以下では、第１レンズ群における好ましい構成や条件式と、第２レンズ群における好ましい構成や条件式を説明する。
【０１２９】
本実施形態の広角光学系は、以下の条件式（１１）を満足することが好ましい。
−５０＜（R21F＋R21R）／（R21F−R21R）＜−１．０      （１１）
ここで、
R21Fは、所定のレンズ成分の物体側の面の曲率半径、
R21Rは、所定のレンズ成分の像側の面の曲率半径、
所定のレンズ成分は、第２レンズ群で最も物体側に位置するレンズ成分、
である。
【０１３０】
値が条件式（１１）の上限値を上回る場合、焦点位置調節時の球面収差の変動、あるいは非点収差の変動が大きくなり易い。値が条件式（１１）の下限値を下回る場合、偏心によるコマ収差の劣化と非点収差の劣化が起こり易い。上述のように、偏心は、第２レンズ群の移動によって発生する。
【０１３１】
条件式（１１）に代えて、以下の条件式（１１’）を満足すると良い。
−４０＜（R21F＋R21R）／（R21F−R21R）＜−１．５      （１１’）
また、条件式（１１）に代えて、以下の条件式（１１”）を満足するとなお良い。
−３０＜（R21F＋R21R）／（R21F−R21R）＜−２．５      （１１”）
【０１３２】
条件式（１１）を満足する光学系は、上限値よりも小さい値を有する。光学系における値が小さくなるほど、その光学系では、焦点位置調節時の球面収差あるいは非点収差をより良好に補正し易くなる。
【０１３３】
条件式（１１）については、好ましい上限値を設定することができる。上限値は、−４．８９２１１、−５．０、−６．０、−７．０のいずれかにすることが好ましい。また、−３０．０から−８．０までが、条件式（１１）の最良の範囲と言える。
【０１３４】
本実施形態の広角光学系は、以下の条件式（１２）を満足することが好ましい。
０．０＜D21／ｆL＜３．０      （１２）
ここで、
D21は、第２レンズ群の最も物体側の面と最も像側の面との光軸上の距離、
ｆLは、第１の位置における広角光学系の焦点距離、
【０１３５】
値が条件式（１２）の上限値を上回る場合、第２レンズ群の重量が増加するか、又は、光線高が高くなる。このように、第２レンズ群における重量の増加の抑制という点、又は、光線高の増加の抑制という点で不利になり易い。
【０１３６】
値が条件式（１２）の下限値を下回る場合、２つの制御の両立が困難になる。一方の制御は、焦点位置調節時の球面収差の変動の抑制、あるいは非点収差の変動の抑制である。他方の制御は、偏心によるコマ収差の劣化の抑制、あるいは非点収差の劣化の抑制である。偏心は、焦点位置調節時の移動群の移動によって発生する。
【０１３７】
条件式（１２）に代えて、以下の条件式（１２’）を満足すると良い。
０．２＜D21／ｆL＜２．５      （１２’）
また、条件式（１２）に代えて、以下の条件式（１２”）を満足するとなお良い。
０．４＜D21／ｆL＜２．０      （１２”）
【０１３８】
条件式（１２）を満足する光学系は、下限値よりも大きい値を有する。光学系における値が大きくなるほど、その光学系では、上述の２つの抑制の両立が行い易くなる。
【０１３９】
条件式（１２）については、好ましい下限値を設定することができる。下限値は、０．４１６７８６、０．４２、０．４３、０．４４のいずれかにすることが好ましい。また、０．４５から２．０までが、条件式（１２）の最良の範囲と言える。
【０１４０】
本実施形態の広角光学系は、以下の条件式（１３）を満足することが好ましい。
１．０１＜β2F＜１．３５      （１３）
ここで、
β2Fは、第１の位置における第２レンズ群の倍率、
である。
【０１４１】
値が条件式（１３）の上限値を上回る場合、第２レンズ群の移動量に対するピント移動量（以下、「フォーカス感度」という）が高くなりすぎる。この場合、第２レンズ群を停止させるときの精度（以下、「停止精度」という）が高くなりすぎる。そのため、移動機構が複雑になる。
【０１４２】
値が条件式（１３）の下限値を下回る場合、フォーカス感度が低くなり易い。この場合、第２レンズ群の移動量が増えるので、移動のための空間を広くしなくてはならない。そのため、光学ユニットが大きくなる。
【０１４３】
条件式（１３）に代えて、以下の条件式（１３’）を満足すると良い。
１．０３＜β2F＜１．３０      （１３’）
また、条件式（１３）に代えて、以下の条件式（１３”）を満足するとなお良い。
１．０５＜β2F＜１．２５      （１３”）
【０１４４】
本実施形態の広角光学系は、以下の条件式（１４）を満足することが好ましい。
１．０１＜β2N／β2F＜１．１５      （１４）
ここで、
β2Fは、第１の位置における第２レンズ群の倍率、
β2Nは、第２の位置における第２レンズ群の倍率、
である。
【０１４５】
条件式（１４）を満足する場合、遠点における焦点距離が短くなるので、遠点において広い画角を確保することができる。また、近点における焦点距離が長くなるので、近点において高い倍率が得られる。
【０１４６】
遠点で広い画角を有し、近点で高い倍率を有する光学系は、内視鏡の光学系に適している。よって、本実施形態の広角光学系は、内視鏡の光学系として用いることができる。
【０１４７】
内視鏡では、例えば、広い範囲を観察して病変部の有無を確認する。そして、病変部が確認された場合、病変部を拡大して詳しく観察する。そのため、内視鏡の光学系は、遠点観察では広い画角を有し、近点観察では高い倍率を有していることが好ましい。
【０１４８】
また、近点観察では、病変部を詳細に観察する必要がある。よって、内視鏡の光学系では、高い精度で合焦できることが好ましい。
【０１４９】
値が条件式（１４）の上限値を上回る場合、近点側でのフォーカス感度が高くなる。この場合、近点側での停止精度が高くなる。そのため、高い精度で合焦することが困難になる。値が条件式（１４）の下限値を下回る場合、遠点観察における広い画角の確保と、近点観察における高い倍率の確保が困難になる。そのため、内視鏡の光学系には適さなくなる。
【０１５０】
条件式（１４）に代えて、以下の条件式（１４’）を満足すると良い。
１．０２＜β2N／β2F＜１．１２      （１４’）
また、条件式（１４）に代えて、以下の条件式（１４”）を満足するとなお良い。
１．０３＜β2N／β2F＜１．０９      （１４”） 
【０１５１】
本実施形態の広角光学系は、以下の条件式（１５）を満足することが好ましい。
０．１０＜（１−β2F2）×β3F2＜０．３５      （１５）
ここで、
β2Fは、第１の位置における第２レンズ群の倍率、
β3Fは、第１の位置における第３レンズ群の倍率、
である。
【０１５２】
値が条件式（１５）の上限値を上回る場合、遠点側でのフォーカス感度が高くなりすぎる。この場合、遠点側での停止精度が高くなる。値が条件式（１５）の下限値を下回る場合、遠点側でのフォーカス感度が低くなり易い。この場合、第２レンズ群の移動量が増えるので、移動のための空間を広くしなくてはならない。そのため、光学ユニットが大きくなる。
【０１５３】
条件式（１５）に代えて、以下の条件式（１５’）を満足すると良い。
０．１０＜（１−β2F2）×β3F2＜０．３０      （１５’）
また、条件式（１５）に代えて、以下の条件式（１５”）を満足するとなお良い。
０．１０＜（１−β2F2）×β3F2＜０．２５      （１５”）
【０１５４】
本実施形態の広角光学系は、以下の条件式（１６）を満足することが好ましい。
０．２０＜（１−β2N2）×β3N2＜０．５０      （１６）
ここで、
β2Nは、第２の位置における第２レンズ群の倍率、
β3Nは、第２の位置における第３レンズ群の倍率、
である。
【０１５５】
値が条件式（１６）の上限値を上回る場合、近点側でのフォーカス感度が高くなりすぎる。この場合、近点側での停止精度が高くなる。値が条件式（１６）の下限値を下回る場合、近点側でのフォーカス感度が低くなり易い。この場合、第２レンズ群の移動量が増えるので、移動のための空間を広くしなくてはならない。
【０１５６】
条件式（１６）に代えて、以下の条件式（１６’）を満足すると良い。
０．２０＜（１−β2N2）×β3N2＜０．４５      （１６’）
また、条件式（１６）に代えて、以下の条件式（１６”）を満足するとなお良い。
０．２０＜（１−β2N2）×β3N2＜０．４０      （１６”） 
【０１５７】
本実施形態の広角光学系では、第２レンズ群は、正の屈折力を有することが好ましい。
【０１５８】
このようにすることで、焦点位置調節時の非点収差の変動を小さくすることができる。
【０１５９】
本実施形態の広角光学系では、第１レンズ群は、複数の負レンズを有することが好ましい。
【０１６０】
第１レンズ群には、アクチュエーターを配置する必要はない。しかしながら、広い画角を確保するために、第１レンズ群の外径が大きくなり易い。第１レンズ群の外径を小さくするには、第１レンズ群の負の屈折力を大きくすれば良い。負の屈折力を大きくすると、軸外収差、特に、非点収差が発生し易い。
【０１６１】
第１レンズ群に複数の負レンズを配置することで、第１レンズ群の負の屈折力を、複数の負レンズに分担させることができる。その結果、第１レンズ群の負の屈折力を大きくしても、軸外収差、特に非点収差を良好に補正することができる。
【０１６２】
本実施形態の広角光学系では、第１レンズ群は、複数の負レンズ成分を有し、複数の負レンズ成分は、第１負レンズ成分と、第２負レンズ成分と、を有し、第２負レンズ成分は、複数の負レンズ成分のなかで、物体側から２番目に位置する負レンズ成分であることが好ましい。
【０１６３】
第１レンズ群に複数の負レンズ成分を配置することで、第１レンズ群の負の屈折力を、複数の負レンズ成分に分担させることができる。その結果、第１レンズ群の負の屈折力を大きくしても、軸外収差、特に非点収差を良好に補正することができる。
【０１６４】
本実施形態の広角光学系では、第１レンズ群は、複数の負レンズ成分と、正レンズ成分と、を有するか、又は、複数の負レンズ成分を有し、複数の負レンズ成分は、第１負レンズ成分と、第２負レンズ成分と、を有し、第２負レンズ成分は、複数の負レンズ成分のなかで、物体側から２番目に位置する負レンズ成分であることが好ましい。
【０１６５】
このようにすることで、第１レンズ群の外径を小さくしつつ、軸外収差、特に、非点収差と倍率色収差を良好に補正することができる。
【０１６６】
広い画角を確保すると共に、光学系に中の光線高を低く抑えるためには、第１レンズ群に大きな負の屈折力を持たせることが必要である。第１レンズ群が複数の負レンズ成分と正レンズ成分を有する場合、複数の負レンズ成分を正レンズ成分よりも物体側に配置することで、より光線高を低く抑えられる。その結果、第１レンズ群の外径を小さくすることができる。
【０１６７】
本実施形態の広角光学系では、屈折力を持たない光学素子、例えば、光学フィルタを光学系の物体側、又は光学系の中に位置することができる。光学フィルタを光学系の物体側に配置する場合、光学フィルタの外径は、第１レンズ群の外径とほぼ同じになる。上述のように、本実施形態の広角光学系では、第１レンズ群の外径を小さくすることができる。よって、光学フィルタの外径も小さくすることができる。
【０１６８】
本実施形態の広角光学系では、第１レンズ群は、複数の負レンズ成分を有し、複数の負レンズ成分は、第１負レンズ成分と、第２負レンズ成分と、を有し、第１負レンズ成分は、複数の負レンズ成分のなかで、最も物体側に位置する負レンズ成分であり、第２負レンズ成分は、複数の負レンズ成分のなかで、物体側から２番目に位置する負レンズ成分であることが好ましい。
【０１６９】
広い画角を確保すると共に、光学系に中の光線高を低く抑えるためには、第１レンズ群に大きな負の屈折力を持たせることが必要である。第１レンズ群に第１負レンズ成分と第２負レンズ成分を配置することで、第１レンズ群の負の屈折力を、２つの負レンズ成分に分担させることができる。その結果、第１レンズ群の負の屈折力を大きくしても、軸外収差、特に非点収差を良好に補正することができる。
【０１７０】
第２負レンズ成分は、例えば、物体側から２番目に位置する負の単レンズ、又は、物体側から２番目に位置する負の接合レンズである。第２負レンズ成分が接合レンズの場合、接合レンズは、正レンズと負レンズとで形成すれば良い。正レンズが物体側に位置していても、負レンズが物体側に位置していても良い。
【０１７１】
本実施形態の広角光学系は、以下の条件式（１７）を満足することが好ましい。
−２．０＜ｆL／R12F＜５．０        （１７）
ここで、    
R12Fは、第２負レンズ成分の物体側の面の曲率半径、
ｆLは、第１の位置における広角光学系の焦点距離、
である。
【０１７２】
値が条件式（１７）の上限値を上回る場合、第１レンズ群での光線高が高くなり易い。値が条件式（１７）の下限値を下回る場合、非点収差が発生し易い。
【０１７３】
条件式（１７）に代えて、以下の条件式（１７’）を満足すると良い。
−１．５＜ｆL／R12F＜４．６      （１７’）
また、条件式（１７）に代えて、以下の条件式（１７”）を満足するとなお良い。
−１．０＜ｆL／R12F＜４．２      （１７”）
【０１７４】
条件式（１７）を満足する光学系は、上限値よりも小さい値を有する。光学系における値が小さくなるほど、その光学系では、光線高をより低く抑え易くなる。
【０１７５】
条件式（１７）については、好ましい上限値を設定することができる。上限値は、４．１５８０９５、３．０、１．５、０．０のいずれかにすることが好ましい。また、−０．５から−０．１までが、条件式（１７）の最良の範囲と言える。
【０１７６】
広い画角を確保し、収差を良好に補正するためには、光学系において最も物体側に位置するレンズ面は、平面、又は、物体側に凸の面にすることが好ましい。また、このようなレンズ面を持つ光学系は、内視鏡の光学系として適している。
【０１７７】
最も物体側に位置するレンズ面を平面、又は、物体側に凸の面をにする場合、第２負レンズ成分の物体側面を強い発散面にすることが好ましい。条件式（１７）を満足することで、第２負レンズ成分の物体側面を強い発散面にすることができる。
【０１７８】
本実施形態の広角光学系は、以下の条件式（１８）を満足することが好ましい。
１００×｜ｆfin｜＜｜Ｒfin｜      （１８）
ここで、
ｆfinは、像側レンズ成分の焦点距離、
Ｒfinは、像側レンズ成分の像側の面の曲率半径、
像側レンズ成分は、複数のレンズ成分のなかで、最も像側に位置するレンズ成分、
である。
【０１７９】
本実施形態の広角光学系では、所定の範囲で光線高を低く抑え、更に、軸外光線群の像面に対する入射角度を小さく抑えている。そのためには、第３レンズ群における屈折力の並びを、例えば、物体側から、正屈折力、負屈折力、正屈折力にすると良い。
【０１８０】
条件式（１８）の下限値を下回る場合、非点収差が悪化してしまう。そのため、第３レンズ群が上述の屈折力の並びを有する場合は、特に、条件式（１８）を満足することが望ましい。
【０１８１】
本実施形態の広角光学系は、像側レンズ成分と、屈折力がゼロの光学素子と、を有し、像側レンズ成分は、複数のレンズ成分のなかで、最も像側に位置し、光学素子は、像側レンズ成分の像側に位置し、像側レンズ成分と光学素子は接合されていることが好ましい。
【０１８２】
光学系では、像側レンズ成分と像面との間に、屈折力がゼロの光学素子が配置されることが多い。屈折力がゼロの光学素子は、例えば、光学フィルタ、又は、プリズムである。像側レンズ成分と光学素子を接合することで、偏心による結像性能の劣化を防止することができる。
【０１８３】
本実施形態の広角光学系は、以下の条件式（１９）を満足することが好ましい。
２ｙmax＜ｆL×ｔａｎωmax      （１９）
ここで、
ｙmaxは、最大像高、
ωmaxは、最大像高に対応した画角、
ｆLは、第１の位置における広角光学系の焦点距離、
である。
【０１８４】
本実施形態の広角光学系は、高い分解能を有すると共に、焦点位置調節に必要なアクチュエーターを配置して外径が小さな光学系である。よって、本実施形態の広角光学系は、内視鏡の光学系に用いることができる。
【０１８５】
本実施形態の広角光学系を内視鏡の光学系に用いるためには、例えば、１００度以上の画角が確保されることが好ましい。１００度以上の画角を有する光学系では、歪曲収差の発生が許容されている。よって、このような光学系は、以下の式（Ａ）を満足していない。式（Ａ）歪曲収差のない条件である。
ｙmax＝ｆL×ｔａｎωmax      （Ａ）
【０１８６】
その代わりに、本実施形態の広角光学系は、条件式（１９）を満足している。条件式（１９）を満足することで、広い画角を確保しつつ、光学ユニットの外径を小さくすることができる。よって、本実施形態の広角光学系を、内視鏡の光学系に用いることができる。
【０１８７】
本実施形態の広角光学系は、以下の条件式（２０）を満足することが好ましい。
ＥＲ＜４×ｆL／ＦEX      （２０）
ここで、
ＥＲは、負の接合レンズの最も像側の面の有効半径、
ＦEXは、第１の位置における有効Ｆ値、
ｆLは、第１の位置における広角光学系の焦点距離、
である。
【０１８８】
条件式（２０）は、光線高に関する条件式である。条件式（２０）を満足することで、本実施形態の広角光学系を内視鏡の光学系に用いることができる。有効半径は、面における最外光線高で決まる。
【０１８９】
本実施形態の撮像装置は、光学系と、像面に配置された撮像素子と、を有し、撮像素子は撮像面を有し、且つ光学系によって撮像面上に形成された像を電気信号に変換し、光学系が上述の広角光学系であることを特徴する。
【０１９０】
実施形態の撮像装置によれば、画素数が多い撮像素子を使用しても、その画素数に応じた鮮明な画像を取得することができる。
【０１９１】
以下に、広角光学系の実施例を、図面に基づいて詳細に説明する。なお、この実施例によりこの発明が限定されるものではない。
【０１９２】
各実施例のレンズ断面図について説明する。（ａ）は遠点における断面図、（ｂ）は近点における断面図である。
【０１９３】
第１レンズ群はＧ１、第２レンズ群はＧ２、第３レンズ群はＧ３、明るさ絞りはＳ、フィルタはＦ、カバーガラスはＣ、プリズムはＰ、像面（撮像面）はＩで示してある。
【０１９４】
各実施例の収差図について説明する。収差図は、遠点における収差図、近点における収差図の順に示している。遠点における収差図では、（ａ）は球面収差（ＳＡ）、（ｂ）は非点収差（ＡＳ）、（ｃ）は倍率色収差（ＣＣ）、（ｄ）は歪曲収差（ＤＴ）を示している。近点における収差図では、（ｅ）は球面収差（ＳＡ）、（ｆ）は非点収差（ＡＳ）、（ｇ）は倍率色収差（ＣＣ）、（ｈ）は歪曲収差（ＤＴ）を示している。
【０１９５】
実施例１の広角光学系は、物体側から順に、負の屈折力を有する第１レンズ群Ｇ１と、正の屈折力を有する第２レンズ群Ｇ２と、正の屈折力を有する第３レンズ群Ｇ３と、を有する。
【０１９６】
第１レンズ群Ｇ１は、平凹負レンズＬ１と、両凹負レンズＬ２と、両凸正レンズＬ３と、を有する。
【０１９７】
第２レンズ群Ｇ２は、物体側に凸面を向けた正メニスカスレンズＬ４を有する。
【０１９８】
第３レンズ群Ｇ３は、両凸正レンズＬ５と、像側に凸面を向けた負メニスカスレンズＬ６と、両凸正レンズＬ７と、両凹負レンズＬ８と、物体側に凸面を向けた負メニスカスレンズＬ９と、両凸正レンズＬ１０と、両凸正レンズＬ１１と、像側に凸面を向けた負メニスカスレンズＬ１２と、を有する。
【０１９９】
両凸正レンズＬ５と負メニスカスレンズＬ６とが接合されている。両凸正レンズＬ１１と負メニスカスレンズＬ１２とが接合されている。
【０２００】
第１レンズ群Ｇ１中に、フィルタＦが配置されている。第２レンズ群Ｇ２と第３レンズ群Ｇ３との間に、明るさ絞りＳが配置されている。第３レンズ群Ｇ３の像側に、カバーガラスＣが配置されている。
【０２０１】
焦点位置の調節では、第２レンズ群Ｇ２が移動する。遠点から近点への調節時、第２レンズ群Ｇ２は像側に移動する。
【０２０２】
実施例２の広角光学系は、物体側から順に、負の屈折力を有する第１レンズ群Ｇ１と、正の屈折力を有する第２レンズ群Ｇ２と、正の屈折力を有する第３レンズ群Ｇ３と、を有する。
【０２０３】
第１レンズ群Ｇ１は、平凹負レンズＬ１と、両凹負レンズＬ２と、物体側に凸面を向けた正メニスカスレンズＬ３と、を有する。
【０２０４】
第２レンズ群Ｇ２は、物体側に凸面を向けた正メニスカスレンズＬ４を有する。
【０２０５】
第３レンズ群Ｇ３は、物体側に凸面を向けた正メニスカスレンズＬ５と、物体側に凸面を向けた負メニスカスレンズＬ６と、両凸正レンズＬ７と、像側に凸面を向けた正メニスカスレンズＬ８と、両凹負レンズＬ９と、両凸正レンズＬ１０と、物体側に凸面を向けた正メニスカスレンズＬ１１と、を有する。
【０２０６】
負メニスカスレンズＬ６と両凸正レンズＬ７とが接合されている。正メニスカスレンズＬ８と両凹負レンズＬ９とが接合されている。
【０２０７】
第１レンズ群Ｇ１中に、フィルタＦが配置されている。第２レンズ群Ｇ２と第３レンズ群Ｇ３との間に、明るさ絞りＳが配置されている。第３レンズ群Ｇ３の像側に、カバーガラスＣが配置されている。
【０２０８】
焦点位置の調節では、第２レンズ群Ｇ２が移動する。遠点から近点への調節時、第２レンズ群Ｇ２は像側に移動する。
【０２０９】
実施例３の広角光学系は、物体側から順に、負の屈折力を有する第１レンズ群Ｇ１と、正の屈折力を有する第２レンズ群Ｇ２と、正の屈折力を有する第３レンズ群Ｇ３と、を有する。
【０２１０】
第１レンズ群Ｇ１は、平凹負レンズＬ１と、両凹負レンズＬ２と、物体側に凸面を向けた正メニスカスレンズＬ３と、を有する。
【０２１１】
第２レンズ群Ｇ２は、物体側に凸面を向けた正メニスカスレンズＬ４を有する。
【０２１２】
第３レンズ群Ｇ３は、物体側に凸面を向けた正メニスカスレンズＬ５と、物体側に凸面を向けた負メニスカスレンズＬ６と、両凸正レンズＬ７と、像側に凸面を向けた正メニスカスレンズＬ８と、両凹負レンズＬ９と、像側に凸面を向けた正メニスカスレンズＬ１０と、両凸正レンズＬ１１と、を有する。
【０２１３】
負メニスカスレンズＬ６と両凸正レンズＬ７とが接合されている。正メニスカスレンズＬ８と両凹負レンズＬ９とが接合されている。
【０２１４】
第１レンズ群Ｇ１中に、フィルタＦが配置されている。第２レンズ群Ｇ２と第３レンズ群Ｇ３との間に、明るさ絞りＳが配置されている。第３レンズ群Ｇ３の像側に、カバーガラスＣが配置されている。
【０２１５】
焦点位置の調節では、第２レンズ群Ｇ２が移動する。遠点から近点への調節時、第２レンズ群Ｇ２は像側に移動する。
【０２１６】
実施例４の広角光学系は、物体側から順に、負の屈折力を有する第１レンズ群Ｇ１と、正の屈折力を有する第２レンズ群Ｇ２と、正の屈折力を有する第３レンズ群Ｇ３と、を有する。
【０２１７】
第１レンズ群Ｇ１は、物体側に凸面を向けた負メニスカスレンズＬ１と、両凹負レンズＬ２と、物体側に凸面を向けた正メニスカスレンズＬ３と、を有する。
【０２１８】
第２レンズ群Ｇ２は、物体側に凸面を向けた正メニスカスレンズＬ４を有する。
【０２１９】
第３レンズ群Ｇ３は、物体側に凸面を向けた正メニスカスレンズＬ５と、物体側に凸面を向けた負メニスカスレンズＬ６と、両凸正レンズＬ７と、両凸正レンズＬ８と、両凹負レンズＬ９と、像側に凸面を向けた正メニスカスレンズＬ１０と、両凸正レンズＬ１１と、を有する。
【０２２０】
負メニスカスレンズＬ６と両凸正レンズＬ７とが接合されている。両凸正レンズＬ８と両凹負レンズＬ９とが接合されている。
【０２２１】
第１レンズ群Ｇ１中に、フィルタＦが配置されている。第２レンズ群Ｇ２と第３レンズ群Ｇ３との間に、明るさ絞りＳが配置されている。第３レンズ群Ｇ３の像側に、カバーガラスＣが配置されている。
【０２２２】
焦点位置の調節では、第２レンズ群Ｇ２が移動する。遠点から近点への調節時、第２レンズ群Ｇ２は像側に移動する。
【０２２３】
実施例５の広角光学系は、物体側から順に、負の屈折力を有する第１レンズ群Ｇ１と、正の屈折力を有する第２レンズ群Ｇ２と、正の屈折力を有する第３レンズ群Ｇ３と、を有する。
【０２２４】
第１レンズ群Ｇ１は、平凹負レンズＬ１と、両凹負レンズＬ２と、物体側に凸面を向けた正メニスカスレンズＬ３と、を有する。
【０２２５】
第２レンズ群Ｇ２は、物体側に凸面を向けた正メニスカスレンズＬ４を有する。
【０２２６】
第３レンズ群Ｇ３は、物体側に凸面を向けた正メニスカスレンズＬ５と、物体側に凸面を向けた負メニスカスレンズＬ６と、両凸正レンズＬ７と、像側に凸面を向けた正メニスカスレンズＬ８と、両凹負レンズＬ９と、像側に凸面を向けた正メニスカスレンズＬ１０と、両凸正レンズＬ１１と、を有する。
【０２２７】
負メニスカスレンズＬ６と両凸正レンズＬ７とが接合されている。正メニスカスレンズＬ８と両凹負レンズＬ９とが接合されている。
【０２２８】
第１レンズ群Ｇ１中に、フィルタＦが配置されている。第２レンズ群Ｇ２と第３レンズ群Ｇ３との間に、明るさ絞りＳが配置されている。第３レンズ群Ｇ３の像側に、カバーガラスＣが配置されている。
【０２２９】
焦点位置の調節では、第２レンズ群Ｇ２が移動する。遠点から近点への調節時、第２レンズ群Ｇ２は像側に移動する。
【０２３０】
実施例６の広角光学系は、物体側から順に、負の屈折力を有する第１レンズ群Ｇ１と、正の屈折力を有する第２レンズ群Ｇ２と、正の屈折力を有する第３レンズ群Ｇ３と、を有する。
【０２３１】
第１レンズ群Ｇ１は、物体側に凸面を向けた負メニスカスレンズＬ１と、両凹負レンズＬ２と、物体側に凸面を向けた正メニスカスレンズＬ３と、を有する。
【０２３２】
第２レンズ群Ｇ２は、物体側に凸面を向けた正メニスカスレンズＬ４を有する。
【０２３３】
第３レンズ群Ｇ３は、物体側に凸面を向けた正メニスカスレンズＬ５と、物体側に凸面を向けた負メニスカスレンズＬ６と、両凸正レンズＬ７と、像側に凸面を向けた正メニスカスレンズＬ８と、両凹負レンズＬ９と、両凸正レンズＬ１０と、両凸正レンズＬ１１と、を有する。
【０２３４】
負メニスカスレンズＬ６と両凸正レンズＬ７とが接合されている。正メニスカスレンズＬ８と両凹負レンズＬ９とが接合されている。
【０２３５】
第１レンズ群Ｇ１中に、フィルタＦが配置されている。第２レンズ群Ｇ２と第３レンズ群Ｇ３との間に、明るさ絞りＳが配置されている。第３レンズ群Ｇ３の像側に、カバーガラスＣが配置されている。
【０２３６】
焦点位置の調節では、第２レンズ群Ｇ２が移動する。遠点から近点への調節時、第２レンズ群Ｇ２は像側に移動する。
【０２３７】
実施例７の広角光学系は、物体側から順に、負の屈折力を有する第１レンズ群Ｇ１と、正の屈折力を有する第２レンズ群Ｇ２と、正の屈折力を有する第３レンズ群Ｇ３と、を有する。
【０２３８】
第１レンズ群Ｇ１は、物体側に凸面を向けた負メニスカスレンズＬ１と、両凹負レンズＬ２と、物体側に凸面を向けた正メニスカスレンズＬ３と、を有する。
【０２３９】
第２レンズ群Ｇ２は、物体側に凸面を向けた正メニスカスレンズＬ４を有する。
【０２４０】
第３レンズ群Ｇ３は、物体側に凸面を向けた正メニスカスレンズＬ５と、物体側に凸面を向けた正メニスカスレンズＬ６と、両凸正レンズＬ７と、像側に凸面を向けた正メニスカスレンズＬ８と、両凹負レンズＬ９と、像側に凸面を向けた正メニスカスレンズＬ１０と、両凸正レンズＬ１１と、を有する。
【０２４１】
正メニスカスレンズＬ６と両凸正レンズＬ７とが接合されている。正メニスカスレンズＬ８と両凹負レンズＬ９とが接合されている。
【０２４２】
第１レンズ群Ｇ１中に、フィルタＦが配置されている。第２レンズ群Ｇ２と第３レンズ群Ｇ３との間に、明るさ絞りＳが配置されている。第３レンズ群Ｇ３の像側に、カバーガラスＣが配置されている。
【０２４３】
焦点位置の調節では、第２レンズ群Ｇ２が移動する。遠点から近点への調節時、第２レンズ群Ｇ２は像側に移動する。
【０２４４】
実施例８の広角光学系は、物体側から順に、負の屈折力を有する第１レンズ群Ｇ１と、正の屈折力を有する第２レンズ群Ｇ２と、正の屈折力を有する第３レンズ群Ｇ３と、を有する。
【０２４５】
第１レンズ群Ｇ１は、物体側に凸面を向けた負メニスカスレンズＬ１と、両凹負レンズＬ２と、物体側に凸面を向けた正メニスカスレンズＬ３と、を有する。
【０２４６】
第２レンズ群Ｇ２は、物体側に凸面を向けた正メニスカスレンズＬ４を有する。
【０２４７】
第３レンズ群Ｇ３は、物体側に凸面を向けた正メニスカスレンズＬ５と、両凹負レンズＬ６と、両凸正レンズＬ７と、像側に凸面を向けた正メニスカスレンズＬ８と、両凹負レンズＬ９と、両凸正レンズＬ１０と、物体側に凸面を向けた正メニスカスレンズＬ１１と、を有する。
【０２４８】
両凹負レンズＬ６と両凸正レンズＬ７とが接合されている。正メニスカスレンズＬ８と両凹負レンズＬ９とが接合されている。
【０２４９】
第１レンズ群Ｇ１中に、フィルタＦが配置されている。第２レンズ群Ｇ２と第３レンズ群Ｇ３との間に、明るさ絞りＳが配置されている。第３レンズ群Ｇ３の像側に、カバーガラスＣが配置されている。
【０２５０】
焦点位置の調節では、第２レンズ群Ｇ２が移動する。遠点から近点への調節時、第２レンズ群Ｇ２は像側に移動する。
【０２５１】
実施例９の広角光学系は、物体側から順に、負の屈折力を有する第１レンズ群Ｇ１と、正の屈折力を有する第２レンズ群Ｇ２と、正の屈折力を有する第３レンズ群Ｇ３と、を有する。
【０２５２】
第１レンズ群Ｇ１は、物体側に凸面を向けた負メニスカスレンズＬ１と、両凹負レンズＬ２と、物体側に凸面を向けた正メニスカスレンズＬ３と、を有する。
【０２５３】
第２レンズ群Ｇ２は、物体側に凸面を向けた正メニスカスレンズＬ４を有する。
【０２５４】
第３レンズ群Ｇ３は、物体側に凸面を向けた正メニスカスレンズＬ５と、物体側に凸面を向けた負メニスカスレンズＬ６と、両凸正レンズＬ７と、両凸正レンズＬ８と、両凹負レンズＬ９と、両凸正レンズＬ１０と、物体側に凸面を向けた正メニスカスレンズＬ１１と、を有する。
【０２５５】
負メニスカスレンズＬ６と両凸正レンズＬ７とが接合されている。両凸正レンズＬ８と両凹負レンズＬ９とが接合されている。
【０２５６】
第１レンズ群Ｇ１中に、フィルタＦが配置されている。第２レンズ群Ｇ２と第３レンズ群Ｇ３との間に、明るさ絞りＳが配置されている。第３レンズ群Ｇ３の像側に、カバーガラスＣが配置されている。
【０２５７】
焦点位置の調節では、第２レンズ群Ｇ２が移動する。遠点から近点への調節時、第２レンズ群Ｇ２は像側に移動する。
【０２５８】
実施例１０の広角光学系は、物体側から順に、負の屈折力を有する第１レンズ群Ｇ１と、正の屈折力を有する第２レンズ群Ｇ２と、正の屈折力を有する第３レンズ群Ｇ３と、を有する。
【０２５９】
第１レンズ群Ｇ１は、物体側に凸面を向けた負メニスカスレンズＬ１と、両凹負レンズＬ２と、物体側に凸面を向けた正メニスカスレンズＬ３と、を有する。
【０２６０】
第２レンズ群Ｇ２は、物体側に凸面を向けた正メニスカスレンズＬ４を有する。
【０２６１】
第３レンズ群Ｇ３は、物体側に凸面を向けた正メニスカスレンズＬ５と、物体側に凸面を向けた負メニスカスレンズＬ６と、両凸正レンズＬ７と、両凸正レンズＬ８と、両凹負レンズＬ９と、両凸正レンズＬ１０と、物体側に凸面を向けた正メニスカスレンズＬ１１と、を有する。
【０２６２】
負メニスカスレンズＬ６と両凸正レンズＬ７とが接合されている。両凸正レンズＬ８と両凹負レンズＬ９とが接合されている。
【０２６３】
第１レンズ群Ｇ１中に、フィルタＦが配置されている。第２レンズ群Ｇ２と第３レンズ群Ｇ３との間に、明るさ絞りＳが配置されている。第３レンズ群Ｇ３の像側に、カバーガラスＣが配置されている。
【０２６４】
焦点位置の調節では、第２レンズ群Ｇ２が移動する。遠点から近点への調節時、第２レンズ群Ｇ２は像側に移動する。
【０２６５】
実施例１１の広角光学系は、物体側から順に、負の屈折力を有する第１レンズ群Ｇ１と、正の屈折力を有する第２レンズ群Ｇ２と、正の屈折力を有する第３レンズ群Ｇ３と、を有する。
【０２６６】
第１レンズ群Ｇ１は、物体側に凸面を向けた負メニスカスレンズＬ１と、両凹負レンズＬ２と、物体側に凸面を向けた正メニスカスレンズＬ３と、を有する。
【０２６７】
第２レンズ群Ｇ２は、物体側に凸面を向けた正メニスカスレンズＬ４を有する。
【０２６８】
第３レンズ群Ｇ３は、両凸正レンズＬ５と、両凹負レンズＬ６と、両凸正レンズＬ７と、像側に凸面を向けた正メニスカスレンズＬ８と、両凹負レンズＬ９と、両凸正レンズＬ１０と、物体側に凸面を向けた正メニスカスレンズＬ１１と、を有する。
【０２６９】
両凹負レンズＬ６と両凸正レンズＬ７とが接合されている。正メニスカスレンズＬ８と両凹負レンズＬ９とが接合されている。
【０２７０】
第１レンズ群Ｇ１中に、フィルタＦが配置されている。第３レンズ群Ｇ３中に、明るさ絞りＳが配置されている。第３レンズ群Ｇ３の像側に、カバーガラスＣが配置されている。
【０２７１】
焦点位置の調節では、第２レンズ群Ｇ２が移動する。遠点から近点への調節時、第２レンズ群Ｇ２は像側に移動する。
【０２７２】
実施例１２の広角光学系は、物体側から順に、負の屈折力を有する第１レンズ群Ｇ１と、正の屈折力を有する第２レンズ群Ｇ２と、正の屈折力を有する第３レンズ群Ｇ３と、を有する。
【０２７３】
第１レンズ群Ｇ１は、物体側に凸面を向けた負メニスカスレンズＬ１と、両凹負レンズＬ２と、物体側に凸面を向けた正メニスカスレンズＬ３と、を有する。
【０２７４】
第２レンズ群Ｇ２は、物体側に凸面を向けた正メニスカスレンズＬ４を有する。
【０２７５】
第３レンズ群Ｇ３は、両凸正レンズＬ５と、両凹負レンズＬ６と、両凸正レンズＬ７と、両凸正レンズＬ８と、両凹負レンズＬ９と、両凸正レンズＬ１０と、両凸正レンズＬ１１と、を有する。
【０２７６】
両凹負レンズＬ６と両凸正レンズＬ７とが接合されている。両凸正レンズＬ８と両凹負レンズＬ９とが接合されている。
【０２７７】
第１レンズ群Ｇ１中に、フィルタＦが配置されている。第３レンズ群Ｇ３中に、明るさ絞りＳが配置されている。第３レンズ群Ｇ３の像側に、カバーガラスＣが配置されている。
【０２７８】
焦点位置の調節では、第２レンズ群Ｇ２が移動する。遠点から近点への調節時、第２レンズ群Ｇ２は像側に移動する。
【０２７９】
実施例１３の広角光学系は、物体側から順に、負の屈折力を有する第１レンズ群Ｇ１と、正の屈折力を有する第２レンズ群Ｇ２と、正の屈折力を有する第３レンズ群Ｇ３と、を有する。
【０２８０】
第１レンズ群Ｇ１は、物体側に凸面を向けた負メニスカスレンズＬ１と、両凹負レンズＬ２と、物体側に凸面を向けた正メニスカスレンズＬ３と、を有する。
【０２８１】
第２レンズ群Ｇ２は、物体側に凸面を向けた正メニスカスレンズＬ４を有する。
【０２８２】
第３レンズ群Ｇ３は、物体側に凸面を向けた正メニスカスレンズＬ５と、物体側に凸面を向けた負メニスカスレンズＬ６と、両凸正レンズＬ７と、両凸正レンズＬ８と、両凹負レンズＬ９と、両凸正レンズＬ１０と、物体側に凸面を向けた正メニスカスレンズＬ１１と、平凸正レンズＬ１２と、を有する。
【０２８３】
負メニスカスレンズＬ６と両凸正レンズＬ７とが接合されている。両凸正レンズＬ８と両凹負レンズＬ９とが接合されている。
【０２８４】
第１レンズ群Ｇ１中に、フィルタＦが配置されている。第３レンズ群Ｇ３中に、明るさ絞りＳが配置されている。第３レンズ群Ｇ３の像側に、カバーガラスＣが配置されている。平凸正レンズＬ１２とカバーガラスＣとが接合されている。
【０２８５】
焦点位置の調節では、第２レンズ群Ｇ２が移動する。遠点から近点への調節時、第２レンズ群Ｇ２は像側に移動する。
【０２８６】
実施例１４の広角光学系は、物体側から順に、負の屈折力を有する第１レンズ群Ｇ１と、正の屈折力を有する第２レンズ群Ｇ２と、正の屈折力を有する第３レンズ群Ｇ３と、を有する。
【０２８７】
第１レンズ群Ｇ１は、物体側に凸面を向けた負メニスカスレンズＬ１と、両凹負レンズＬ２と、両凸正レンズＬ３と、を有する。
【０２８８】
第２レンズ群Ｇ２は、物体側に凸面を向けた正メニスカスレンズＬ４を有する。
【０２８９】
第３レンズ群Ｇ３は、物体側に凸面を向けた正メニスカスレンズＬ５と、両凸正レンズＬ６と、像側に凸面を向けた負メニスカスレンズＬ７と、両凸正レンズＬ８と、両凹負レンズＬ９と、像側に凸面を向けた正メニスカスレンズＬ１０と、両凸正レンズＬ１１と、平凸正レンズＬ１２と、を有する。
【０２９０】
両凸正レンズＬ６と負メニスカスレンズＬ７とが接合されている。両凸正レンズＬ８と両凹負レンズＬ９とが接合されている。
【０２９１】
第１レンズ群Ｇ１中に、フィルタＦが配置されている。第３レンズ群Ｇ３中に、明るさ絞りＳが配置されている。第３レンズ群Ｇ３の像側に、カバーガラスＣが配置されている。平凸正レンズＬ１２とカバーガラスＣとが接合されている。
【０２９２】
焦点位置の調節では、第２レンズ群Ｇ２が移動する。遠点から近点への調節時、第２レンズ群Ｇ２は像側に移動する。
【０２９３】
実施例１５の広角光学系は、物体側から順に、負の屈折力を有する第１レンズ群Ｇ１と、正の屈折力を有する第２レンズ群Ｇ２と、正の屈折力を有する第３レンズ群Ｇ３と、を有する。
【０２９４】
第１レンズ群Ｇ１は、物体側に凸面を向けた負メニスカスレンズＬ１と、両凹負レンズＬ２と、物体側に凸面を向けた正メニスカスレンズＬ３と、を有する。
【０２９５】
第２レンズ群Ｇ２は、物体側に凸面を向けた正メニスカスレンズＬ４を有する。
【０２９６】
第３レンズ群Ｇ３は、物体側に凸面を向けた正メニスカスレンズＬ５と、両凸正レンズＬ６と、像側に凸面を向けた負メニスカスレンズＬ７と、両凸正レンズＬ８と、両凹負レンズＬ９と、像側に凸面を向けた正メニスカスレンズＬ１０と、両凸正レンズＬ１１と、平凸正レンズＬ１２と、を有する。
【０２９７】
両凸正レンズＬ６と負メニスカスレンズＬ７とが接合されている。両凸正レンズＬ８と両凹負レンズＬ９とが接合されている。
【０２９８】
第１レンズ群Ｇ１中に、フィルタＦが配置されている。第３レンズ群Ｇ３中に、明るさ絞りＳが配置されている。第３レンズ群Ｇ３の像側に、カバーガラスＣが配置されている。平凸正レンズＬ１２とカバーガラスＣとが接合されている。
【０２９９】
焦点位置の調節では、第２レンズ群Ｇ２が移動する。遠点から近点への調節時、第２レンズ群Ｇ２は像側に移動する。
【０３００】
実施例１６の広角光学系は、物体側から順に、負の屈折力を有する第１レンズ群Ｇ１と、正の屈折力を有する第２レンズ群Ｇ２と、正の屈折力を有する第３レンズ群Ｇ３と、を有する。
【０３０１】
第１レンズ群Ｇ１は、物体側に凸面を向けた負メニスカスレンズＬ１と、両凹負レンズＬ２と、物体側に凸面を向けた正メニスカスレンズＬ３と、を有する。
【０３０２】
第２レンズ群Ｇ２は、物体側に凸面を向けた正メニスカスレンズＬ４を有する。
【０３０３】
第３レンズ群Ｇ３は、物体側に凸面を向けた正メニスカスレンズＬ５と、両凸正レンズＬ６と、像側に凸面を向けた負メニスカスレンズＬ７と、両凸正レンズＬ８と、両凹負レンズＬ９と、像側に凸面を向けた正メニスカスレンズＬ１０と、両凸正レンズＬ１１と、平凸正レンズＬ１２と、を有する。
【０３０４】
両凸正レンズＬ６と負メニスカスレンズＬ７とが接合されている。両凸正レンズＬ８と両凹負レンズＬ９とが接合されている。
【０３０５】
第１レンズ群Ｇ１と第２レンズ群Ｇ２の間に、フィルタＦが配置されている。第３レンズ群Ｇ３中に、明るさ絞りＳが配置されている。第３レンズ群Ｇ３の像側に、カバーガラスＣが配置されている。平凸正レンズＬ１２とカバーガラスＣとが接合されている。
【０３０６】
焦点位置の調節では、第２レンズ群Ｇ２が移動する。遠点から近点への調節時、第２レンズ群Ｇ２は像側に移動する。
【０３０７】
実施例１７の広角光学系は、物体側から順に、負の屈折力を有する第１レンズ群Ｇ１と、正の屈折力を有する第２レンズ群Ｇ２と、正の屈折力を有する第３レンズ群Ｇ３と、を有する。
【０３０８】
第１レンズ群Ｇ１は、物体側に凸面を向けた負メニスカスレンズＬ１と、両凹負レンズＬ２と、物体側に凸面を向けた正メニスカスレンズＬ３と、を有する。
【０３０９】
第２レンズ群Ｇ２は、物体側に凸面を向けた正メニスカスレンズＬ４を有する。
【０３１０】
第３レンズ群Ｇ３は、物体側に凸面を向けた正メニスカスレンズＬ５と、両凸正レンズＬ６と、像側に凸面を向けた負メニスカスレンズＬ７と、両凸正レンズＬ８と、両凹負レンズＬ９と、像側に凸面を向けた正メニスカスレンズＬ１０と、両凸正レンズＬ１１と、平凸正レンズＬ１２と、を有する。
【０３１１】
両凸正レンズＬ６と負メニスカスレンズＬ７とが接合されている。両凸正レンズＬ８と両凹負レンズＬ９とが接合されている。
【０３１２】
第１レンズ群Ｇ１中に、フィルタＦが配置されている。第３レンズ群Ｇ３中に、明るさ絞りＳが配置されている。第３レンズ群Ｇ３の像側に、カバーガラスＣが配置されている。平凸正レンズＬ１２とカバーガラスＣとが接合されている。
【０３１３】
焦点位置の調節では、第２レンズ群Ｇ２が移動する。遠点から近点への調節時、第２レンズ群Ｇ２は像側に移動する。
【０３１４】
実施例１８の広角光学系は、物体側から順に、負の屈折力を有する第１レンズ群Ｇ１と、正の屈折力を有する第２レンズ群Ｇ２と、正の屈折力を有する第３レンズ群Ｇ３と、を有する。
【０３１５】
第１レンズ群Ｇ１は、物体側に凸面を向けた負メニスカスレンズＬ１と、両凹負レンズＬ２と、物体側に凸面を向けた正メニスカスレンズＬ３と、を有する。
【０３１６】
第２レンズ群Ｇ２は、物体側に凸面を向けた正メニスカスレンズＬ４を有する。
【０３１７】
第３レンズ群Ｇ３は、物体側に凸面を向けた正メニスカスレンズＬ５と、両凸正レンズＬ６と、像側に凸面を向けた負メニスカスレンズＬ７と、両凸正レンズＬ８と、両凹負レンズＬ９と、像側に凸面を向けた負メニスカスレンズＬ１０と、両凸正レンズＬ１１と、平凸正レンズＬ１２と、を有する。
【０３１８】
両凸正レンズＬ６と負メニスカスレンズＬ７とが接合されている。両凸正レンズＬ８と両凹負レンズＬ９とが接合されている。
【０３１９】
第１レンズ群Ｇ１中に、フィルタＦが配置されている。第３レンズ群Ｇ３中に、明るさ絞りＳが配置されている。第３レンズ群Ｇ３の像側に、カバーガラスＣが配置されている。平凸正レンズＬ１２とカバーガラスＣとが接合されている。
【０３２０】
焦点位置の調節では、第２レンズ群Ｇ２が移動する。遠点から近点への調節時、第２レンズ群Ｇ２は像側に移動する。
【０３２１】
実施例１９の広角光学系は、物体側から順に、負の屈折力を有する第１レンズ群Ｇ１と、正の屈折力を有する第２レンズ群Ｇ２と、正の屈折力を有する第３レンズ群Ｇ３と、を有する。
【０３２２】
第１レンズ群Ｇ１は、物体側に凸面を向けた負メニスカスレンズＬ１と、像側に凸面を向けた負メニスカスレンズＬ２と、像側に凸面を向けた正メニスカスレンズＬ３と、を有する。
【０３２３】
第２レンズ群Ｇ２は、物体側に凸面を向けた正メニスカスレンズＬ４を有する。
【０３２４】
第３レンズ群Ｇ３は、両凸正レンズＬ５と、像側に凸面を向けた負メニスカスレンズＬ６と、両凸正レンズＬ７と、物体側に凸面を向けた負メニスカスレンズＬ８と、物体側に凸面を向けた正メニスカスレンズＬ９と、両凸正レンズＬ１０と、像側に凸面を向けた負メニスカスレンズＬ１１と、像側に凸面を向けた負メニスカスレンズＬ１２と、物体側に凸面を向けた負メニスカスレンズＬ１３と、平凸正レンズＬ１４と、を有する。
【０３２５】
両凸正レンズＬ５と負メニスカスレンズＬ６とが接合されている。負メニスカスレンズＬ８と正メニスカスレンズＬ９とが接合されている。両凸正レンズＬ１０と負メニスカスレンズＬ１１とが接合されている。
【０３２６】
第１レンズ群Ｇ１中に、フィルタＦが配置されている。第３レンズ群Ｇ３中に、明るさ絞りＳが配置されている。第３レンズ群Ｇ３の像側に、カバーガラスＣが配置されている。平凸正レンズＬ１４とカバーガラスＣとが接合されている。
【０３２７】
焦点位置の調節では、第２レンズ群Ｇ２が移動する。遠点から近点への調節時、第２レンズ群Ｇ２は像側に移動する。
【０３２８】
実施例２０の広角光学系は、物体側から順に、負の屈折力を有する第１レンズ群Ｇ１と、正の屈折力を有する第２レンズ群Ｇ２と、正の屈折力を有する第３レンズ群Ｇ３と、を有する。
【０３２９】
第１レンズ群Ｇ１は、平凹負レンズＬ１と、両凹負レンズＬ２と、像側に凸面を向けた負メニスカスレンズＬ３と、を有する。
【０３３０】
第２レンズ群Ｇ２は、物体側に凸面を向けた正メニスカスレンズＬ４を有する。
【０３３１】
第３レンズ群Ｇ３は、物体側に凸面を向けた正メニスカスレンズＬ５と、両凸正レンズＬ６と、像側に凸面を向けた負メニスカスレンズＬ７と、両凸正レンズＬ８と、両凹負レンズＬ９と、両凸正レンズＬ１０と、両凸正レンズＬ１１と、平凸正レンズＬ１２と、を有する。
【０３３２】
両凸正レンズＬ６と負メニスカスレンズＬ７とが接合されている。両凸正レンズＬ８と両凹負レンズＬ９とが接合されている。
【０３３３】
第１レンズ群Ｇ１中に、フィルタＦが配置されている。第３レンズ群Ｇ３中に、明るさ絞りＳが配置されている。第３レンズ群Ｇ３の像側に、カバーガラスＣが配置されている。平凸正レンズＬ１２とカバーガラスＣとが接合されている。
【０３３４】
焦点位置の調節では、第２レンズ群Ｇ２が移動する。遠点から近点への調節時、第２レンズ群Ｇ２は像側に移動する。
【０３３５】
実施例２１の広角光学系は、物体側から順に、負の屈折力を有する第１レンズ群Ｇ１と、正の屈折力を有する第２レンズ群Ｇ２と、正の屈折力を有する第３レンズ群Ｇ３と、を有する。
【０３３６】
第１レンズ群Ｇ１は、平凹負レンズＬ１と、両凹負レンズＬ２と、物体側に凸面を向けた正メニスカスレンズＬ３と、を有する。両凹負レンズＬ２と正メニスカスレンズＬ３とが接合されている。
【０３３７】
第２レンズ群Ｇ２は、物体側に凸面を向けた正メニスカスレンズＬ４を有する。
【０３３８】
第３レンズ群Ｇ３は、物体側に凸面を向けた負メニスカスレンズＬ５と、両凸正レンズＬ６と、物体側に凸面を向けた負メニスカスレンズＬ７と、両凸正レンズＬ８と、両凹負レンズＬ９と、両凸正レンズＬ１０と、両凸正レンズＬ１１と、物体側に凸面を向けた負メニスカスレンズＬ１２と、を有する。
【０３３９】
負メニスカスレンズＬ５と両凸正レンズＬ６とが接合されている。負メニスカスレンズＬ７と両凸正レンズＬ８とが接合されている。両凹負レンズＬ９と両凸正レンズＬ１０とが接合されている。
【０３４０】
第１レンズ群Ｇ１中に、フィルタＦが配置されている。第３レンズ群Ｇ３中に、明るさ絞りＳが配置されている。第３レンズ群Ｇ３の像側に、カバーガラスＣとプリズムＰとが配置されている。
【０３４１】
焦点位置の調節では、第２レンズ群Ｇ２が移動する。遠点から近点への調節時、第２レンズ群Ｇ２は像側に移動する。
【０３４２】
以下に、上記各実施例の数値データを示す。面データにおいて、ｒは各レンズ面の曲率半径、ｄは各レンズ面間の間隔、ｎｄは各レンズのｄ線の屈折率、νｄは各レンズのアッベ数、＊印は非球面である。絞りは明るさ絞りである。
【０３４３】
また、各種データにおいて、ＯＢＪは物体距離、ＦＬは全系の焦点距離、ＭＧは全系の倍率、ＮＡＩは開口数、ＦＮＯはＦナンバー、ＦＩＹとＦＩＭは像高、ＬＴＬは光学系の全長、ＦＢはバックフォーカスである。バックフォーカスは、最も像側のレンズ面から近軸像面までの距離を空気換算して表したものである。全長は、最も物体側のレンズ面から最も像側のレンズ面までの距離にバックフォーカスを加えたものである。また、β１は第１レンズ群の倍率、β２は第２レンズ群の倍率、β３は第３レンズ群の倍率である。
【０３４４】
また、各焦点距離において、ｆ１、ｆ２…は各レンズ群の焦点距離である。
【０３４５】
また、非球面形状は、光軸方向をｚ、光軸に直交する方向をｙにとり、円錐係数をｋ、非球面係数をＡ４、Ａ６、Ａ８、Ａ１０、Ａ１２…としたとき、次の式で表される。
ｚ＝（ｙ2／ｒ）／［１＋｛１−（１＋ｋ）（ｙ／ｒ）2｝1/2］
＋Ａ４ｙ4＋Ａ６ｙ6＋Ａ８ｙ8＋Ａ１０ｙ10＋Ａ１２ｙ12＋…
また、非球面係数において、「Ｅ−ｎ」（ｎは整数）は、１０のｎ乗を示している。なお、これら諸元値の記号は後述の実施例の数値データにおいても共通である。
【０３４６】
数値実施例１
単位    ｍｍ
面データ
面番号       r            d            nd        νd       ER
物面         ∞        21.0000        1.
1         ∞         0.3700        1.88300    40.76    1.598
2        1.3365      0.7000        1.                  1.054
3         ∞         0.4000        1.51633    64.14    1.020
4         ∞         0.2000        1.                  0.970
5       -2.4149      0.2932        1.88300    40.76    0.971
6       11.5245      0.0905        1.                  1.030
7        9.8202      0.6960        1.78472    25.68    1.061
8       -3.2386      d8            1.                  1.110
9        1.7471      0.5591        1.49700    81.54    1.033
10        1.8893      d10           1.                  0.904
11(絞り)   ∞         0.1000        1.                  0.570
12        1.6617      0.8323        1.58913    61.14    0.648
13       -1.3612      0.2948        1.83400    37.16    0.665
14       -4.5054      0.0944        1.                  0.706
15        2.3887      0.7740        1.58913    61.14    0.720
16       -1.6464      0.0861        1.                  0.676
17       -1.3548      0.2847        1.88300    40.76    0.642
18        1.6199      0.0148        1.                  0.669
19        1.5740      0.2830        1.69895    30.13    0.689
20        1.8348      0.0446        1.                  0.712
21        1.9198      0.8306        1.51742    52.43    0.739
22       -3.6617      0.0887        1.                  0.828
23        9.6091      0.8470        1.51633    64.14    0.852
24       -1.4071      0.2937        1.88300    40.76    0.873
25       -4.5032      0.0856        1.                  0.961
26         ∞         1.5000        1.51633    64.14    0.988
27         ∞         0.0700        1.                  1.129
像面         ∞         0.
各種データ
遠点          近点
OBJ     21.0000        2.9000 
FL       1.08640       1.03636 
MG      -0.049360     -0.266448 
NAI      0.1264        0.1262 
FIY      1.140         1.140 
LTL     12.4438       12.4438 
FB       0.01637      -0.20614
d8       0.36201       1.95324
d10      2.24872       0.65748
β1      0.06727       0.33940
β2      1.12363       1.20217
β3     -0.65304      -0.65304
各群焦点距離
f1=-1.51854,    f2=20.26060,    f3=2.68873
【０３４７】
数値実施例２
単位    ｍｍ
面データ
面番号       r            d            nd        νd       ER
物面         ∞        21.0000        1.
1         ∞         0.3700        1.88300    40.76    1.584
2        1.4231      0.6000        1.                  1.063
3         ∞         0.4000        1.51633    64.14    1.028
4         ∞         0.2050        1.                  0.956
5       -3.7179      0.2996        1.88300    40.76    0.932
6        4.2255      0.0981        1.                  0.923
7        2.9010      0.5052        1.72825    28.46    0.950
8        20.4171     d8            1.                  0.932
9        2.0936      1.1355        1.49700    81.54    0.908
10        2.7535      d10           1.                  0.713
11(絞り)   ∞         0.0886        1.                  0.515
12*       1.8293      0.6269        1.88300    40.76    0.585
13*       2.7993      0.0918        1.                  0.591
14        1.3249      0.3000        1.88300    40.76    0.647
15        0.8904      1.0892        1.51633    64.14    0.603
16       -2.5698      0.0930        1.                  0.656
17      -38.7851      0.5991        1.51633    64.14    0.650
18       -1.3191      0.2903        1.84666    23.78    0.643
19        1.9173      0.2418        1.                  0.694
20       29.3218      0.5187        1.74400    44.78    0.774
21       -2.9683      0.0875        1.                  0.891
22        4.2647      0.4510        1.88300    40.76    1.000
23       45.6521      0.3000        1.                  1.014
24         ∞         1.5000        1.51633    64.14    1.042
25         ∞         0.0244        1.                  1.139
像面         ∞         0.
非球面データ
第１２面
K=0.
A2=0.0000E+00,A4=3.1271E-02,A6=-3.7563E-02,A8=1.1200E-01,
A10=-1.3167E-01
第１３面
K=0.
A2=0.0000E+00,A4=8.5718E-02,A6=-2.3429E-02,A8=1.3415E-01,
A10=-1.8436E-01
各種データ
遠点          近点
OBJ     21.0000        2.9000 
FL       1.00129       0.99830 
MG      -0.045292     -0.251004 
FNO      3.9133        3.7830 
FIY      1.140         1.140 
LTL     11.5624       11.5624 
FB      -0.02093      -0.22616
d8       0.25232       1.13571
d10      1.39431       0.51092
β1      0.04530       0.23409
β2      1.09150       1.17047
β3     -0.91608      -0.91608
各群焦点距離
f1=-1.01657,    f2=11.18632,    f3=2.55795
【０３４８】
数値実施例３
単位    ｍｍ
面データ
面番号       r            d            nd        νd       ER
物面         ∞        21.0000        1.
1         ∞         0.3700        1.88300    40.76    1.881
2        1.8089      0.6000        1.                  1.306
3         ∞         0.4000        1.51633    64.14    1.293
4         ∞         0.1633        1.                  1.209
5       -7.7140      0.2984        1.88300    40.76    1.185
6        3.9041      0.0965        1.                  1.135
7        2.4546      0.8446        1.92286    18.90    1.157
8        3.1566      d8            1.                  1.013
9        2.2403      1.5268        1.49700    81.54    0.981
10        3.3915      d10           1.                  0.697
11(絞り)   ∞         0.0783        1.                  0.460
12*       4.0614      0.3192        1.88300    40.76    0.485
13*      11.1597      0.0830        1.                  0.526
14        2.0140      0.3000        1.88300    40.76    0.578
15        1.5060      0.8356        1.51742    52.43    0.586
16       -1.5170      0.0934        1.                  0.663
17      -10.3264      1.2276        1.51633    64.14    0.654
18       -1.3625      0.2968        1.84666    23.78    0.649
19        1.8989      0.2849        1.                  0.704
20      -48.9192      0.5397        1.72916    54.68    0.805
21       -2.6727      0.0956        1.                  0.941
22        3.6698      0.5463        1.88300    40.76    1.093
23      -86.8018      0.3500        1.                  1.101
24         ∞         1.4000        1.51633    64.14    1.111
25         ∞         0.0757        1.                  1.137
像面         ∞         0.
非球面データ
第１２面
K=0.
A2=0.0000E+00,A4=2.2626E-02,A6=-1.5521E-01,A8=7.9970E-01,
A10=-1.6090E+00,A12=-1.8424E-01,A14=1.3225E+00,
A16=0.0000E+00,A18=0.0000E+00,A20=0.0000E+00
第１３面
K=0.
A2=0.0000E+00,A4=5.9775E-02,A6=-3.6261E-02,A8=2.2828E-01,
A10=-3.7908E-01,A12=7.3652E-02,A14=-4.9792E-01,
A16=0.0000E+00,A18=0.0000E+00,A20=0.0000E+00
各種データ
遠点          近点
OBJ     21.0000        2.9000 
FL       0.95940       0.97543 
MG      -0.042789     -0.227651 
FNO      3.9659        3.8809 
FIY      1.140         1.140 
LTL     12.4974       12.4974 
FB       0.03465      -0.14635
d8       0.37036       1.16143
d10      1.30128       0.51021
β1      0.04739       0.23415
β2      1.11562       1.20142
β3     -0.80926      -0.80926
各群焦点距離
f1=-1.07556,    f2=9.21973,    f3=2.80485
【０３４９】
数値実施例４
単位    ｍｍ
面データ
面番号       r            d            nd        νd       ER
物面         ∞        17.0000        1.
1       15.3102      0.3700        1.88300    40.76    1.599
2        1.1966      0.6000        1.                  0.984
3         ∞         0.4000        1.51633    64.14    0.954
4         ∞         0.1237        1.                  0.861
5       -4.3493      0.2945        1.88300    40.76    0.847
6        3.9526      0.0997        1.                  0.808
7        2.6757      0.3827        1.92286    18.90    0.812
8        4.8533      d8            1.                  0.769
9        1.5638      0.5492        1.49700    81.54    0.722
10        1.8857      d10           1.                  0.608
11(絞り)   ∞         0.1894        1.                  0.440
12*       1.7762      0.6337        1.88300    40.76    0.531
13*       2.5057      0.1195        1.                  0.545
14        1.2102      0.3000        1.88300    40.76    0.624
15        0.8291      1.1497        1.51633    64.14    0.581
16       -3.2685      0.0842        1.                  0.655
17       27.1281      0.5645        1.51633    64.14    0.661
18       -1.5659      0.2994        1.84666    23.78    0.673
19        2.1539      0.2692        1.                  0.736
20      -44.8577      0.5767        1.72916    54.68    0.827
21       -2.4177      0.0958        1.                  0.965
22        3.9931      0.5206        1.88300    40.76    1.102
23     -539.6992      0.3500        1.                  1.106
24         ∞         1.4000        1.51633    64.14    1.115
25         ∞         0.0637        1.                  1.136
像面         ∞         0.
非球面データ
第１２面
K=0.
A2=0.0000E+00,A4=5.3854E-02,A6=-4.3114E-02,A8=1.4366E-01,
A10=-1.9032E-01
第１３面
K=0.
A2=0.0000E+00,A4=1.3081E-01 ,A6=-1.9736E-02,A8=1.8859E-01,
A10=-2.5241E-01
各種データ
遠点          近点
OBJ     17.0000        3.0000 
FL       0.90903       0.91374 
MG      -0.050175     -0.222882 
FNO      3.9445        3.8983 
FIY      1.140         1.140 
LTL     10.9752       10.9752 
FB       0.01805      -0.14000
d8       0.29022       0.97306
d10      1.24881       0.56597
β1      0.04790       0.20199
β2      1.08825       1.14628
β3     -0.96262      -0.96262
各群焦点距離
f1=-0.87897,    f2=11.76596,    f3=2.85173
【０３５０】
数値実施例５
単位    ｍｍ
面データ
面番号       r            d            nd        νd       ER
物面         ∞        17.0000        1.
1         ∞         0.3700        1.88300    40.76    1.552
2        1.4427      0.6000        1.                  1.048
3         ∞         0.4000        1.51633    64.14    1.002
4         ∞         0.1419        1.                  0.922
5       -5.0092      0.2947        1.88300    40.76    0.903
6        4.0068      0.0930        1.                  0.871
7        2.6817      0.3753        1.92286    18.90    0.881
8        4.0950      d8            1.                  0.840
9        1.8092      0.8256        1.49700    81.54    0.818
10        2.3066      d10           1.                  0.671
11(絞り)   ∞         0.0969        1.                  0.488
12*       1.9634      0.6546        1.88300    40.76    0.561
13*       3.5168      0.0901        1.                  0.584
14        1.2927      0.3000        1.88300    40.76    0.648
15        0.8839      1.0754        1.51633    64.14    0.603
16       -2.7768      0.0915        1.                  0.656
17      -21.0091      0.6278        1.51633    64.14    0.652
18       -1.3658      0.2927        1.84666    23.78    0.651
19        1.8952      0.2823        1.                  0.706
20      -41.9161      0.5461        1.72916    54.68    0.805
21       -2.5714      0.0899        1.                  0.943
22        3.7819      0.5408        1.88300    40.76    1.094
23      -51.6584      0.3500        1.                  1.103
24         ∞         1.4000        1.51633    64.14    1.113
25         ∞         0.0498        1.                  1.139
像面         ∞         0.
非球面データ
第１２面
K=0.
A2=0.0000E+00,A4=4.3391E-02,A6=-2.6969E-02,A8=9.7138E-02,
A10=-1.2694E-01
第１３面
K=0.
A2=0.0000E+00,A4=9.8705E-02,A6=-4.0824E-03,A8=1.1194E-01,
A10=-1.5093E-01
各種データ
遠点          近点
OBJ     17.0000        3.0000 
FL       0.98300       0.99238 
MG      -0.054168     -0.240762 
FNO      3.9032        3.8269 
FIY      1.140         1.140 
LTL     11.1729       11.1729 
FB      -0.00342      -0.18910 
d8       0.27395       1.03962
d10      1.31040       0.54473
β1      0.04986       0.20803
β2      1.07626       1.14662
β3     -1.00936      -1.00936
各群焦点距離
f1=-0.91815,    f2=10.88320,    f3=2.78827
【０３５１】
数値実施例６
単位    ｍｍ
面データ
面番号       r            d            nd        νd       ER
物面         ∞        17.0000        1.
1       20.0000      0.3700        1.88300    40.76    1.562
2        1.2067      0.6000        1.                  0.977
3         ∞         0.4000        1.51633    64.14    0.943
4         ∞         0.1010        1.                  0.858
5       -5.0015      0.2886        1.88300    40.76    0.848
6        2.9519      0.0923        1.                  0.809
7        1.8550      0.3815        1.92286    18.90    0.826
8        2.6141      d8            1.                  0.770
9        1.6760      0.5923        1.49700    81.54    0.741
10        2.0720      d10           1.                  0.633
11(絞り)   ∞         0.0830        1.                  0.467
12*       2.2198      0.3481        1.88300    40.76    0.540
13*       5.1027      0.0877        1.                  0.557
14        1.2752      0.3000        1.88300    40.76    0.619
15        0.8381      1.2698        1.51633    64.14    0.576
16       -2.6992      0.0857        1.                  0.654
17      -12.8077      0.7528        1.51633    64.14    0.653
18       -1.3481      0.2875        1.84666    23.78    0.661
19        1.9079      0.2786        1.                  0.727
20     1813.5266      0.5922        1.72916    54.68    0.840
21       -2.5422      0.0839        1.                  0.995
22        3.2963      0.6109        1.88300    40.76    1.188
23      -74.5199      0.3000        1.                  1.186
24         ∞         1.4000        1.51633    64.14    1.178
25         ∞         0.0758        1.                  1.155
像面         ∞         0.
非球面データ
第１２面
K=0.
A2=0.0000E+00,A4=9.4238E-02,A6=-1.3465E-01,A8=6.9001E-01,
A10=-1.1061E+00
第１３面
K=0.
A2=0.0000E+00,A4=1.2940E-01,A6=-2.9245E-02,A8=3.1386E-01,
A10=-5.4631E-01
各種データ
遠点          近点
OBJ     17.0000        3.0000 
FL       0.90631       0.91421 
MG      -0.050070     -0.223755 
FNO      3.9341        3.8945 
FIY      1.140         1.140 
LTL     10.8752       10.8752 
FB       0.03039      -0.12879
d8       0.34193       0.98043
d10      1.15150       0.51300
β1      0.04307       0.18324
β2      1.07292       1.12708
β3     -1.08345      -1.08345
各群焦点距離
f1=-0.78833,    f2=11.79037,    f3=2.97621
【０３５２】
数値実施例７
単位    ｍｍ
面データ
面番号       r            d            nd        νd       ER
物面         ∞        17.0000        1.
1       20.0000      0.3700        1.88300    40.76    1.565
2        1.1942      0.6000        1.                  0.975
3         ∞         0.3600        1.51633    64.14    0.945
4         ∞         0.0180        1.                  0.872
5      -39.2627      0.2712        1.88300    40.76    0.869
6        2.1856      0.0689        1.                  0.804
7        1.5180      0.3499        1.92286    18.90    0.813
8        1.8920      d8            1.                  0.744
9        1.3113      0.3642        1.49700    81.54    0.700
10        1.5503      d10           1.                  0.619
11(絞り)   ∞         0.0540        1.                  0.428
12*       2.4371      0.2640        1.88300    40.76    0.451
13*       2.7511      0.0751        1.                  0.472
14        1.6332      0.3000        1.88300    40.76    0.530
15        1.8390      0.8427        1.51633    64.14    0.553
16       -1.2298      0.0861        1.                  0.653
17       -4.6698      1.3113        1.51633    64.14    0.643
18       -1.3468      0.2905        1.84666    23.78    0.663
19        1.9205      0.2998        1.                  0.732
20      -19.8757      0.6269        1.72916    54.68    0.848
21       -2.1528      0.0818        1.                  1.016
22        3.4557      0.6199        1.88300    40.76    1.217
23      -28.5947      0.2000        1.                  1.213
24         ∞         1.5000        1.51633    64.14    1.201
25         ∞         0.0640        1.                  1.148
像面         ∞         0.
非球面データ
第１２面
K=0.
A2=0.0000E+00,A4=2.3881E-01,A6=7.1261E-02,A8=-4.0179E-01,
A10=0.0000E+00
第１３面
K=0.
A2=0.0000E+00,A4=3.5728E-01,A6=1.7739E-01,A8=-2.8920E-01,
A10=0.0000E+00
各種データ
遠点          近点
OBJ     17.0000        3.0000 
FL       0.87488       0.88419 
MG      -0.048244     -0.214621 
FNO      3.9284        3.8945 
FIY      1.140         1.140 
LTL     10.5175       10.5175 
FB       0.02181      -0.12575
d8       0.32999       0.94108
d10      1.16920       0.55811
β1      0.04475       0.18971
β2      1.08766       1.14143
β3     -0.99113      -0.99113
各群焦点距離
f1=-0.81998,    f2=11.36494,    f3=3.10154
【０３５３】
数値実施例８
単位    ｍｍ
面データ
面番号       r            d            nd        νd       ER
物面         ∞        17.0000        1.
1       20.0000      0.3700        1.88300    40.76    2.170
2        1.8355      0.6000        1.                  1.438
3         ∞         0.4000        1.51633    64.14    1.482
4         ∞         0.3651        1.                  1.367
5       -6.0073      0.7484        1.88300    40.76    1.260
6        3.8110      0.5388        1.                  1.141
7        2.9102      0.4410        1.92286    18.90    1.179
8        4.0476      d8            1.                  1.118
9        2.4287      1.7001        1.49700    81.54    1.088
10        3.4681      d10           1.                  0.763
11(絞り)   ∞         0.0944        1.                  0.501
12*       1.7041      0.3825        1.88300    40.76    0.600
13*       5.1778      0.2781        1.                  0.590
14      -29.8880      0.3000        1.88300    40.76    0.629
15        2.9929      0.6826        1.51633    64.14    0.668
16       -1.6314      0.1268        1.                  0.749
17       -8.7698      1.5571        1.51633    64.14    0.757
18       -1.4188      0.3403        1.84666    23.78    0.820
19        4.3711      0.6288        1.                  0.933
20      264.1515      0.7659        1.72916    54.68    1.240
21       -2.7702      0.1844        1.                  1.362
22        2.3631      0.6206        1.88300    40.76    1.495
23        3.9331      0.4000        1.                  1.392
24         ∞         1.4000        1.51633    64.14    1.358
25         ∞         0.0411        1.                  1.147
像面         ∞         0.
非球面データ
第１２面
K=0.
A2=0.0000E+00,A4=5.2580E-02,A6=5.3691E-02,A8=-3.8939E-03,
A10=0.0000E+00
第１３面
K=0.
A2=0.0000E+00,A4=1.2458E-01,A6=7.6091E-02,A8=4.8603E-02,
A10=0.0000E+00
各種データ
遠点          近点
OBJ     17.0000        3.0000 
FL       0.96374       0.99290 
MG      -0.051712     -0.215244 
FNO      3.8797        3.8945 
FIY      1.140         1.140 
LTL     14.5440       14.5440 
FB      -0.00878      -0.17266
d8       0.28712       1.03089
d10      1.29110       0.54733
β1      0.06071       0.23796
β2      1.13728       1.20767
β3     -0.74900      -0.74900
各群焦点距離
f1=-1.14099,    f2=10.56718,    f3=4.20765
【０３５４】
数値実施例９
単位    ｍｍ
面データ
面番号       r            d            nd        νd       ER
物面         ∞        17.0000        1.
1       18.6062      0.3700        1.88300    40.76    1.550
2        1.1634      0.6000        1.                  0.954
3         ∞         0.4000        1.51633    64.14    0.921
4         ∞         0.2106        1.                  0.839
5       -2.9012      0.2987        1.88300    40.76    0.816
6        6.6566      0.0969        1.                  0.825
7        2.2651      0.4862        1.67270    32.10    0.857
8        7.9728      d8            1.                  0.830
9        2.1192      0.9855        1.49700    81.54    0.806
10        2.7662      d10           1.                  0.651
11(絞り)   ∞         0.0820        1.                  0.510
12*       1.5966      0.3119        1.88300    40.76    0.557
13*       1.8942      0.0923        1.                  0.547
14        1.2718      0.3000        1.88300    40.76    0.588
15        0.8534      1.2563        1.51742    52.43    0.549
16       -2.5219      0.2499        1.                  0.650
17      263.2306      0.8622        1.49700    81.54    0.650
18       -1.3145      0.3172        1.92286    18.90    0.650
19        2.8013      0.1794        1.                  0.733
20       17.9648      0.6025        1.78472    25.68    0.806
21       -2.5539      0.0985        1.                  0.937
22        4.4647      0.4767        1.78472    25.68    1.044
23      837.6148      0.3500        1.                  1.056
24         ∞         1.5000        1.51633    64.14    1.078
25         ∞         0.0239        1.                  1.140
像面         ∞         0.
非球面データ
第１２面
K=0.
A2=0.0000E+00,A4=5.4679E-02,A6=-7.3153E-02,A8=1.8821E-01,
A10=-2.6187E-01
第１３面
K=0.
A2=0.0000E+00,A4=1.1151E-01,A6=-2.3505E-02,A8=4.5913E-02,
A10=-1.4874E-01
各種データ
遠点          近点
OBJ     17.0000        3.0000 
FL       0.95516       0.95802 
MG      -0.052812     -0.235620 
FNO      3.9309        3.8269 
FIY      1.140         1.140 
LTL     11.7045       11.7045 
FB      -0.02656      -0.20184
d8       0.28665       1.04021
d10      1.26710       0.51353
β1      0.05086       0.21466
β2      1.08934       1.15157
β3     -0.95317      -0.95317
各群焦点距離
f1=-0.93319,    f2=12.10818,    f3=2.86916
【０３５５】
数値実施例１０
単位    ｍｍ
面データ
面番号       r            d            nd        νd       ER
物面         ∞        17.0000        1.
1       19.8742      0.3700        1.88300    40.76    1.550
2        1.2066      0.6000        1.                  0.974
3         ∞         0.4000        1.51633    64.14    0.939
4         ∞         0.1870        1.                  0.853
5       -2.9762      0.2940        1.88300    40.76    0.830
6        6.6868      0.0846        1.                  0.831
7        2.2551      0.4504        1.67270    32.10    0.858
8        5.6876      d8            1.                  0.827
9        2.1401      0.9736        1.49700    81.54    0.808
10        2.8349      d10           1.                  0.659
11(絞り)   ∞         0.0913        1.                  0.510
12*       1.7102      0.3314        1.88300    40.76    0.573
13*       2.9335      0.0899        1.                  0.569
14        1.3932      0.3000        1.88300    40.76    0.607
15        0.8725      1.4839        1.51742    52.43    0.566
16       -8.1462      0.0937        1.                  0.650
17        5.6790      0.6732        1.49700    81.54    0.650
18       -1.3074      0.2989        1.92286    18.90    0.650
19        2.5588      0.1958        1.                  0.743
20       26.2276      0.5615        1.78472    25.68    0.819
21       -2.8090      0.0958        1.                  0.952
22        3.1496      0.5535        1.78472    25.68    1.107
23       40.7148      0.3500        1.                  1.108
24         ∞         1.4000        1.51633    64.14    1.117
25         ∞         0.0707        1.                  1.141
像面         ∞         0.
非球面データ
第１２面
K=0.
A2=0.0000E+00,A4=4.1428E-02,A6=0.0000E+00,A8=0.0000E+00,
A10=0.0000E+00
第１３面
K=0.
A2=0.0000E+00,A4=8.6016E-02,A6=0.0000E+00,A8=0.0000E+00,
A10=0.0000E+00
各種データ
遠点          近点
OBJ     17.0000        3.0000 
FL       0.96353       0.96607 
MG      -0.053262     -0.237339 
FNO      3.9044        3.8269 
FIY      1.140         1.140 
LTL     11.4798       11.4798 
FB       0.01936      -0.15861
d8       0.30098       1.04502
d10      1.22970       0.48566
β1      0.04947       0.20848
β2      1.08330       1.14536
β3     -0.99393      -0.99393
各群焦点距離
f1=-0.90795,    f2=11.99039,    f3=2.80477
【０３５６】
数値実施例１１
単位    ｍｍ
面データ
面番号       r            d            nd        νd       ER
物面         ∞        17.0000        1.
1       20.9620      0.3700        1.88300    40.76    1.550
2        1.2338      0.6000        1.                  0.999
3         ∞         0.4000        1.51633    64.14    0.976
4         ∞         0.1830        1.                  0.911
5       -3.1562      0.2965        1.88300    40.76    0.898
6       10.4925      0.2368        1.                  0.908
7        2.2707      0.5569        1.49700    81.54    0.978
8       11.8822      d8            1.                  0.958
9        2.1589      0.8171        1.49700    81.54    0.943
10        2.5943      d10           1.                  0.810
11*       2.0204      0.4822        1.88300    40.76    0.638
12*     -16.3846      0.1054        1.                  0.558
13(絞り)   ∞         0.1017        1.                  0.509
14       -7.2907      1.2809        1.88300    40.76    0.514
15       11.3314      0.4763        1.59270    35.31    0.607
16       -2.5210      0.0896        1.                  0.650
17      -31.0499      0.9626        1.49700    81.54    0.650
18       -1.1421      0.6997        1.92286    18.90    0.653
19        3.5946      0.1370        1.                  0.824
20        7.8641      0.8422        1.59270    35.31    0.889
21       -2.4643      0.0946        1.                  1.069
22        4.0200      0.6714        1.59270    35.31    1.196
23       -8.1303      0.4000        1.                  1.207
24         ∞         1.4000        1.51633    64.14    1.185
25         ∞         0.0455        1.                  1.143
像面         ∞         0.
非球面データ
第１１面
K=0.
A2=0.0000E+00,A4=5.2048E-03,A6=0.0000E+00,A8=0.0000E+00,
A10=0.0000E+00
第１２面
K=0.
A2=0.0000E+00,A4=3.4430E-02,A6=0.0000E+00,A8=0.0000E+00,
A10=0.0000E+00
各種データ
遠点          近点
OBJ     17.0000        3.0000 
FL       1.03814       1.05251 
MG      -0.057025     -0.251642 
FNO      3.9308        3.8892 
FIY      1.140         1.140 
LTL     13.0128       13.0128 
FB      -0.01369      -0.21935
d8       0.19947       1.25695
d10      1.56410       0.50662
β1      0.05863       0.24372
β2      1.07788       1.14419
β3     -0.90240      -0.90240
各群焦点距離
f1=-1.08076,    f2=15.94753,    f3=3.93285
【０３５７】
数値実施例１２
単位    ｍｍ
面データ
面番号       r            d            nd        νd       ER
物面         ∞        17.0000        1.
1       21.9386      0.3700        1.88300    40.76    1.550
2        1.2258      0.8000        1.                  0.992
3       -2.8566      0.3000        1.88300    40.76    0.960
4      174.3190      0.0516        1.                  0.982
5         ∞         0.4000        1.51633    64.14    0.987
6         ∞         0.0975        1.                  1.012
7        2.4564      0.5721        1.49700    81.54    1.061
8       11.4461      d8            1.                  1.037
9        2.3896      0.9090        1.49700    81.54    1.021
10        2.8557      d10           1.                  0.868
11*       2.0968      0.4728        1.88300    40.76    0.635
12*     -34.9927      0.1181        1.                  0.555
13(絞り)   ∞         0.1124        1.                  0.509
14      -16.2807      1.2187        1.88300    40.76    0.516
15        3.0415      0.5676        1.59270    35.31    0.590
16       -2.5084      0.0933        1.                  0.650
17      238.5588      0.8354        1.49700    81.54    0.650
18       -1.2016      0.6861        1.92286    18.90    0.653
19        3.2106      0.1311        1.                  0.814
20        6.0640      0.9639        1.59270    35.31    0.881
21       -2.3130      0.0947        1.                  1.086
22        3.5666      0.6298        1.59270    35.31    1.208
23      -21.6855      0.4000        1.                  1.205
24         ∞         1.4000        1.51633    64.14    1.185
25         ∞         0.0454        1.                  1.142
像面         ∞         0.
非球面データ
第１１面
K=0.
A2=0.0000E+00,A4=3.4520E-03,A6=0.0000E+00,A8=0.0000E+00,
A10=0.0000E+00
第１２面
K=0.
A2=0.0000E+00,A4=2.7958E-02,A6=0.0000E+00,A8=0.0000E+00,
A10=0.0000E+00
各種データ
遠点          近点
OBJ     17.0000        3.0000 
FL       1.03354       1.05290 
MG      -0.056751     -0.251722 
FNO      3.9308        3.8892 
FIY      1.140         1.140 
LTL     13.3185       13.3185 
FB      -0.01328      -0.21967
d8       0.12592       1.49850
d10      1.92320       0.55062
β1      0.06606       0.27339
β2      1.06944       1.14620
β3     -0.80330      -0.80330
各群焦点距離
f1=-1.21950,    f2=17.88097,    f3=4.00725
【０３５８】
数値実施例１３
単位    ｍｍ
面データ
面番号       r            d            nd        νd       ER
物面         ∞        17.0000        1.
1     4593.5725      0.3000        1.88300    40.76    1.590
2        1.8010      0.8127        1.                  1.169
3       -3.7788      0.3000        1.88300    40.76    1.086
4        4.3823      0.2246        1.                  1.066
5         ∞         0.4000        1.51633    64.14    1.081
6         ∞         0.0929        1.                  1.123
7        3.2739      0.8162        1.69895    30.13    1.173
8       14.5436      d8            1.                  1.130
9        2.5871      1.2160        1.49700    81.54    1.107
10        3.1622      d10           1.                  0.897
11*       2.0474      0.4563        1.80625    40.91    0.650
12*      74.2204      0.1053        1.                  0.570
13(絞り)   ∞         0.1297        1.                  0.530
14       12.3207      1.1009        1.88300    40.76    0.545
15        2.6317      0.6127        1.49700    81.54    0.590
16       -2.3609      0.0973        1.                  0.640
17        7.4791      0.6955        1.49700    81.54    0.646
18       -1.2395      0.4408        1.84666    23.78    0.640
19        2.3864      0.2108        1.                  0.715
20       38.1959      0.7959        1.69895    30.13    0.777
21       -3.1050      0.0956        1.                  0.963
22        5.7534      0.6818        1.69895    30.13    1.056
23       18.7580      0.3966        1.                  1.101
24        5.0000      1.0000        1.88300    40.76    1.186
25         ∞         0.6000        1.51633    64.14    1.162
26         ∞         0.0446        1.                  1.140
像面         ∞         0.
非球面データ
第１１面
K=-1.0011
A2=0.0000E+00,A4=1.4360E-02,A6=0.0000E+00,A8=0.0000E+00,
A10=0.0000E+00
第１２面
K=0.
A2=0.0000E+00,A4=2.4606E-02,A6=0.0000E+00,A8=0.0000E+00,
A10=0.0000E+00
各種データ
遠点          近点
OBJ     17.0000        3.0000 
FL       1.06491       1.08873 
MG      -0.058085     -0.253210 
FNO      3.9121        3.8728 
FIY      1.140         1.140 
LTL     13.5917       13.5917 
FB      -0.01730      -0.23112
d8       0.19271       1.57621
d10      1.77286       0.38935
β1      0.06905       0.27961
β2      1.07444       1.15671
β3     -0.78290      -0.78290
各群焦点距離
f1=-1.28375,    f2=16.81637,    f3=4.06497
【０３５９】
数値実施例１４
単位    ｍｍ
面データ
面番号       r            d            nd        νd       ER
物面         ∞        17.0000        1.
1      183.0435      0.3000        1.88300    40.76    1.567
2        1.6351      0.7418        1.                  1.130
3       -5.3532      0.3000        1.88300    40.76    1.072
4        3.7334      0.2526        1.                  1.037
5         ∞         0.4000        1.51633    64.14    1.052
6         ∞         0.0928        1.                  1.089
7        5.8272      0.7897        1.84666    23.78    1.118
8      -16.3104      d8            1.                  1.108
9        1.8976      0.6133        1.49700    81.54    1.061
10        2.1276      d10           1.                  0.926
11*       2.3773      0.6982        1.88300    40.76    0.638
12*       5.3212      0.1365        1.                  0.492
13(絞り)   ∞         0.0718        1.                  0.456
14        3.6709      0.6305        1.49700    81.54    0.482
15       -1.1294      0.3600        1.83400    37.16    0.539
16       -1.8384      0.0709        1.                  0.617
17        6.9948      1.1545        1.49700    81.54    0.631
18       -8.6783      0.2803        1.84666    23.78    0.649
19        1.7726      0.3091        1.                  0.660
20       -8.4255      0.6106        1.53172    48.84    0.731
21       -3.3806      0.0794        1.                  0.901
22        9.4522      0.6243        1.53172    48.84    0.992
23       -5.5446      0.3682        1.                  1.077
24        5.0000      1.0000        1.88300    40.76    1.184
25         ∞         0.6000        1.51633    64.14    1.163
26         ∞         0.0447        1.                  1.144
像面         ∞         0.
非球面データ
第１１面
K=0.0300
A2=0.0000E+00,A4=2.1472E-02,A6=0.0000E+00,A8=0.0000E+00,
A10=0.0000E+00
第１２面
K=0.
A2=0.0000E+00,A4=5.2265E-02,A6=0.0000E+00,A8=0.0000E+00,
A10=0.0000E+00
各種データ
遠点          近点
OBJ     17.0000        3.0000 
FL       1.04844       1.04957 
MG      -0.057353     -0.246984 
FNO      3.9434        3.9046 
FIY      1.140         1.140 
LTL     12.5475       12.5475 
FB      -0.01543      -0.21453
d8       0.18482       1.58836
d10      1.83356       0.43002
β1      0.07999       0.32292
β2      1.12377       1.19870
β3     -0.63806      -0.63806
各群焦点距離
f1=-1.48851,    f2=18.73235,    f3=3.81683
【０３６０】
数値実施例１５
単位    ｍｍ
面データ
面番号       r            d            nd        νd       ER
物面         ∞        17.0000        1.
1      109.4062      0.3000        1.88300    40.76    1.551
2        1.6962      0.5868        1.                  1.127
3       -8.1478      0.3000        1.72916    54.68    1.096
4        2.7443      0.2935        1.                  1.015
5         ∞         0.4000        1.51633    64.14    1.018
6         ∞         0.0561        1.                  1.029
7        2.3860      0.6327        1.84666    23.78    1.040
8        2.9940      d8            1.                  0.934
9        1.9938      0.4728        1.49700    81.54    0.911
10        2.3810      d10           1.                  0.822
11*       1.6998      0.5078        1.78472    25.68    0.600
12*       2.5418      0.2147        1.                  0.484
13(絞り)   ∞         0.0551        1.                  0.438
14        2.5945      0.7314        1.49700    81.54    0.469
15       -1.0062      0.2745        1.88300    40.76    0.545
16       -1.6216      0.0551        1.                  0.619
17        3.5079      1.3333        1.49700    81.54    0.641
18       -2.3662      0.2906        1.84666    23.78    0.640
19        1.7389      0.3044        1.                  0.666
20      -13.4498      0.6304        1.88300    40.76    0.754
21       -3.6032      0.0823        1.                  0.918
22       10.1934      0.5970        1.84666    23.78    1.006
23      -15.3963      0.3722        1.                  1.073
24        5.0000      1.0000        1.88300    40.76    1.175
25         ∞         0.6000        1.51633    64.14    1.159
26         ∞         0.0443        1.                  1.145
像面         ∞         0.
非球面データ
第１１面
K=-0.1219
A2=0.0000E+00,A4=3.5195E-02,A6=0.0000E+00,A8=0.0000E+00,
A10=0.0000E+00
第１２面
K=0.
A2=0.0000E+00,A4=8.3719E-02,A6=0.0000E+00,A8=0.0000E+00,
A10=0.0000E+00
各種データ
遠点          近点
OBJ     17.0000        3.0000 
FL       1.01620       1.02009 
MG      -0.055639     -0.240427 
FNO      3.9395        3.9038 
FIY      1.140         1.140 
LTL     11.7970       11.7970 
FB      -0.01219      -0.20091
d8       0.18893       1.28033
d10      1.47307       0.38167
β1      0.06103       0.24942
β2      1.08409       1.14627
β3     -0.84092      -0.84092
各群焦点距離
f1=-1.13126,    f2=17.55152,    f3=3.56675
【０３６１】
数値実施例１６
単位    ｍｍ
面データ
面番号       r            d            nd        νd       ER
物面         ∞        17.0000        1.
1      167.9781      0.3000        1.88300    40.76    1.564
2        1.6545      0.7012        1.                  1.131
3       -5.5183      0.3000        1.88300    40.76    1.082
4        3.1744      0.0871        1.                  1.041
5        2.5804      0.7814        1.84666    23.78    1.066
6        6.9505      0.1577        1.                  0.996
7         ∞         0.4000        1.51633    64.14    0.988
8         ∞         d8            1.                  0.965
9        1.8888      0.4616        1.49700    81.54    0.928
10        2.1977     d10            1.                  0.836
11*       1.8361      0.5888        1.80625    40.91    0.610
12*       6.3888      0.1529        1.                  0.483
13(絞り)   ∞         0.1033        1.                  0.434
14        7.9548      0.7137        1.49700    81.54    0.462
15       -0.9463      0.2804        1.88300    50.15    0.534
16       -1.4714      0.0811        1.                  0.610
17        7.9058      1.2449        1.49700    81.54    0.624
18       -1.8551      0.2802        1.84666    23.78    0.640
19        1.8960      0.2604        1.                  0.682
20      -28.2916      0.5750        1.69895    40.19    0.759
21       -3.3461      0.0701        1.                  0.916
22        6.3282      0.5457        1.69895    30.13    1.024
23      -12.4763      0.3661        1.                  1.083
24        5.0000      1.0000        1.88300    40.76    1.182
25         ∞         0.6000        1.51633    64.14    1.162
26         ∞         0.0441        1.                  1.145
像面         ∞         0.
非球面データ
第１１面
K=0.4228
A2=0.0000E+00,A4=1.9118E-02,A6=0.0000E+00,A8=0.0000E+00,
A10=0.0000E+00
第１２面
K=0.
A2=0.0000E+00,A4=8.0725E-02,A6=0.0000E+00,A8=0.0000E+00,
A10=0.0000E+00
各種データ
遠点          近点
OBJ     17.0000        3.0000 
FL       1.01557       1.01923 
MG      -0.055562     -0.239423 
FNO      3.9399        3.9046 
FIY      1.140         1.140 
LTL     11.7980       11.7980 
FB      -0.01230      -0.19990
d8       0.18900       1.30877
d10      1.51315       0.39339
β1      0.06224       0.25370
β2      1.08568       1.14764
β3     -0.82231      -0.82231
各群焦点距離
f1=-1.15452,    f2=18.07196,    f3=3.62238
【０３６２】
数値実施例１７
単位    ｍｍ
面データ
面番号       r            d            nd        νd       ER
物面         ∞        17.0000        1.
1      570.2528      0.3000        1.88300    40.76    1.569
2        1.6989      0.6628        1.                  1.141
3       -9.9142      0.3000        1.72916    54.68    1.086
4        2.4092      0.3475        1.                  1.005
5         ∞         0.4000        1.51633    64.14    1.017
6         ∞         0.0697        1.                  1.040
7        2.5643      0.7035        1.84666    23.78    1.067
8        4.0799      d8            1.                  0.974
9        2.2132      0.5217        1.49700    81.54    0.950
10        2.7183      d10           1.                  0.856
11*       1.9603      0.7195        1.78472    25.68    0.640
12*       3.5896      0.1644        1.                  0.483
13(絞り)   ∞         0.0964        1.                  0.443
14        3.5686      0.7078        1.49700    81.54    0.483
15       -1.0867      0.2930        1.80518    25.42    0.561
16       -1.7528      0.0831        1.                  0.635
17        3.9399      1.1370        1.49700    81.54    0.660
18       -9.6703      0.2896        1.84666    23.78    0.667
19        1.7800      0.3318        1.                  0.676
20       -8.6141      0.6415        1.75500    52.32    0.752
21       -4.2554      0.0926        1.                  0.918
22       13.4999      0.6906        1.84666    23.78    0.997
23      -10.4259      0.4223        1.                  1.082
24        5.0000      1.0000        1.88300    40.76    1.190
25         ∞         0.6000        1.51633    64.14    1.167
26         ∞         0.0444        1.                  1.148
像面         ∞         0.
非球面データ
第１１面
K=-1.0059
A2=0.0000E+00,A4=3.7793E-02,A6=0.0000E+00,A8=0.0000E+00,
A10=0.0000E+00
第１２面
K=0.
A2=0.0000E+00,A4=6.9483E-02,A6=0.0000E+00,A8=0.0000E+00,
A10=0.0000E+00
各種データ
遠点          近点
OBJ     17.0000        3.0000 
FL       1.05130       1.04935 
MG      -0.057518     -0.246458 
FNO      3.9388        3.9038 
FIY      1.140         1.140 
LTL     12.2474       12.2474 
FB      -0.01608      -0.21424
d8       0.18025       1.25248
d10      1.44799       0.37575
β1      0.06596       0.26811
β2      1.11062       1.17070
β3     -0.78521      -0.78521
各群焦点距離
f1=-1.22465,    f2=17.84495,    f3=3.74506
【０３６３】
数値実施例１８
単位    ｍｍ
面データ
面番号       r            d            nd        νd       ER
物面         ∞        17.0000        1.
1      566.9242      0.3000        1.88300    40.76    1.585
2        1.6884      0.5793        1.                  1.151
3     -122.2277      0.3000        1.72916    54.68    1.111
4        2.0272      0.4102        1.                  1.008
5         ∞         0.4000        1.51633    64.14    1.023
6         ∞         0.0621        1.                  1.049
7        2.2941      0.6638        1.84666    23.78    1.083
8        3.1369      d8            1.                  0.981
9        2.1697      0.7295        1.49700    81.54    0.964
10        2.7544      d10           1.                  0.834
11*       1.8025      0.6122        1.78472    25.68    0.631
12*       3.5193      0.1730        1.                  0.493
13(絞り)   ∞         0.0990        1.                  0.451
14        4.3233      0.7478        1.49700    81.54    0.489
15       -1.0008      0.2944        1.80518    25.42    0.573
16       -1.5911      0.0685        1.                  0.653
17        4.4399      1.1951        1.49700    81.54    0.674
18       -2.9231      0.2706        1.84666    23.78    0.678
19        2.0846      0.3197        1.                  0.700
20       -6.1013      0.5623        1.75500    52.32    0.770
21       -6.7472      0.0911        1.                  0.939
22        5.3016      0.7688        1.84666    23.78    1.058
23      -11.2680      0.4184        1.                  1.132
24        5.0000      1.0000        1.88300    40.76    1.220
25         ∞         0.6000        1.51633    64.14    1.181
26         ∞         0.0440        1.                  1.148
像面         ∞         0.
非球面データ
第１１面
K=-0.9999
A2=0.0000E+00,A4=5.3400E-02,A6=0.0000E+00,A8=0.0000E+00,
A10=0.0000E+00
第１２面
K=0.
A2=0.0000E+00,A4=9.1183E-02,A6=0.0000E+00,A8=0.0000E+00,
A10=0.0000E+00
各種データ
遠点          近点
OBJ     17.0000        3.0000 
FL       1.08605       1.09139 
MG      -0.059432     -0.256855 
FNO      3.9384        3.8969 
FIY      1.140         1.140 
LTL     12.2313       12.2313 
FB      -0.02052      -0.23630
d8       0.17563       1.15608
d10      1.34570       0.36525
β1      0.06418       0.26155
β2      1.11364       1.18106
β3     -0.83148      -0.83148
各群焦点距離
f1=-1.19076,    f2=14.54187,    f3=3.73379
【０３６４】
数値実施例１９
単位    ｍｍ
面データ
面番号       r            d            nd        νd       ER
物面         ∞        23.0000        1.
1       23.3351      0.3000        1.88300    40.76    1.615
2        1.3180      1.0918        1.                  1.065
3       -2.3725      0.3000        1.72916    54.68    0.965
4      -14.0022      0.0758        1.                  0.981
5         ∞         0.4000        1.51633    64.14    0.983
6         ∞         0.1000        1.                  0.985
7       -7.2570      0.5313        1.84666    23.78    0.986
8       -4.6300      d8            1.                  1.019
9        1.5542      0.4753        1.49700    81.61    0.973
10        1.7441      d10           1.                  0.867
11        6.3417      0.8343        1.69895    30.13    0.700
12       -1.2695      0.2967        1.84666    23.78    0.632
13       -8.2452      0.0892        1.                  0.610
14(絞り)   ∞         0.0900        1.                  0.544
15        3.3742      1.3677        1.84666    23.78    0.628
16      -37.5413      0.0916        1.                  0.687
17        3.4999      0.8220        1.92286    18.90    0.698
18        1.4223      0.3889        1.49700    81.61    0.663
19        1.9638      0.0578        1.                  0.700
20        2.2850      1.0027        1.49700    81.61    0.718
21       -1.2509      0.2904        1.84666    23.78    0.794
22       -2.1469      0.0769        1.                  0.887
23       -2.2922      0.5036        1.80610    40.92    0.894
24       -2.7798      0.0825        1.                  1.007
25        2.0361      0.2532        1.72825    28.46    1.067
26        1.6933      0.7456        1.                  1.011
27        5.5337      1.0000        1.88300    40.76    1.122
28         ∞         0.6000        1.51633    64.14    1.131
29         ∞         0.0451        1.                  1.138
像面         ∞         0.
各種データ
遠点          近点
OBJ     23.0000        3.5000 
FL       1.01803       1.00996 
MG      -0.042133     -0.217390 
FNO      3.8210        3.7550 
FIY      1.140         1.140 
LTL     13.4982       13.4982 
FB       0.00220      -0.17446
d8       0.26049       1.10362
d10      1.32512       0.48199
β1      0.04971       0.24508
β2      1.15340       1.20715
β3     -0.73482      -0.73482
各群焦点距離
f1=-1.21606,    f2=15.68585,    f3=3.50719
【０３６５】
数値実施例２０
単位    ｍｍ
面データ
面番号       r            d            nd        νd       ER
物面         ∞        23.0000        1.
1         ∞         0.3000        1.88300    40.76    1.583
2        1.7269      0.6987        1.                  1.137
3       -4.9307       0.3000       1.72916    54.68    1.072
4        4.3840      0.2021        1.                  1.007
5         ∞         0.4000        1.51633    64.14    1.003
6         ∞         0.0980        1.                  0.992
7      -26.4786      0.4796        1.92286    18.90    0.989
8      -45.6102      d8            1.                  0.987
9*       2.0140      1.1515        1.49700    81.54    0.973
10        2.4988      d10           1.                  0.781
11*       2.6171      0.5364        1.78472    25.68    0.636
12*      14.2466      0.1441        1.                  0.549
13(絞り)   ∞         0.1102        1.                  0.514
14        2.9538      0.8289        1.49700    81.54    0.553
15       -1.3287      0.2711        1.88300    40.76    0.612
16       -2.0378      0.0825        1.                  0.667
17        9.5107      1.2111        1.49700    81.54    0.674
18       -1.7947      0.7085        1.84666    23.78    0.673
19        2.1692      0.1784        1.                  0.746
20       10.4491      0.5389        1.75500    52.32    0.790
21       -5.2124      0.2562        1.                  0.899
22        7.9773      0.7946        1.80610    40.92    1.025
23      -26.2995      0.4284        1.                  1.100
24        5.0000      1.0000        1.88300    40.76    1.195
25         ∞         0.6000        1.51633    64.14    1.167
26         ∞         0.0440        1.                  1.142
像面         ∞         0.
非球面データ
第９面
K=0.
A2=0.0000E+00,A4=-7.9705E-03,A6=0.0000E+00,A8=0.0000E+00,
A10=0.0000E+00
第１１面
K=-0.8102
A2=0.0000E+00,A4=2.7721E-02,A6=0.0000E+00,A8=0.0000E+00,
A10=0.0000E+00
第１２面
K=0.
A2=0.0000E+00,A4=4.0853E-02,A6=0.0000E+00,A8=0.0000E+00,
A10=0.0000E+00
各種データ
遠点          近点
OBJ     23.0000        3.5000 
FL       1.02204       1.05587 
MG      -0.042130     -0.223151 
FNO      3.9177        3.8814 
FIY      1.140         1.140 
LTL     12.9220       12.9220 
FB       9.38560E-04  -0.19162
d8       0.27054       1.17354
d10      1.28822       0.38522
β1      0.04162       0.20559
β2      1.06956       1.14689
β3     -0.94641      -0.94641
各群焦点距離
f1=-1.01762,    f2=11.67815,    f3=3.90807
【０３６６】
数値実施例２１
単位    ｍｍ
面データ
面番号       r            d            nd        νd       ER
物面         ∞        13.0000        1.
1         ∞         0.2500        1.88300    40.76    1.404
2*       0.9721      0.5998        1.                  0.965
3         ∞         0.4000        1.49400    75.01    0.945
4         ∞         0.1025        1.                  0.891
5       -7.4090      0.3000        1.81600    46.62    0.881
6        1.0886      0.7980        1.80518    25.42    0.840
7       76.4205      d7            1.                  0.820
8*       2.2208      0.4521        1.49700    81.54    0.786
9*       2.9006      d9            1.                  0.722
10        6.3327      0.3000        1.83400    37.16    0.650
11        1.1384      1.1031        1.64769    33.79    0.614
12       -9.1597      0.1000        1.                  0.598
13(絞り)   ∞         0.1000        1.                  0.590
14        2.4331      0.4109        1.81600    46.62    0.624
15        1.4835      0.6873        1.49700    81.54    0.615
16       -1.5523      0.1000        1.                  0.650
17       -1.7693      0.3000        1.81600    46.62    0.643
18        4.9222      0.5112        1.49700    81.54    0.711
19       -5.5507      0.1000        1.                  0.795
20*       5.0297      0.6920        1.49700    81.54    0.850
21*      -1.8981      0.1000        1.                  0.907
22       16.7852      0.5780        1.83400    37.16    0.902
23        9.3753      0.4930        1.                  0.882
24         ∞         0.2000        1.51633    64.14    0.890
25         ∞         0.1000        1.                  0.892
26         ∞         5.3000        1.63854    55.38    0.894
27         ∞         0.0856        1.                  0.950
像面         ∞         0.
非球面データ
第２面
K=-1.0000
A2=0.0000E+00,A4=-1.6360E-02,A6=4.6266E-02,A8=0.0000E+00,
A10=0.0000E+00
第８面
K=0.
A2=0.0000E+00,A4=-5.2700E-02,A6=5.4101E-02,A8=4.5765E-03,
A10=0.0000E+00
第９面
K=0.
A2=0.0000E+00,A4=-4.9134E-02,A6=6.3791E-02,A8=0.0000E+00,
A10=0.0000E+00
第２０面
K=0.
A2=0.0000E+00,A4=-5.9779E-03,A6=1.4095E-03,A8=0.0000E+00,
A10=0.0000E+00
第２１面
K=0.
A2=0.0000E+00,A4=2.2880E-02,A6=3.2241E-03,A8=0.0000E+00,
A10=0.0000E+00
各種データ
遠点          近点
OBJ     13.0000        2.4000 
FL       0.80002       0.79259 
MG      -0.057538     -0.240455 
FNO      3.6407        3.5879 
FIM      0.948         0.948 
LTL     15.7036       15.7037 
FB       0.03958      -0.10492
d7       0.30000       0.98746
d9       1.24011       0.55265
β1      0.06093       0.24500
β2      1.11789       1.16191
β3     -0.84467      -0.84469
各群焦点距離
f1=-0.85974,    f2=15.61736,    f3=2.99266
【０３６７】
次に、各実施例における条件式の値を以下に掲げる。-（ハイフン）は該当する構成がないことを示す。
実施例１       実施例２       実施例３
(1)fL/R31F          0.653788289    0.547362379    0.236223962
(2)(R31F+R31R)
/(R31F-R31R)    -0.4611081     -4.7717526     -2.1443303
(3)fL/R3AF         -0.659863946    0.522239608    0.505239876
(4)(R3AF+R3AR)
/(R3AF-R3AR)    10.2921811     -1.1399259     -0.9252668
(5)D31/fL           1.836800442    3.086318649    3.289139045
(6)f3C/fL           2.610640648    2.296237853    2.127371274
(7)ν31P-ν32P        0            -23.38         -11.67
(8)ν33P
-(ν31P+ν32P)/2  -31.01          11.69          17.545
(9)ν31N-ν32N       -3.6           16.98          16.98
(10)SFRA            -0.4481569     -0.1792341     -0.1572093
(11)(R21F+R21R)
/(R21F-R21R)   -25.572433      -7.3452038     -4.8921126
(12)D21/fL          0.514635493    1.134037092    1.591411299
(13)β2F            1.12363        1.0915         1.11562
(14)β2N/β2F       1.069898454    1.07234998     1.076907908
(15)(1-β2F2)
×β3F2       0.17145198     0.175312291    0.197951457
(16)(1-β2N2)
×β3N2       0.290741707    0.338949619    0.35883399
(17)fL/R12F        -0.449873701   -0.269316012   -0.124371273
(18)100×|ffin|  36473.8          530.03         399.88
|Rfin|               4.5032        45.6521        86.8018
(19)fL×tanωmax     6.284667144    6.52431036     7.382815092
2ymax                2.28           2.28           2.28
(20)ER              0.961          0.694          0.704
4×fL/FEX            1.098483316    1.016022324    0.963736816
実施例４       実施例５       実施例６
(1)fL/R31F          0.511783583    0.500662117    0.40828453
(2)(R31F+R31R)
/(R31F-R31R)    -5.8696367     -3.5278743     -2.5399771
(3)fL/R3AF          0.422039092    0.518678767    0.475030138
(4)(R3AF+R3AR)
/(R3AF-R3AR)    -0.9083673     -0.9134835     -1.0021063
(5)D31/fL           3.466332244    3.186266531    3.455329854
(6)f3C/fL           2.512568342    2.324008138    2.597345279
(7)ν31P-ν32P      -23.38         -23.38         -23.38
(8)ν33P
-(ν31P+ν32P)/2   11.69          11.69          11.69
(9)ν31N-ν32N       16.98          16.98          16.98
(10)SFRA            -0.2457416     -0.1905309     -0.1291599
(11)(R21F+R21R)
/(R21F-R21R)   -10.716061      -8.2746281     -9.4646465
(12)D21/fL          0.604160479    0.839877925    0.653529146
(13)β2F            1.08825        1.07626        1.07292
(14)β2N/β2F       1.053324144    1.065374538    1.050479066
(15)(1-β2F2)
×β3F2       0.177399375    0.159817609    0.163771405
(16)(1-β2N2)
×β3N2       0.302222094    0.317683367    0.29286664
(17)fL/R12F        -0.209006047   -0.19623892    -0.181207638
(18)100×|ffin|    449.11         400.92         358.82
|Rfin|             539.6992        51.6584        74.5199
(19)fL×tanωmax     5.155121854    5.693983853    5.28502533
2ymax                2.28           2.28           2.28
(20)ER              0.736          0.706          0.727
4×fL/FEX            0.918908264    1.002294163    0.918945501
実施例７       実施例８       実施例９
(1)fL/R31F          0.358984038    0.565541928    0.598246273
(2)(R31F+R31R)
/(R31F-R31R)   -16.52293       -1.981144     -11.729839
(3)fL/R3AF          0.455548034    0.220479971    0.340970264
(4)(R3AF+R3AR)
/(R3AF-R3AR)    -0.8237766     -1.0336523     -1.3694793
(5)D31/fL           3.623011156    3.805383195    3.54893421
(6)f3C/fL           1.735780907    5.545894121    2.36557226
(7)ν31P-ν32P      -23.38         -23.38         -11.67
(8)ν33P
-(ν31P+ν32P)/2   11.69          11.69          34.945
(9)ν31N-ν32N       16.98          16.98          21.86
(10)SFRA            -0.2323081      0.07930571    -0.272248
(11)(R21F+R21R)
/(R21F-R21R)   -11.973222      -5.673273      -7.5508501
(12)D21/fL          0.416285662    1.764064997    1.031764312
(13)β2F            1.08766        1.13728        1.08934
(14)β2N/β2F       1.0494364      1.061893289    1.057126333
(15)(1-β2F2)
×β3F2       0.181381028    0.219760943    0.177920271
(16)(1-β2N2)
×β3N2       0.300176055    0.343391655    0.310841571
(17)fL/R12F        -0.022282726   -0.160428146   -0.329229284
(18)100×|ffin|    352.36         565.57         571.86
|Rfin|              28.5947         3.9331       837.6148
(19)fL×tanωmax     5.093957295    5.571857207    5.542921362
2ymax                2.28           2.28           2.28
(20)ER              0.732          0.933          0.733
4×fL/FEX            0.890463104    0.994828387    0.966761134
実施例１０     実施例１１     実施例１２
(1)fL/R31F          0.563401941    0.513828945    0.49291301
(2)(R31F+R31R)
/(R31F-R31R)    -3.7960435     -0.780451      -0.886933
(3)fL/R3AF          0.376555417    0.28880543     0.321914907
(4)(R3AF+R3AR)
/(R3AF-R3AR)    -1.2162171     -2.6838506     -3.250368
(5)D31/fL           3.394808672    4.044155894    3.971205759
(6)f3C/fL           3.480119976    8.296954168    9.264663196
(7)ν31P-ν32P      -11.67           5.45           5.45
(8)ν33P
-(ν31P+ν32P)/2   34.945         43.505         43.505
(9)ν31N-ν32N       21.86          21.86          21.86
(10)SFRA            -0.0571611     -0.239918      -0.2132118
(11)(R21F+R21R)
/(R21F-R21R)    -7.1603339    -10.916858     -11.253594
(12)D21/fL          1.010451154    0.787080741    0.879501519
(13)β2F            1.0833         1.07788        1.06944
(14)β2N/β2F       1.057287917    1.061518907    1.071775883
(15)(1-β2F2)
×β3F2       0.172485509    0.146031146    0.115435747
(16)(1-β2N2)
×β3N2       0.309956603    0.27899569     0.252055008
(17)fL/R12F        -0.323745044   -0.328920854   -0.361807743
(18)100×|ffin|    432.22         463.38         521.6
|Rfin|              40.7148         8.1303        21.6855
(19)fL×tanωmax     5.59638182     2.883851502    2.870964109
2ymax                2.28           2.28           2.28
(20)ER              0.743          0.824          0.814
4×fL/FEX            0.981691289    1.05341451     1.048746829
実施例１３     実施例１４     実施例１５
(1)fL/R31F          0.520127967    0.441021327    0.597835039
(2)(R31F+R31R)
/(R31F-R31R)    -1.0567359     -2.6150684     -5.0375297
(3)fL/R3AF          0.4462412      0.591470157    0.584392432
(4)(R3AF+R3AR)
/(R3AF-R3AR)    -1.1332831     -0.6523666     -0.7710271
(5)D31/fL           3.416720662    3.245488535    3.407301712
(6)f3C/fL           6.767144641    3.235378276    2.813028931
(7)ν31P-ν32P      -40.63         -40.78         -55.86
(8)ν33P
-(ν31P+ν32P)/2   20.315         20.39          27.93
(9)ν31N-ν32N       16.98          13.38          16.98
(10)SFRA             1.72684983     0.05164729     0.509715
(11)(R21F+R21R)
/(R21F-R21R)    -9.997044     -17.50087      -11.298554
(12)D21/fL          1.141880535    0.584964328    0.465262744
(13)β2F            1.07444        1.12377        1.08409
(14)β2N/β2F       1.07657012     1.066677345    1.057356862
(15)(1-β2F2)
×β3F2       0.120896446    0.167719822    0.147372179
(16)(1-β2N2)
×β3N2       0.264602995    0.278756731    0.263994147
(17)fL/R12F        -0.281811686   -0.195852948   -0.124720784
(18)100×|ffin|    566.25         566.25         566.25
|Rfin|        99999999       99999999       99999999
(19)fL×tanωmax     2.954570275    2.84233488     2.712439845
2ymax                2.28           2.28           2.28
(20)ER              0.715          0.660          0.666
4×fL/FEX            1.085811879    1.060369153    1.029063291
実施例１６     実施例１７     実施例１８
(1)fL/R31F          0.553112576    0.536295465    0.602524272
(2)(R31F+R31R)
/(R31F-R31R)    -1.8065983     -3.4063095     -3.0998369
(3)fL/R3AF          0.535638186    0.590617978    0.52098724
(4)(R3AF+R3AR)
/(R3AF-R3AR)    -0.8743855     -0.657498      -0.4906852
(5)D31/fL           3.3924791      3.320460382    3.186409465
(6)f3C/fL           3.532498991    3.040521259    2.912112702
(7)ν31P-ν32P      -40.63         -55.86         -55.86
(8)ν33P
-(ν31P+ν32P)/2   20.315         27.93          27.93
(9)ν31N-ν32N       26.37           1.64           1.64
(10)SFRA             0.4277965      0.35173961     0.38529629
(11)(R21F+R21R)
/(R21F-R21R)   -13.2292        -9.7634132     -8.4215837
(12)D21/fL          0.454523076    0.496242747    0.671700198
(13)β2F            1.08568        1.11062        1.11364
(14)β2N/β2F       1.057070223    1.05409591     1.06054021
(15)(1-β2F2)
×β3F2       0.146947671    0.183328306    0.199716548
(16)(1-β2N2)
×β3N2       0.260736056    0.290950528    0.328353717
(17)fL/R12F        -0.18403675    -0.106039822   -0.008885465
(18)100×|ffin|    566.25         566.25         566.25
|Rfin|        99999999       99999999       99999999
(19)fL×tanωmax     2.747638048    2.89635339     2.990640205
2ymax                2.28           2.28           2.28
(20)ER              0.682          0.676          0.700
4×fL/FEX            1.028425316    1.064607595    1.099797468
実施例１９     実施例２０     実施例２１
(1)fL/R31F          0.160529511    0.390523862    0.12633158
(2)(R31F+R31R)
/(R31F-R31R)    -0.1304938     -1.4500795     -0.1824766
(3)fL/R3AF          0.518398004    0.471159875        -
(4)(R3AF+R3AR)
/(R3AF-R3AR)   -13.227895      -1.5239677          -
(5)D31/fL           3.909904423    3.808852882        -
(6)f3C/fL          10.09754133     3.221889554    3.030674233
(7)ν31P-ν32P        6.35         -55.86         -47.75
(8)ν33P
-(ν31P+ν32P)/2   54.655         27.93          23.875
(9)ν31N-ν32N        4.88          16.98          -9.46
(10)SFRA             0.15442596     0.68050608    -0.7968132
(11)(R21F+R21R)
/(R21F-R21R)   -17.368615      -9.3085809     -7.5336864
(12)D21/fL          0.466882115    1.126668232    0.565110872
(13)β2F            1.1534         1.06956        1.11789
(14)β2N/β2F       1.046601353    1.072300759    1.03937776
(15)(1-β2F2)
×β3F2       0.242734237    0.136243853    0.21089556
(16)(1-β2N2)
×β3N2       0.335967877    0.298456708    0.29567094
(17)fL/R12F        -0.42909589    -0.207280913   -0.1079795
(18)100×|ffin|    626.69         566.25        2640.1
|Rfin|        99999999       99999999              9.3753
(19)fL×tanωmax     4.270169933    5.897511831    2.46301838
2ymax                2.28           2.28           1.896
(20)ER              0.887          0.746          0.795
4×fL/FEX            1.061830508    1.041834862    0.87409997
【０３６８】
図４３は、撮像装置の例である。この例では、撮像装置は内視鏡システムである。図４３は、内視鏡システムの概略構成を示す図である。
【０３６９】
内視鏡システム３００は、電子内視鏡を用いた観察システムである。内視鏡システム３００は、電子内視鏡３１０と画像処理装置３２０とから構成されている。電子内視鏡３１０は、スコープ部３１０ａと接続コード部３１０ｂとを備えている。また、画像処理装置３２０には、表示ユニット３３０が接続されている。
【０３７０】
スコープ部３１０ａは、操作部３４０と挿入部３４１に大別される。挿入部３４１は、細長で患者の体腔内へ挿入可能になっている。また、挿入部３４１は、可撓性を有する部材で構成されている。観察者は、操作部３４０に設けられているアングルノブ等により、諸操作を行うことができる。
【０３７１】
また、操作部３４０からは、接続コード部３１０ｂが延設されている。接続コード部３１０ｂは、ユニバーサルコード３５０を備えている。ユニバーサルコード３５０は、コネクタ３６０を介して画像処理装置３２０に接続されている。
【０３７２】
ユニバーサルコード３５０は、各種の信号等の送受信に用いられる。各種の信号としては、電源電圧信号及びＣＣＤ駆動信号等がある。これらの信号は、電源装置やビデオプロセッサからスコープ部３１０ａに送信される。また、各種の信号として映像信号がある。この信号は、スコープ部３１０ａからビデオプロセッサに送信される。
【０３７３】
なお、画像処理装置３２０内のビデオプロセッサには、図示しないＶＴＲデッキ、ビデオプリンタ等の周辺機器が接続可能である。ビデオプロセッサは、スコープ部３１０ａからの映像信号に対して信号処理を施す。映像信号に基づいて、表示ユニット３３０の表示画面上に内視鏡画像が表示される。
【０３７４】
挿入部３４１の先端部３４２には、光学系が配置されている。図４４は、内視鏡の光学系の構成を示す図である。光学系４００は、照明部と観察部とを有する。
【０３７５】
照明部は、ライトガイド４０１と照明レンズ４０２とを有する。ライトガイド４０１は、照明光を挿入部３４１の先端部３４２に伝送する。伝送された照明光は、ライトガイド４０１の先端面から出射する。
【０３７６】
先端部３４２には、照明レンズ４０２が配置されている。照明レンズ４０２は、ライトガイド４０１の先端面と対向する位置に配置されている。照明光は照明レンズ４０２を通過し、照明窓４０３から出射する。これにより、被検体内部の観察対象部位（以下、「観察部位４０４」という）が照明される。
【０３７７】
先端部３４２には、観察窓４０５が、照明窓４０３の隣に設けられている。観察部位４０４からの光は、観察窓４０５を通過して、先端部３４２内に入射する。観察窓４０５の後方には、観察部が設けられている。
【０３７８】
観察部は、広角光学系４０６と撮像素子４０７とを有する。広角光学系４０６に、例えば、実施例１の広角光学系が用いられている。
【０３７９】
観察部位４０４からの反射光は、広角光学系４０６を通過して撮像素子４０７に入射する。撮像素子４０７の撮像面には、観察部位４０４の像（光学像）が形成される。観察部位４０４の像は撮像素子４０７によって光電変換され、これにより観察部位４０４の画像が得られる。観察部位４０４の画像は表示ユニット３３０に表示される。このようにして、観察者は、観察部位４０４の画像を観察できる。
【０３８０】
広角光学系４０６では、像面は湾曲形状になっている。撮像素子４０７は、像面の形状と同じ湾曲形状の受光面（撮像面）を有している。撮像素子４０７を用いることで、撮影画像の画質を向上することができる。
【０３８１】
図４５は、撮像装置の光学系の構成を示す図である。光学系は、対物光学系ＯＢＪと、カバーガラスＣと、プリズムＰと、を有する。カバーガラスＣは、対物光学系ＯＢＪとプリズムＰとの間に配置されている。対物光学系ＯＢＪに、実施例２１の広角光学系が用いられている。カバーガラスＣの代わりに、光学フィルタを配置しても良い。あるいは、カバーガラスＣは配置しなくても良い。
【０３８２】
プリズムＰは、プリズムＰ１と、プリズムＰ２と、を有する。プリズムＰ１とプリズムＰ２は、共に三角プリズムである。プリズムＰ１とプリズムＰ２とで、光路分割素子が形成されている。
【０３８３】
プリズムＰ１は、光学面Ｓ１と、光学面Ｓ２と、光学面Ｓ３と、を有する。プリズムＰ２は、光学面Ｓ３と、光学面Ｓ４と、光学面Ｓ５と、を有する。プリズムＰ１は、プリズムＰ２に接合されている。プリズムＰ１とプリズムＰ２とで、接合面が形成される。光学面Ｓ３は、接合面である。
【０３８４】
対物光学系ＯＢＪから射出された光（以下、「結像光」という）は、カバーガラスＣを通過して、光学面Ｓ１に入射する。光学面Ｓ１は透過面なので、結像光は光学面Ｓ１を透過する。
【０３８５】
続いて、結像光は光学面Ｓ３に入射する。光学面Ｓ３は、面の法線が光軸に対して４５度となるように配置されている。光学面Ｓ３に入射した結像光は、光学面Ｓ３を透過する光（以下、「結像光１」という）と、光学面Ｓ３で反射される光（以下、「結像光２」という）と、に分かれる。
【０３８６】
結像光１と結像光２は、互いに異なる方向に進行する。結像光１が進行する光路を第１の光路とし、結像光２が進行する光路を第２の光路とすると、光学面Ｓ３によって、第１の光路と第２の光路が形成される。このように、光学面Ｓ３は、光路分割面として機能する。
【０３８７】
第１の光路は、対物光学系ＯＢＪの光路の延長線上に形成されている。第２の光路は、第１の光路と交差するように形成されている。図４５では、第２の光路は第１の光路と直交している。
【０３８８】
第１の光路には、光学面Ｓ３、光学面Ｓ４、及び光学面Ｓ５が位置している。光学面Ｓ３を透過した結像光１は、光学面Ｓ４に入射する。光学面Ｓ４は反射面である。結像光１は光学面Ｓ４で反射され、光学面Ｓ５に入射する。光学面Ｓ５は透過面である。結像光１は光学面Ｓ５を透過し、光学面Ｓ５の近傍の像面Ｉに集光する。像面Ｉに、結像光１による光学像が形成される。
【０３８９】
第２の光路には、光学面Ｓ３、光学面Ｓ２、光学面Ｓ３、及び光学面Ｓ５が位置している。光学面Ｓ３で反射された結像光２は、光学面Ｓ２に入射する。光学面Ｓ２は反射面である。結像光２は光学面Ｓ２で反射され、光学面Ｓ３に入射する。光学面Ｓ３では、結像光２は、光学面Ｓ３を透過する光と、光学面Ｓ３で反射される光と、に分かれる。
【０３９０】
光学面Ｓ３を透過した結像光２は、光学面Ｓ５に入射する。結像光２は光学面Ｓ５を透過し、光学面Ｓ５の近傍の像面Ｉに集光する。像面Ｉに、結像光２による光学像が形成される。
【０３９１】
図４５に示す光学系では２つの光路が形成されているので、同一平面に光学像が２つ形成される。この同一平面は、２つの光路における像面Ｉである。
【０３９２】
第１の光路における光路長と第２の光路における光路長が等しい場合、同一平面内の異なる位置に、ピントの合った光学像が２つ形成される。２つの光学像は、同一物体にピントが合ったときの光学像である。よって、一方の光学像における物体面の位置と他方の光学像における物体面の位置は等しい。
【０３９３】
一方、第１の光路における光路長と第２の光路における光路長が異なる場合も、同一平面内の異なる位置に、ピントの合った光学像が２つ形成される。ただし、２つの光学像は、異なる物体にピントが合ったときの光学像である。よって、一方の光学像における物体面の位置と他方の光学像における物体面の位置は異なる。
【０３９４】
例えば、第１の光路における光路長が第２の光路における光路長よりも短いとする。この場合、結像光１によって形成される光学像の物体面は、結像光２によって形成される物体面よりも遠くに位置している。このように、対物光学系ＯＢＪからの距離（以下、「物体距離」という）が異なる２つの物体面に対して、それぞれピントを合わせることになる。２つの物体面で物体距離が異なっていても、同一平面内の異なる位置に、２つの光学像が形成される。
【０３９５】
対物光学系ＯＢＪは、ピントの合っている区間（以下、「合焦区間」という）を有する。合焦区間は物体距離で表される区間であって、対物光学系ＯＢＪの被写界深度に相当する。合焦区間では、物体面がどこに位置していても、ピントの合った光学像が形成される。
【０３９６】
２つの物体面で物体距離が異なる場合、一方の物体面における合焦区間の位置と、他方の物体面における合焦区間の位置との間で、ずれが生じる。２つの物体面の間隔を適切に設定することで、一方の物体面における合焦区間の一部と、他方の物体面における合焦区間の一部を、重複させることができる。
【０３９７】
こうして、合焦区間がずれた２つの光学像を撮像し、これにより２つの画像を取得する。そして、撮像した２つの画像からピントが合っている領域（被写界深度に相当する範囲の画像領域）だけを抽出し、抽出した領域を合成する。このようにすることで、被写界深度の大きな画像を取得することができる。
【０３９８】
光学面Ｓ３には、例えば、ハーフミラー面、又は偏光ビームスプッリタ面を用いることができる。
【０３９９】
光学面Ｓ３がハーフミラー面の場合、結像光の光量の半分が光学面Ｓ３で反射され、残りの半分が光学面Ｓ３を透過する。よって、結像光２の光量は、結像光の光量の半分の光量になる。結像光２は、光学面Ｓ２で反射される。光学面Ｓ２で反射された結像光２は、光学面Ｓ３を透過する。光学面Ｓ３では、結像光２の光量の半分しか透過させることができない。
【０４００】
光学面Ｓ３が偏光ビームスプッリタ面の場合、カバーガラスＣの代わりに、偏光解消板、又は波長板を用いてもよい。また、光学面Ｓ２は反射面ではなく、透過面である。そして、光学面Ｓ２から離れた位置に、反射面を配置する。更に、光学面Ｓ２と反射面との間に、λ／４波長板を配置する。
【０４０１】
Ｐ偏光は紙面内に光の振幅を持つ偏光で、Ｓ偏光は紙面と直交する面内に振幅を持つ偏光である。Ｐ偏光は光学面Ｓ３を透過し、Ｓ偏光は光学面Ｓ３で反射されるとすると、Ｐ偏光が結像光１に対応し、Ｓ偏光が結像光２に対応する。
【０４０２】
例えば、カバーガラスＣの代わりに偏光解消板が用いられると、結像光は偏光解消板を通過する。そのため、偏光解消板から射出された結像光では、結像光に含まれるＰ偏光とＳ偏光の割合は、略半分になる。光学面Ｓ３に入射した結像光は、光学面Ｓ３でＰ偏光とＳ偏光に分かれる。よって、結像光２の光量は、結像光の光量の半分の光量になる。
【０４０３】
光学面Ｓ３から光学面Ｓ２に向かうときの結像光２は、Ｓ偏光である。光学面Ｓ２が反射面の場合、結像光２はＳ偏光のままで光学面Ｓ３に向かって反射される。光学面Ｓ２から光学面Ｓ３に向かうときの結像光２はＳ偏光なので、結像光２は光学面Ｓ３を透過できない。
【０４０４】
一方、光学面Ｓ２が透過面の場合、結像光２は反射面で反射される。光学面Ｓ２と反射面との間には、λ／４波長板が配置されている。光学面Ｓ２と反射面との間を結像光２が往復することで、結像光２における偏光方向が９０度回転する。よって、Ｓ偏光をＰ偏光に変換することができる。その結果、光学面Ｓ２から光学面Ｓ３に向かうときの結像光は、Ｐ偏光になる。
【０４０５】
光学面Ｓ３には、Ｐ偏光に変換された結像光２が到達する。よって、結像光２は光学面Ｓ３で反射されない。すなわち、光学面Ｓ３では、結像光２の光量のほぼ全てを透過させることができる。
【０４０６】
図４６は、撮像装置の概略構成を示す図である。（Ａ）は全体構成を示す図、（Ｂ）は物体の向きを示す図である。
【０４０７】
図４６（Ａ）に示すように、撮像装置５００は、対物光学系５０１と、偏光解消板５０２と、第１プリズム５０３と、第２プリズム５０４と、第３プリズム５０５と、波長板５０６と、ミラー５０７と、撮像素子５０８と、画像処理部５１１と、画像表示装置５１２と、を有する。
【０４０８】
撮像装置５００では、第１プリズム５０３、第２プリズム５０４、及び第３プリズム５０５で、光路分割素子が形成されている。
【０４０９】
対物光学系５０１は、物体の像を形成する。対物光学系５０１と第１プリズム５０３との間に、偏光解消板５０２が配置されている。
【０４１０】
第１プリズム５０３と第２プリズム５０４は接合されている。第１プリズム５０３と第２プリズム５０４によって、接合面５０９が形成されている。接合面５０９に入射した光は、接合面５０９で反射された光と、接合面５０９を透過する光に分かれる。
【０４１１】
接合面５０９には、偏光ビームスプリッタ面を用いることができる。この場合、接合面５０９では、例えば、Ｐ偏光は透過され、Ｓ偏光は反射される。
【０４１２】
接合面５０９を透過したＰ偏光は、第２プリズム５０４から射出される。Ｐ偏光は、第３プリズム５０５に入射し、光学面５１０に到達する。光学面５１０は、例えば、ミラー面である。よって、Ｐ偏光は、光学面５１０で反射される。
【０４１３】
光学面５１０で反射されたＰ偏光は、第３プリズム５０５から射出され、撮像素子５０８に入射する。図４６（Ｂ）に示すように、撮像素子５０８は、第１領域５１３と、第２領域５１４と、を有する。光学面５１０で反射されたＰ偏光は、第１領域５１３に入射する。よって、第１領域５１３に、光学像が形成される。
【０４１４】
一方、接合面５０９で反射されたＳ偏光は、第１プリズム５０３から射出される。Ｓ偏光は、波長板５０６に入射する。波長板５０６には、λ／４波長板が用いられている。そのため、Ｓ偏光は、波長板５０６で円偏光に変換される。その結果、波長板５０６から、円偏光が射出される。
【０４１５】
円偏光は、ミラー５０７で反射され、再び波長板５０６に入射する。波長板５０６から射出された光は、第１プリズム５０３に入射し、接合面５０９に到達する。波長板５０６に入射した円偏光は、波長板５０６でＰ偏光に変換される。接合面５０９に到達した光はＰ偏光なので、接合面５０９を透過する。
【０４１６】
接合面５０９を透過したＰ偏光は、第２プリズム５０４から射出され、撮像素子５０８に入射する。上述のように、撮像素子５０８は、第１領域５１３と、第２領域５１４と、を有する。接合面５０９を透過したＰ偏光は、第２領域５１４に入射する。その結果、第２領域５１４に、光学像が形成される。
【０４１７】
撮像素子５０８には、例えば、ローリングシャッタ方式が採用されている。ローリングシャッタ方式では、１ラインずつ画像情報が読み出される。撮像素子５０８は、画像処理部５１１に接続されている。読み出された画像情報は、画像処理部５１１に入力される。
【０４１８】
画像処理部５１１は、第２画像処理部５１１ｂを有する。第２画像処理部５１１ｂでは、１ラインずつ読み出された画像情報を用いて、焦点が合った画像を表示用画像として選択することができる。第２画像処理部５１１ｂが選択した１ラインずつの画像は、合成されて画像表示装置５１２に表示される。
【０４１９】
画像処理部５１１について説明する。画像処理部５１１は、例えば、中央処理演算装置（不図示）に設けられている。画像処理部５１１は、第１画像処理部５１１ａと、第２画像処理部５１１ｂと、第３画像処理部５１１ｃと、第４画像処理部５１１ｄと、第５画像処理部５１１ｅと、を有している。
【０４２０】
第１画像処理部５１１ａでは、第１領域５１３から取得された画像（以下「第１画像」という）の向きと、第２領域５１４から取得された画像（以下「第２画像」という）の向きが補正される。画像の向きの補正では、例えば、画像が回転される。
【０４２１】
第１画像の向きと、第２画像の向きは、各々、第１領域５１３に形成される光学像（以下「第１光学像」という）の向きと、第２領域５１４に形成される光学像（以下「第２光学像」という）の向きによって決まる。
【０４２２】
図４７は、物体、対物光学系、及び光路分割素子の位置関係を示す図である。例えば、図４７に示すような”Ｆ”の文字を観察する場合について説明する。第１光学像の向きと、第２光学像の向きは、各々、図４６（Ｂ）に示すような向きになる。
【０４２３】
図４６（Ｂ）に示すように、第１光学像と第２光学像は、互いに鏡像の関係になっている。更に、紙面の上下方向を正立方向とすると、第１光学像と第２光学像は、正立方向から９０度回転している。
【０４２４】
そこで、物体の画像を画像表示装置５１２に表示させる場合には、第１画像処理部５１１ａで、第１画像を、第１領域５１３の中心点を中心として９０度回転させる。第２画像についても、領域５１４の中心点を中心として９０度回転させる。そして、第２画像については、画像を反転させて鏡像を補正する。
【０４２５】
第１画像処理部５１１ａによる処理が終ると、第２画像処理部５１１ｂによる処理が実行される。ただし、必要に応じて、第２画像処理部５１１ｂによる処理を実行する前に、第３画像処理部５１１ｃ、第４画像処理部５１１ｄ、及び第５画像処理部５１１ｅのうちの少なくとも１つの処理を実行しても良い。
【０４２６】
第３画像処理部５１１ｃは、第１画像のホワイトバランスと第２画像のホワイトバランスが、調整可能に構成されている。第４画像処理部５１１ｄは、第１画像の中心位置と第２画像の中心位置が、移動可能又は選択可能に構成されている。第５画像処理部５１１ｅは、第１画像の表示範囲と第２画像の表示範囲が、調整可能に構成されている。また、第５画像処理部５１１ｅでは、表示範囲に代えて、表示倍率が調整可能に構成されていても良い。
【０４２７】
第２画像処理部５１１ｂは、第１画像と第２画像とを比較し、焦点が合った領域の画像を表示用画像として選択するように構成されている。
【０４２８】
第２画像処理部５１１ｂは、例えば、高域通過フィルタと、比較器と、切替器と、を有する。第１領域５１３と第２領域５１４の各々に、高域通過フィルタが接続されている。高域通過フィルタでは、第１画像と第２画像の各々から、高域成分が抽出される。
【０４２９】
２つの高域通過フィルタの出力は、比較器に入力される。２つの高域通過フィルタで抽出された高域成分は、比較器で比較される。比較結果は、切替器に入力される。切替器には、更に、第１領域５１３と第２領域５１４が接続されている。よって、切替器には、比較結果、第１画像の信号、及び第２画像の信号が入力されている。
【０４３０】
切替器では、比較結果に基づいて、第１画像において高域成分の多い領域と、第２画像において高域成分の多い領域とが、選択される。
【０４３１】
画像表示装置５１２は、表示領域を有している。表示領域には、第２画像処理部５１１ｂが選択した画像が表示される。画像表示装置５１２は、第１の画像と第２の画像を表示する表示領域を有していてもよい。
【産業上の利用可能性】
【０４３２】
以上のように、本発明に係る発明は、諸収差が良好に補正され、移動するレンズの外径と、移動するレンズ群の近くに位置するレンズの外径が、十分に小さい広角光学系及びそれ用いた撮像装置に適している。
【符号の説明】
【０４３３】
Ｇ１  第１レンズ群
Ｇ２  第２レンズ群
Ｇ３  第３レンズ群
Ｓ  明るさ絞り
Ｆ  フィルタ
Ｃ  カバーガラス
Ｐ、Ｐ１、Ｐ２  プリズム
Ｉ  像面
ＯＢＪ  対物光学系
３００  内視鏡システム
３１０  電子内視鏡
３１０ａ  スコープ部
３１０ｂ  接続コード部
３２０  画像処理装置
３３０  表示ユニット
３４０  操作部
３４１  挿入部
３４２  先端部
３５０  ユニバーサルコード
３６０  コネクタ
４００  光学系
４０１  ライトガイド
４０２  照明レンズ
４０３  照明窓
４０４  観察部位
４０５  観察窓
４０６  広角光学系
４０７  撮像素子
５００  撮像装置
５０１  対物光学系
５０２  偏光解消板
５０３  第１プリズム
５０４  第２プリズム
５０５  第３プリズム
５０６  波長板
５０７  ミラー
５０８  撮像素子
５０９  接合面
５１０、Ｓ１、Ｓ２、Ｓ３、Ｓ４、Ｓ５  光学面
５１１  画像処理部
５１１ａ  第１画像処理部
５１１ｂ  第２画像処理部
５１１ｃ  第３画像処理部
５１１ｄ  第４画像処理部
５１１ｅ  第５画像処理部
５１２  画像表示装置
５１３  第１領域
５１４  第２領域
【図１】
2020178883.tif 000003
【図２】
2020178883.tif 000004
【図３】
2020178883.tif 000005
【図４】
2020178883.tif 000006
【図５】
2020178883.tif 000007
【図６】
2020178883.tif 000008
【図７】
2020178883.tif 000009
【図８】
2020178883.tif 000010
【図９】
2020178883.tif 000011
【図１０】
2020178883.tif 000012
【図１１】
2020178883.tif 000013
【図１２】
2020178883.tif 000014
【図１３】
2020178883.tif 000015
【図１４】
2020178883.tif 000016
【図１５】
2020178883.tif 000017
【図１６】
2020178883.tif 000018
【図１７】
2020178883.tif 000019
【図１８】
2020178883.tif 000020
【図１９】
2020178883.tif 000021
【図２０】
2020178883.tif 000022
【図２１】
2020178883.tif 000023
【図２２】
2020178883.tif 000024
【図２３】
2020178883.tif 000025
【図２４】
2020178883.tif 000026
【図２５】
2020178883.tif 000027
【図２６】
2020178883.tif 000028
【図２７】
2020178883.tif 000029
【図２８】
2020178883.tif 000030
【図２９】
2020178883.tif 000031
【図３０】
2020178883.tif 000032
【図３１】
2020178883.tif 000033
【図３２】
2020178883.tif 000034
【図３３】
2020178883.tif 000035
【図３４】
2020178883.tif 000036
【図３５】
2020178883.tif 000037
【図３６】
2020178883.tif 000038
【図３７】
2020178883.tif 000039
【図３８】
2020178883.tif 000040
【図３９】
2020178883.tif 000041
【図４０】
2020178883.tif 000042
【図４１】
2020178883.tif 000043
【図４２】
2020178883.tif 000044
【図４３】
2020178883.tif 000045
【図４４】
2020178883.tif 000046
【図４５】
2020178883.tif 000047
【図４６】
2020178883.tif 000048
【図４７】
2020178883.tif 000049
【手続補正書】
【提出日】令和3年3月1日(2021.3.1)
【手続補正１】
【補正対象書類名】特許請求の範囲
【補正対象項目名】全文
【補正方法】変更
【補正の内容】
【特許請求の範囲】
【請求項１】
レンズ成分を有する広角光学系であって、
前記レンズ成分は、複数の光学面を有し、
前記レンズ成分では、２つの前記光学面が空気と接触し、且つ、少なくとも１つの前記光学面が曲面であり、
物体側から順に、負の屈折力を有する第１レンズ群と、第２レンズ群と、正の屈折力を有する第３レンズ群と、を備え、
前記第２レンズ群は、焦点位置調節のために、第１の位置と第２の位置との間を光軸に沿って移動し、前記第１の位置は、前記第１レンズ群と前記第２レンズ群との間隔が最小となる位置であり、前記第２の位置は、前記第２レンズ群と前記第３レンズ群との間隔が最小となる位置であり、
前記第３レンズ群は、正の接合レンズと、負の接合レンズと、を含み、
以下の条件式（１）を満足することを特徴とする広角光学系。
０．０５＜ｆL／R31F＜１．０      （１）
ここで、
R31Fは、物体側レンズ成分の物体側の面の曲率半径、
ｆLは、前記第１の位置における前記広角光学系の焦点距離、
前記物体側レンズ成分は、前記第３レンズ群で最も物体側に位置するレンズ成分、
である。
【請求項２】
以下の条件式（２）を満足することを特徴とする請求項１に記載の広角光学系。
−１．０×１０2＜（R31F＋R31R）／（R31F−R31R）＜０．５      （２）
ここで、
R31Fは、前記物体側レンズ成分の物体側の面の曲率半径、
R31Rは、前記物体側レンズ成分の像側の面の曲率半径、
である。
【請求項３】
第１空気レンズを有し、
前記第１空気レンズは、以下の条件式（３）を満足する空気レンズであり、
前記第３レンズ群に、前記第１空気レンズが設けられていることを特徴とする請求項１に記載の広角光学系。
−０．７＜ｆL／R3AF＜１．０      （３）
ここで、
R3AFは、前記第１空気レンズの物体側の面の曲率半径、
ｆLは、前記第１の位置における前記広角光学系の焦点距離、
である。
【請求項４】
第１空気レンズを有し、
前記第１空気レンズは、以下の条件式（４）を満足する空気レンズであり、
前記第３レンズ群に、前記第１空気レンズが設けられていることを特徴とする請求項１に記載の広角光学系。
−２０．０＜（R3AF＋R3AR）／（R3AF−R3AR）＜１５．０      （４）
ここで、
R3AFは、前記第１空気レンズの物体側の面の曲率半径、
R3ARは、前記第１空気レンズの像側の面の曲率半径、
である。
【請求項５】
第１空気レンズを有し、
前記第１空気レンズは、以下の条件式（５）を満足する空気レンズであり、
前記第３レンズ群に、前記第１空気レンズが設けられていることを特徴とする請求項１に記載の広角光学系。
１．０＜D31／ｆL＜１０．０      （５）
ここで、
D31は、前記物体側レンズ成分の物体側の面と前記第１空気レンズの物体側の面との光軸上の距離、
ｆLは、前記第１の位置における前記広角光学系の焦点距離、
である。
【請求項６】
前記正の接合レンズは、前記負の接合レンズの物体側に配置されていることを特徴とする請求項１乃至５のいずれか一項に記載の広角光学系。
【請求項７】
前記第３レンズ群は、複数の負レンズを有することを特徴とする請求項１乃至５のいずれか一項に記載の広角光学系。
【請求項８】
前記第３レンズ群は、最も物体側の負レンズ成分よりも物体側に、複数の正レンズ成分を含むことを特徴とする請求項１乃至５のいずれか一項に記載の広角光学系。
【請求項９】
前記第３レンズ群では、最も物体側の負レンズ成分よりも物体側に、前記正の接合レンズが配置され、
以下の条件式（６）を満足することを特徴とする請求項１乃至５のいずれか一項に記載の広角光学系。
０．５＜ｆ3C／ｆL＜１５      （６）
ここで、
ｆ3Cは、前記正の接合レンズの焦点距離、
ｆLは、前記第１の位置における前記広角光学系の焦点距離、
である。
【請求項１０】
前記第３レンズ群は、第１レンズ成分と、第２レンズ成分と、第３レンズ成分と、を有し、
前記第１レンズ成分は、単レンズであり、
前記第２レンズ成分と前記第３レンズ成分は、接合レンズであることを特徴とする請求項１乃至５のいずれか一項に記載の広角光学系。
【請求項１１】
前記第３レンズ群は、複数の正レンズを有し、
前記複数の正レンズは、第１正レンズと、第２正レンズと、を有し、前記第１正レンズは、前記複数の正レンズのなかで、最も物体側に位置する正レンズであり、前記第２正レンズは、前記複数の正レンズのなかで、物体側から２番目に位置する正レンズであり、
以下の条件式（７）を満足することを特徴とする請求項１乃至５のいずれか一項に記載の広角光学系。
−７０＜ν31P−ν32P＜２０      （７）
ここで、
ν31Pは、前記第１正レンズのアッベ数、
ν32Pは、前記第２正レンズのアッベ数、
である。
【請求項１２】
前記第３レンズ群は、複数の正レンズを有し、
前記複数の正レンズは、第１正レンズと、第２正レンズと、第３正レンズと、を有し、前記第１正レンズは、前記複数の正レンズのなかで、最も物体側に位置する正レンズであり、前記第２正レンズは、前記複数の正レンズのなかで、物体側から２番目に位置する正レンズであり、前記第３正レンズは、前記複数の正レンズのなかで、物体側から３番目に位置する正レンズであり、
以下の条件式（８）を満足することを特徴とする請求項１乃至５のいずれか一項に記載の広角光学系。
−４０＜ν33P−（ν31P＋ν32P）／２＜６０      （８）
ここで、
ν31Pは、前記第１正レンズのアッベ数、
ν32Pは、前記第２正レンズのアッベ数、
ν33Pは、前記第３正レンズのアッベ数、
である。
【請求項１３】
前記第３レンズ群は、複数の負レンズを有し、
前記複数の負レンズは、第１負レンズと、第２負レンズと、を有し、前記第１負レンズは、前記複数の負レンズのなかで、最も物体側に位置する負レンズであり、前記第２負レンズは、前記複数の負レンズのなかで、物体側から２番目に位置する負レンズであり、
以下の条件式（９）を満足することを特徴とする請求項１乃至５のいずれか一項に記載の広角光学系。
−１０＜ν31N−ν32N＜４０      （９）
ここで、
ν31Nは、前記第１負レンズのアッベ数、
ν32Nは、前記第２負レンズのアッベ数、
である。
【請求項１４】
前記第３レンズ群は、最も像側の負レンズ成分よりも像側に、３つ以上の正レンズを含むことを特徴とする請求項１乃至５のいずれか一項に記載の広角光学系。
【請求項１５】
第２空気レンズを有し、
前記第２空気レンズは、以下の条件式（１０）を満足する空気レンズであり、
前記第３レンズ群に、前記第２空気レンズが設けられていることを特徴とする請求項１乃至５のいずれか一項に記載の広角光学系。
−３．０＜SFRA＜５．０      （１０）
ここで、
SFRA＝（RRAF＋RRAR）／（RRAF−RRAR）であり、
RRAFは、前記第２空気レンズの物体側の面の曲率半径、
RRARは、前記第２空気レンズの像側の面の曲率半径、
である。
【請求項１６】
前記第３レンズ群は焦点位置調節時には固定であることを特徴とする請求項１乃至５のいずれか一項に記載の広角光学系。
【請求項１７】
以下の条件式（１１）を満足することを特徴とする請求項１乃至５のいずれか一項に記載の広角光学系。
−５０＜（R21F＋R21R）／（R21F−R21R）＜−１．０      （１１）
ここで、
R21Fは、所定のレンズ成分の物体側の面の曲率半径、
R21Rは、前記所定のレンズ成分の像側の面の曲率半径、
前記所定のレンズ成分は、前記第２レンズ群で最も物体側に位置するレンズ成分、
である。
【請求項１８】
以下の条件式（１２）を満足することを特徴とする請求項１乃至５のいずれか一項に記載の広角光学系。
０．０＜D21／ｆL＜３．０      （１２）
ここで、
D21は、前記第２レンズ群の最も物体側の面と最も像側の面との光軸上の距離、
ｆLは、前記第１の位置における前記広角光学系の焦点距離、
である。
【請求項１９】
以下の条件式（１３）を満足することを特徴とする請求項１乃至５のいずれか一項に記載の広角光学系。
１．０１＜β2F＜１．３５      （１３）
ここで、
β2Fは、前記第１の位置における前記第２レンズ群の倍率、
である。
【請求項２０】
以下の条件式（１４）を満足することを特徴とする請求項１乃至５のいずれか一項に記載の広角光学系。
１．０１＜β2N／β2F＜１．１５      （１４）
ここで、
β2Fは、前記第１の位置における前記第２レンズ群の倍率、
β2Nは、前記第２の位置における前記第２レンズ群の倍率、
である。
【請求項２１】
以下の条件式（１５）を満足することを特徴とする請求項１乃至５のいずれか一項に記載の広角光学系。
０．１０＜（１−β2F2）×β3F2＜０．３５      （１５）
ここで、
β2Fは、前記第１の位置における前記第２レンズ群の倍率、
β3Fは、前記第１の位置における前記第３レンズ群の倍率、
である。
【請求項２２】
以下の条件式（１６）を満足することを特徴とする請求項１乃至５のいずれか一項に記載の広角光学系。
０．２０＜（１−β2N2）×β3N2＜０．５０      （１６）
ここで、
β2Nは、前記第２の位置における前記第２レンズ群の倍率、
β3Nは、前記第２の位置における前記第３レンズ群の倍率、
である。
【請求項２３】
前記第２レンズ群は、正の屈折力を有することを特徴とする請求項１乃至５のいずれか一項に記載の広角光学系。
【請求項２４】
前記第１レンズ群は、複数の負レンズを有することを特徴とする請求項１乃至５のいずれか一項に記載の広角光学系。
【請求項２５】
前記第１レンズ群は、複数の負レンズ成分を有し、
前記複数の負レンズ成分は、第１負レンズ成分と、第２負レンズ成分と、を有し、前記第２負レンズ成分は、前記複数の負レンズ成分のなかで、物体側から２番目に位置する負レンズ成分であり、
以下の条件式（１７）を満足することを特徴とする請求項１乃至５のいずれか一項に記載の広角光学系。
−２．０＜ｆL／R12F＜５．０      （１７）
ここで、
R12Fは、前記第２負レンズ成分の物体側の面の曲率半径、
ｆLは、前記第１の位置における前記広角光学系の焦点距離、
である。
【請求項２６】
前記第１レンズ群は、複数の負レンズ成分と、正レンズ成分と、を有するか、又は、複数の負レンズ成分を有し、
前記複数の負レンズ成分は、第１負レンズ成分と、第２負レンズ成分と、を有し、前記第２負レンズ成分は、前記複数の負レンズ成分のなかで、物体側から２番目に位置する負レンズ成分であり、
以下の条件式（１７）を満足することを特徴とする請求項１乃至５のいずれか一項に記載の広角光学系。
−２．０＜ｆL／R12F＜５．０      （１７）
ここで、
R12Fは、前記第２負レンズ成分の物体側の面の曲率半径、
ｆLは、前記第１の位置における前記広角光学系の焦点距離、
である。
【請求項２７】
前記第１レンズ群は、複数の負レンズ成分を有し、
前記複数の負レンズ成分は、第１負レンズ成分と、第２負レンズ成分と、を有し、前記第１負レンズ成分は、前記複数の負レンズ成分のなかで、最も物体側に位置する負レンズ成分であり、前記第２負レンズ成分は、前記複数の負レンズ成分のなかで、物体側から２番目に位置する負レンズ成分であり、
以下の条件式（１７）を満足することを特徴とする請求項１乃至５のいずれか一項に記載の広角光学系。
−２．０＜ｆL／R12F＜５．０        （１７）
ここで、
R12Fは、前記第２負レンズ成分の物体側の面の曲率半径、
ｆLは、前記第１の位置における前記広角光学系の焦点距離、
である。
【請求項２８】
以下の条件式（１８）を満足することを特徴とする請求項１乃至５のいずれか一項に記載の広角光学系。
１００×｜ｆfin｜＜｜Ｒfin｜      （１８）
ここで、
ｆfinは、像側レンズ成分の焦点距離、
Ｒfinは、前記像側レンズ成分の像側の面の曲率半径、
前記像側レンズ成分は、前記複数のレンズ成分のなかで、最も像側に位置するレンズ成分、
である。
【請求項２９】
像側レンズ成分と、光学素子と、を有し、
前記像側レンズ成分は、前記複数のレンズ成分のなかで、最も像側に位置し、
前記光学素子は、前記像側レンズ成分の像側に位置し、
前記像側レンズ成分と前記光学素子は接合されていることを特徴とする請求項１乃至５のいずれか一項に記載の広角光学系。
【請求項３０】
以下の条件式（１９）を満足することを特徴とする請求項１に記載の広角光学系。
２ｙmax＜ｆL×ｔａｎωmax      （１９）
ここで、
ｙmaxは、最大像高、
ωmaxは、前記最大像高に対応した画角、
ｆLは、前記第１の位置における前記広角光学系の焦点距離、
である。
【請求項３１】
以下の条件式（２０）を満足することを特徴とする請求項１に記載の広角光学系。
ＥＲ＜４×ｆL／ＦEX      （２０）
ここで、
ＥＲは、前記負の接合レンズの最も像側の面の有効半径、
ＦEXは、前記第１の位置における有効Ｆ値、
ｆLは、前記第１の位置における前記広角光学系の焦点距離、
である。
【請求項３２】
光学系と、像面に配置された撮像素子と、を有し、
前記撮像素子は撮像面を有し、且つ前記光学系によって前記撮像面上に形成された像を電気信号に変換し、
前記光学系が請求項１から３１のいずれか一項に記載の広角光学系であることを特徴とする撮像装置。
【手続補正２】
【補正対象書類名】明細書
【補正対象項目名】０００４
【補正方法】変更
【補正の内容】
【０００４】
しかし、近年では、観察像質を向上するために、画素数が多い撮像素子が用いられるようになってきた。画素数が多い撮像素子が用いられる内視鏡では、光学系にも高い分解能が要求される。
【手続補正３】
【補正対象書類名】明細書
【補正対象項目名】００３８
【補正方法】変更
【補正の内容】
【００３８】
条件式（２）を満足することにより、所定の範囲で光線高を低くしつつ、球面収差とコマ収差を良好に補正することができる。その結果、高い分解能を有する広角光学系を実現することができる。また、画素数が多い撮像素子を使用しても、その画素数に応じた鮮明な画像を取得することができる。
【手続補正４】
【補正対象書類名】明細書
【補正対象項目名】０１６６
【補正方法】変更
【補正の内容】
【０１６６】
広い画角を確保すると共に、光学系中の光線高を低く抑えるためには、第１レンズ群に大きな負の屈折力を持たせることが必要である。第１レンズ群が複数の負レンズ成分と正レンズ成分を有する場合、複数の負レンズ成分を正レンズ成分よりも物体側に配置することで、より光線高を低く抑えられる。その結果、第１レンズ群の外径を小さくすることができる。
【手続補正５】
【補正対象書類名】明細書
【補正対象項目名】０１６９
【補正方法】変更
【補正の内容】
【０１６９】
広い画角を確保すると共に、光学系中の光線高を低く抑えるためには、第１レンズ群に大きな負の屈折力を持たせることが必要である。第１レンズ群に第１負レンズ成分と第２負レンズ成分を配置することで、第１レンズ群の負の屈折力を、２つの負レンズ成分に分担させることができる。その結果、第１レンズ群の負の屈折力を大きくしても、軸外収差、特に非点収差を良好に補正することができる。
【手続補正６】
【補正対象書類名】明細書
【補正対象項目名】０３４３
【補正方法】変更
【補正の内容】
【０３４３】
また、各種データにおいて、ＯＢＪは物体距離、ＦＬは全系の焦点距離、ＭＧは全系の倍率、ＮＡＩは開口数、ＦＮＯはＦナンバー、ＦＩＹとＦＩＭは像高、ＬＴＬは光学系の全長、ＢＦはバックフォーカスである。バックフォーカスは、最も像側のレンズ面から近軸像面までの距離を空気換算して表したものである。全長は、最も物体側のレンズ面から最も像側のレンズ面までの距離にバックフォーカスを加えたものである。また、β１は第１レンズ群の倍率、β２は第２レンズ群の倍率、β３は第３レンズ群の倍率である。
【手続補正７】
【補正対象書類名】明細書
【補正対象項目名】０４３２
【補正方法】変更
【補正の内容】
【０４３２】
以上のように、本発明は、諸収差が良好に補正され、移動するレンズの外径と、移動するレンズ群の近くに位置するレンズの外径が、十分に小さい広角光学系及びそれ用いた撮像装置に適している。
【国際調査報告】
2020178883.tif 000050
2020178883.tif 000051
2020178883.tif 000052
2020178883.tif 000053
2020178883.tif 000054
2020178883.tif 000055
2020178883.tif 000056
2020178883.tif 000057
2020178883.tif 000058
2020178883.tif 000059